(57)【特許請求の範囲】
【請求項１】
遊技盤の表面に形成された遊技領域内に遊技球を打出すための発射装置と、遊技球を貯留可能な球貯留皿とを備える遊技機であって、
遊技の進行を制御し、演出用の電気部品を制御させるための演出制御コマンドを送信する遊技制御手段と、
前記遊技制御手段が送信した前記演出制御コマンドに応じて、前記演出用の電気部品を制御する演出制御手段とを備え、
前記球貯留皿は、
発光体が取付けられる発光体取付部材と、
該発光体取付部材に取付けられる発光体が設けられる発光体基板と、
前記発光体に臨む態様で設けられる透光性を有した透光部材と、
所定の異常状態が遊技機において発生したことを検出する異常検出手段とを備え、
前記発光体は、前記異常検出手段によって所定の異常状態が検出されたときに異常報知を実行し、
前記演出制御手段は、前記遊技制御手段から受信した演出制御コマンドにもとづいて、前記演出用の電気部品を制御するための制御信号をシリアル信号方式で出力する出力手段を含み、
前記遊技盤に設けられた盤側シリアル−パラレル変換回路および遊技枠に設けられた複数の枠側シリアル−パラレル変換回路をさらに備え、
前記盤側シリアル−パラレル変換回路は、前記演出制御手段の出力手段から入力された制御信号をシリアル信号方式からパラレル信号方式に変換して、前記演出用の電気部品のうち前記遊技盤に設けられた電気部品に出力し、
前記複数の枠側シリアル−パラレル変換回路は、前記演出制御手段の出力手段から入力された制御信号をシリアル信号方式からパラレル信号方式に変換して、前記演出用の電気部品のうち前記遊技枠に設けられた電気部品に出力するものであり、
前記盤側シリアル−パラレル変換回路と複数の前記枠側シリアル−パラレル変換回路、または前記演出制御手段と前記複数の枠側シリアル−パラレル変換回路は、１系統の配線を介して接続され、
前記複数の枠側シリアル−パラレル変換回路と複数の前記盤側シリアル−パラレル変換回路とが、遊技枠側中継基板および遊技盤側中継基板を介してコネクタを用いて１系統の配線を介して接続されている、遊技機。
【発明の詳細な説明】
【技術分野】
【０００１】
本発明は、パチンコ遊技機およびコイン遊技機等で代表される遊技機に関する。詳しくは、遊技盤の表面に形成された遊技領域内に遊技球を打出すための発射装置と、遊技球を貯留可能な球貯留皿とを備える遊技機に関する。
【背景技術】
【０００２】
この種の遊技機として従来から一般的に知られているものに、たとえば、遊技盤の表面に形成された遊技領域内に遊技球を打出すための発射装置と、遊技球を貯留可能な球貯留皿とを備えるパチンコ遊技機等の遊技機がある。
【０００３】
このような遊技機としては、発射装置に供給する遊技球を貯留する打球供給皿から溢れた余剰球を貯留する余剰球貯留皿において、遊技球で余剰球貯留皿が満杯になったときに点灯して遊技者に知らせるためのオーバーフローランプが、余剰球貯留皿の近傍に設けられたものがあった。
【先行技術文献】
【特許文献】
【０００４】
【特許文献１】特開平６−７１０３３号公報（段落００２７−００２８、図２）
【発明の概要】
【発明が解決しようとする課題】
【０００５】
前述のような遊技機では、余剰球貯留皿が満杯になったことをオーバーフローランプの状態により確認できる。しかし、このような位置にあるオーバーフローランプでは、演出効果を向上させることができなかった。
【０００６】
本発明は、かかる事情に鑑み考え出されたものであり、その目的は、発光体の配置により演出効果を向上させることである。
【課題を解決するための手段】
【０００７】
（１）  遊技盤（遊技盤６）の表面に形成された遊技領域（遊技領域７）内に遊技球を打出すための発射装置（打球発射装置９１）と、遊技球を貯留可能な球貯留皿（余剰球受皿４）とを備える遊技機（パチンコ遊技機１）であって、
遊技の進行を制御し、演出用の電気部品を制御させるための演出制御コマンドを送信する遊技制御手段（遊技制御用マイクロコンピュータ１５６）と、
前記遊技制御手段が送信した前記演出制御コマンドに応じて、前記演出用の電気部品を制御する演出制御手段（演出制御用マイクロコンピュータ８１）とを備え、
前記球貯留皿は、
発光体（受皿ＬＥＤ２０２ａ）が取付けられる発光体取付部材（下皿ＬＥＤベース３５４）と、
該発光体取付部材に取付けられる発光体が設けられる発光体基板（下皿ＬＥＤ基板３５３）と、
前記発光体に臨む態様で設けられる透光性を有した透光部材（下皿アクリルセンター３５６）と、
所定の異常状態が遊技機において発生したことを検出する異常検出手段とを備え、
前記発光体は、前記異常検出手段によって所定の異常状態が検出されたときに異常報知を実行し、
前記演出制御手段は、前記遊技制御手段から受信した演出制御コマンドにもとづいて、前記演出用の電気部品を制御するための制御信号をシリアル信号方式で出力する出力手段を含み、
前記遊技盤に設けられた盤側シリアル−パラレル変換回路および遊技枠に設けられた複数の枠側シリアル−パラレル変換回路をさらに備え、
前記盤側シリアル−パラレル変換回路は、前記演出制御手段の出力手段から入力された制御信号をシリアル信号方式からパラレル信号方式に変換して、前記演出用の電気部品のうち前記遊技盤に設けられた電気部品に出力し、
前記複数の枠側シリアル−パラレル変換回路は、前記演出制御手段の出力手段から入力された制御信号をシリアル信号方式からパラレル信号方式に変換して、前記演出用の電気部品のうち前記遊技枠に設けられた電気部品に出力するものであり、
前記盤側シリアル−パラレル変換回路と複数の前記枠側シリアル−パラレル変換回路、または前記演出制御手段と前記複数の枠側シリアル−パラレル変換回路は、１系統の配線を介して接続され、
前記複数の枠側シリアル−パラレル変換回路と複数の前記盤側シリアル−パラレル変換回路とが、遊技枠側中継基板および遊技盤側中継基板を介してコネクタを用いて１系統の配線を介して接続されている。
【０００８】
このような構成によれば、発光体取付部材に取付けられる発光体からの光が透光部材を通って放射されることにより、発光体の配置により演出効果を向上させることができる。
【図面の簡単な説明】
【０００９】
【図１】本発明が適用されたパチンコ遊技機およびカードユニットを示す正面図である。
【図２】図１のパチンコ遊技機およびカードユニットを示す背面図である。
【図３】主基板における回路構成の一例を示すブロック図である。
【図４】主基板における回路構成の一例を示すブロック図である。
【図５】パチンコ遊技機１の開放した状態を示す斜視図である。
【図６】前面枠および機構板を斜め背面側から見た状態を示す斜視図である。
【図７】前面枠を示す背面図である。
【図８】余剰球誘導通路の構造を示す要部拡大斜視図である。
【図９】図７のＡ−Ａ断面図である。
【図１０】機構板が組み付けられた前面枠の上部を背面側から見た状態を示す要部斜視図である。
【図１１】図１０のＢ−Ｂ断面図である。
【図１２】機構板の背面下部を背面側から見た状態を示す要部斜視図である。
【図１３】図１２のＣ−Ｃ断面図である。
【図１４】前面枠の前面に組み付けられる各種部材を示す分解斜視図である。
【図１５】前面枠の背面に取付けられる各種部品を示す分解斜視図である。
【図１６】前板飾りの前面に取付けられる各種部品を示す分解斜視図である。
【図１７】（ａ）は前板ベースの背面に取付けられる各種部品を示す分解斜視図であり、（ｂ）は前板ベースの前面に取付けられる各種部品を示す分解斜視図である。
【図１８】前板飾りと前板ベースとの組み付け状態を示す斜視図である。
【図１９】前板ベースの前面に取付けられる各種部品の一部および背面に配置されるＬＥＤ基板を示す分解斜視図である。
【図２０】前板飾りの前面を示す要部拡大正面図である。
【図２１】前板飾りに対するサイドインナーレンズの取付状態を示す要部拡大斜視図である。
【図２２】図２０のＡ−Ａ断面図である。
【図２３】（ａ）は図２２のＢ−Ｂ断面図、（ｂ）は図２２のＣ−Ｃ断面図、（ｃ）は図２２のＤ−Ｄ断面図である。
【図２４】サイドインナーレンズにおける導光状態を示す断面図である。
【図２５】サイドインナーレンズの発光状態を示す概略図である。
【図２６】打球供給皿の内部構造を示す分解斜視図である。
【図２７】同じく打球供給皿の内部構造を示す分解斜視図である。
【図２８】同じく打球供給皿の内部構造を示す分解斜視図である。
【図２９】（ａ）は上皿前中レンズを示す正面図であり、（ｂ）は（ａ）のＥ−Ｅ断面図である。
【図３０】（ａ）は図２９（ｂ）の要部拡大図であり、（ｂ）は（ａ）のＦ−Ｆ断面図である。
【図３１】（ａ）は上皿左サイドレンズ体を示す平面図であり、（ｂ）は上皿左サイドレンズ体を示す正面図である。
【図３２】図３１（ｂ）のＡ−Ａ断面図である。
【図３３】（ａ）は上皿左サイドレンズ体の上部拡大断面図であり、（ｂ）は上皿左サイドレンズ体の下部拡大断面図である。
【図３４】上皿左サイドレンズ体における導光状態を示す拡大断面図である。
【図３５】上皿左サイドレンズ体の発光状態を示す概略図である。
【図３６】凹レンズにおける光の屈折状態を示す原理図である。
【図３７】ジョグボタンの内部構造を示す分解斜視図である。
【図３８】（ａ）はジョグボタンを示す平面図であり、（ｂ）は（ａ）のＤ−Ｄ断面図であり、（ｃ）はジョグボタンの使用状況の一例を示す断面図である。
【図３９】余剰球受皿の内部構造を示す分解斜視図である。
【図４０】（ａ）は下皿光拡散レンズおよび右下皿ＬＥＤケースを示す正面図であり、（ｂ）は（ａ）のＧ−Ｇ断面図であり、（ｃ）は（ｂ）のＨ−Ｈ断面図である。
【図４１】（ａ）は供給皿左発光部２００Ｌ，供給皿右発光部２００Ｒの発光状況を示す正面図であり、（ｂ）は供給皿右発光部２００Ｒの発光状況を示す右側面図である。
【図４２】（ａ）は受皿発光部２０２の発光状況を示す正面図であり、（ｂ）は受皿発光部２０２の発光状況を示す右側面図である。
【図４３】打球操作ハンドルの内部構造を示す分解斜視図である。
【図４４】機構板の構造を示す分解斜視図である。
【発明を実施するための形態】
【００１０】
以下、本発明の一実施形態を図面を参照して説明する。なお、遊技機の一例としてパチンコ遊技機を示すが、本発明はパチンコ遊技機に限られず、コイン遊技機等のその他の遊技機であってもよく、遊技盤の表面に形成された遊技領域内に遊技球を打出すための発射装置と、遊技球を貯留可能な球貯留皿とを備える遊技機であればよい。
【００１１】
まず、本発明にかかる遊技機の一例であるパチンコ遊技機の全体の構成について説明する。図１はパチンコ遊技機１を正面からみた正面図であり、図２はパチンコ遊技機１を示す背面図である。なお、以下の説明において、図１の手前側をパチンコ遊技機の前面（表面）側、奥側を背面（裏面）側として説明する。なお、本実施の形態におけるパチンコ遊技機１の前面（表面）とは、遊技者側からパチンコ遊技機１を見たときに該遊技者と対向する対向面である。
【００１２】
〔パチンコ遊技機の前面（表面）構造〕
図１は、本発明が適用されたパチンコ遊技機およびカードユニットを示す正面図である。パチンコ遊技機１は、遊技場（遊技店）に設置される。遊技場内にはパチンコ遊技機１等の遊技機が複数台並べて配置されている遊技機設置島が複数設けられており、パチンコ遊技機１は、そのような遊技機設置島に設置される。
【００１３】
パチンコ遊技機１は、縦長の方形状に形成された外枠１００（図２参照）と、外枠１００に開閉可能に取付けられた前面枠１０１（図２参照）とで主に構成されている。前面枠１０１の前面には、ガラス扉枠１０２および上皿扉枠１０３がそれぞれ一側を中心に開閉可能に設けられているとともに、下皿枠１０４が取付けられている。また、前面枠１０１の背面側には、機構部品等が取付けられる機構板１０５（図２参照）が一側を中心にして開閉可能に取付けられている。
【００１４】
図１に示すように、ガラス扉枠１０２の下方に取付けられた上皿扉枠１０３の前面には、遊技媒体（遊技球）としてのパチンコ球（打球）を遊技球として貯留可能な打球供給皿（上皿とも言う）３が、パチンコ遊技機１の前面（表面）側に向けて突出（膨出）するように設けてある。打球供給皿３は、図２に示す打球発射装置９１に遊技球を供給する。打球発射装置９１は、遊技球を打撃するためのアーム状の打球槌を発射モータにより動作させることにより遊技球を弾発発射する発射装置である。
【００１５】
打球供給皿３の下方には、打球供給皿３から溢れた遊技球を貯留する余剰球受皿４（下皿とも言う）が、パチンコ遊技機１の前面（表面）側に向けて突出（膨出）するように設けてあるとともに、その側方には、遊技球を発射するときに操作する打球操作ハンドル（操作ノブ）５が設けられている。打球発射装置９１は、打球操作ハンドル５の操作に応じて発射モータを駆動する制御が行なわれることにより、遊技球を発射する。ガラス扉枠１０２の背面には、前面枠１０１に対して着脱可能に取付けられた遊技盤６が配置されている。なお、遊技盤６は、それを構成する板状体と、その板状体に取付けられた種々の部品とを含む構造体である。また、遊技盤６の前面には遊技領域７が形成されている。打球発射装置９１により発射された遊技球（打球）は、遊技領域７に打出される。
【００１６】
遊技領域７の中央付近には、それぞれが演出用の飾り図柄を変動表示する複数の変動表示領域を含む変動表示装置（飾り図柄表示装置）９が設けられている。変動表示装置９は、液晶表示装置を用いた画像表示装置である。変動表示装置９の上部には、各々を識別可能な複数種類の識別情報としての特別図柄を変動表示する小型の表示部である特別図柄表示器（特別図柄表示装置）８が設けられている。変動表示装置９には、たとえば「左」、「中」、「右」の３つの変動表示領域（図柄表示エリア）がある。変動表示装置９は、特別図柄表示器８による特別図柄の変動表示期間中に、装飾用（演出用）の図柄であって、各々を識別可能な複数種類の識別情報としての飾り図柄の変動表示を行なう。変動表示装置９は、後述する演出制御基板８０に搭載されている演出制御用マイクロコンピュータ８１（図３参照）によって制御される。特別図柄表示器８は表示部が小型であるので、変動表示の態様および変動表示の表示結果が変動表示装置９と比べて見づらいため、遊技者は主として変動表示装置９の方に注目する。
【００１７】
特別図柄表示器８は、たとえば０〜９の数字を変動表示可能な簡易で小型の表示器（たとえば７セグメントＬＥＤ）で実現されている。特別図柄表示器８は、遊技者に当りの種類を把握しづらくさせるために、０〜９９等、より多種類の数字を変動表示するように構成されていてもよい。また、変動表示装置９は、液晶表示装置よりなる画像表示装置で実現されている。変動表示装置９は、特別図柄表示器８による特別図柄の変動表示期間中に、飾り図柄の変動表示を行なう。
【００１８】
なお、本実施の形態においては、変動表示装置９は、液晶表示装置を用いた例について説明するが、これに限らず、変動表示装置９は、ＣＲＴ（Cathode Ray Tube）、ＦＥＤ（Field Emission Display）、ＰＤＰ（Plasma Display Panel）、ドットマトリクス、７セグメントＬＥＤ等のＬＥＤ（Light Emitting Diode）、エレクトロルミネッセンス、蛍光表示管等のその他の画像表示式の表示装置により構成されてもよい。また、変動表示装置９は、回転ドラム式表示装置等の機械式の表示装置であってもよい。
【００１９】
変動表示装置９の下方には、遊技球を受入れ可能な入賞領域としての第１始動口１５ａおよび第２始動口１５ｂを有する始動入賞装置１５が設けられている。始動入賞装置１５では、上部に第１始動口１５ａが設けられ、その下部に第２始動口１５ｂが設けられている。第２始動口１５ｂの左右には、開閉動作をすることが可能な態様で一対の可動片１３，１３が設けられている。第１始動口１５ａは、上方を向いて開口しており、常に遊技球の進入（受入れ）が可能な状態となっている。一方、第２始動口１５ｂは、上方に第１始動口１５ａの周囲の構造物が設けられ、左右に可動片１３，１３が設けられているため、可動片１３，１３が閉状態であるときに遊技球の進入（受入れ）が不可能な状態となり、可動片１３，１３が開状態であるときに遊技球の進入（受入れ）が可能な状態となる。このように、第１始動口１５ａは入賞のしやすさが変化せず、第２始動口１５ｂは可動片１３，１３の開閉動作によって入賞のしやすさが変化する。
【００２０】
なお、始動入賞装置１５は、可動片１３，１３が閉状態になっている状態において、第２始動口１５ｂに入賞はしづらいものの、入賞することは可能である（すなわち、遊技球が入賞しにくい）ように構成されていてもよい。また、始動入賞装置１５は、始動口として、入賞のしやすさが変化しない第１始動口１５ａのみが設けられたものであってもよく、可動片１３，１３の開閉動作によって入賞のしやすさが変化する第２始動口１５ｂのみが設けられたものであってもよい。
【００２１】
始動入賞装置１５の可動片１３，１３は、後述する開放条件が成立したときに、ソレノイド１６によって駆動されることにより、閉状態から所定期間開状態とされた後、閉状態とされる。始動入賞装置１５の可動片１３，１３が開状態となることにより、遊技球が第２始動口１５ｂに入賞しやすくなり（始動入賞しやすくなり）、遊技者にとって有利な状態（第１の状態）となる。一方、始動入賞装置１５の可動片１３，１３が閉状態となることにより、遊技球が第２始動口１５ｂに入賞しなくなり（始動入賞しにくくなり）、遊技者にとって不利な状態（第２の状態）となる。第１始動口１５ａに入った入賞球は、遊技盤６の背面に導かれ、第１始動口スイッチ１４ａによって検出される。また、第２始動口１５ｂに入った入賞球は、遊技盤６の背面に導かれ、第２始動口スイッチ１４ｂによって検出される。
【００２２】
変動表示装置９の下部には、第１始動口スイッチ１４ａまたは第２始動口スイッチ１４ｂに入った有効入賞球の記憶数すなわち保留記憶（始動記憶または始動入賞記憶ともいう）数を表示する４つの特別図柄保留記憶表示器１８が設けられている。特別図柄保留記憶表示器１８は、保留記憶数を入賞順に４個まで表示する。特別図柄保留記憶表示器１８は、第１始動口１５ａまたは第２始動口１５ｂに始動入賞があるごとに、保留記憶の記憶データが１増えて、点灯状態のＬＥＤの数を１増やす。そして、特別図柄保留記憶表示器１８は、特別図柄表示器８で変動表示が開始されるごとに、保留記憶の記憶データが１減って、点灯状態のＬＥＤの数を１減らす（すなわち１つのＬＥＤを消灯する）。具体的には、特別図柄保留記憶表示器１８は、特別図柄表示器８で変動表示が開始されるごとに、点灯状態をシフトする。なお、この例では、第１始動口１５ａまたは第２始動口１５ｂへの入賞による保留記憶数に上限数（４個まで）が設けられている。しかし、これに限らず、保留記憶数の上限数は、４個以上の値にしてもよく、４個よりも少ない値にしてもよい。
【００２３】
始動入賞装置１５の下部には、ソレノイド２１によって開閉される開閉板を用いた特別可変入賞球装置２０が設けられている。特別可変入賞球装置２０は、開閉板によって開閉される大入賞口が設けられており、大当り遊技状態において開閉板が遊技者にとって有利な開状態（第１の状態）に制御され、大当り遊技状態以外の状態において開閉板が遊技者にとって不利な閉状態（第２の状態）に制御される。このように、特別可変入賞球装置２０は、大当り遊技状態となるときに開放条件が成立する。特別可変入賞球装置２０に入賞し遊技盤６の背面に導かれた入賞球のうち一方（Ｖ入賞領域：特別領域）に入った入賞球および他方の領域に入った遊技球は、そのままカウントスイッチ２３で検出される。遊技盤６の背面には、大入賞口内の経路を切換えるためのソレノイド２１ａ（図３参照）も設けられている。
【００２４】
遊技球がゲート３２を通過しゲートスイッチ３２ａで検出されると、複数種類の識別情報としての普通図柄を変動表示する普通図柄表示器１０における変動表示が開始される。この実施の形態では、左右のＬＥＤ（点灯時に図柄が視認可能になる）が交互に点灯することによって変動表示が行なわれ、たとえば、変動表示の終了時に左側のＬＥＤが点灯すれば当りになる。そして、普通図柄表示器１０における停止図柄が所定の図柄（当り図柄）となったときに、始動入賞装置１５の可動片１３，１３の開放条件が成立し、始動入賞装置１５における可動片１３，１３が所定回数、所定時間だけ開状態になる。普通図柄表示器１０の近傍には、ゲート３２を通過した有効通過球の記憶数、すなわち、始動通過記憶数を表示する４つのＬＥＤによる表示部を有する普通図柄保留記憶表示器４１が設けられている。ゲート３２への遊技球の通過があるごとに、始動通過記憶の記憶データが１増えて、普通図柄保留記憶表示器４１は点灯するＬＥＤを１増やす。そして、普通図柄表示器１０における変動表示が開始されるごとに、始動通過記憶の記憶データが１減って、点灯するＬＥＤを１減らす。
【００２５】
遊技盤６には、遊技球を受入れて入賞を許容する入賞装置の入賞領域として、第１通常入賞口２９、第２通常入賞口３０、第３通常入賞口３３、および、第４通常入賞口３９よりなる複数の通常入賞口が設けられる。第１通常入賞口２９への遊技球の入賞は、第１入賞口スイッチ２９ａによって検出される。第２通常入賞口３０への遊技球の入賞は、第２入賞口スイッチ３０ａによって検出される。第３通常入賞口３３への遊技球の入賞は、第３入賞口スイッチ３３ａによって検出される。第４通常入賞口３９への遊技球の入賞は、第４入賞口スイッチ３９ａによって検出される。なお、第１始動口１５ａ、第２始動口１５ｂ、および、大入賞口も、遊技球を受入れて入賞を許容する入賞装置の入賞領域を構成する。また、遊技領域７の左右周辺には、遊技中に点滅表示される装飾ＬＥＤ２５が設けられ、下部には、入賞しなかった遊技球を回収するアウト口２６がある。
【００２６】
遊技領域７の外側の左右上部には、効果音を発する２つのスピーカ２７が設けられている。遊技領域７の外周には、天枠ＬＥＤ２８ａ（図３参照）が内蔵される天枠発光部２８Ｈと、左枠ＬＥＤ２８ｂ（図３参照）が内蔵される左発光部２８Ｌおよび右枠ＬＥＤ２８ｃ（図３参照）が内蔵される右発光部２８Ｒが設けられている。さらに、遊技領域７における各構造物（大入賞口等）の周囲には装飾ＬＥＤが設置されている。これら天枠ＬＥＤ２８ａ、左枠ＬＥＤ２８ｂおよび右枠ＬＥＤ２８ｃおよび装飾用ＬＥＤは、パチンコ遊技機１に設けられている装飾発光体の一例である。左発光部２８Ｌおよび右発光部２８Ｒは、装飾を行なうために所定の発光パターンで発光させられる。
【００２７】
そして、この例では、左発光部２８Ｌの所定箇所に、賞球払出中に点灯する賞球ＬＥＤ５１が設けられ、右枠ＬＥＤ２８ｃの所定箇所に、補給球が切れたときに点灯する球切れＬＥＤ５２が設けられている。なお、本実施の形態では賞球ＬＥＤ５１および球切れＬＥＤ５２を左枠ＬＥＤ２８ｂや右枠ＬＥＤ２８ｃとは個別に設けていたが、左枠ＬＥＤ２８ｂや右枠ＬＥＤ２８ｃの発光態様を異ならせることにより賞球払出中である旨および補給球が切れた旨を報知するようにしてもよい。また、プリペイドカードが挿入されることによって球貸しを可能にするプリペイドカードユニット（以下、「カードユニット」という。）５０が、パチンコ遊技機１に隣接して設置されている。
【００２８】
上皿扉枠１０３の前面における打球供給皿３の左右側方には、上皿扉枠１０３の前面側における打球供給皿３の左右側方に設けられたＬＥＤ（図２６の供給皿左ＬＥＤ２００ａおよび供給皿右ＬＥＤ２００ｂ）により発光する供給皿左発光部２００Ｌ，供給皿右発光部２００Ｒが設けられている。供給皿左発光部２００Ｌおよび供給皿右発光部２００Ｒは、たとえば、遊技状態に応じた演出を行なうため、および、異常状態を報知するために用いられる。打球供給皿３の前面には、打球供給皿３の内部に設けられた供給皿前ＬＥＤ２０１ａ（後述する）により発光する供給皿前発光部２０１が横方向に細長く延在する態様で設けられている。具体的に、供給皿前発光部２０１は、打球供給皿３の前面において、最も前方に突出した位置において横方向に延びる領域に設けられている。供給皿前発光部２０１は、たとえば、遊技状態に応じた演出および装飾を行なうために用いられる。
【００２９】
余剰球受皿４の周縁上面には、余剰球受皿４の内部に設けられた受皿ＬＥＤ２０２ａにより発光する受皿発光部２０２が設けられている。受皿発光部２０２は、たとえば、遊技状態に応じた演出を行なうため、および、異常状態を報知するために用いられる。なお、これら供給皿左発光部２００Ｌ，供給皿右発光部２００Ｒおよび受皿発光部２０２の詳細については後述することとする。また、余剰球受皿４の左右側方には、内蔵されたＬＥＤ（図３９の受皿左ＬＥＤ２０３ａおよび受皿右ＬＥＤ２０３ｂ）により発光する受皿左発光部２０３Ｌおよび受皿右発光部２０３Ｒが設けられている。受皿左発光部２０３Ｌおよび受皿右発光部２０３Ｒは、たとえば、異常状態を報知するために用いられる。
【００３０】
賞球ＬＥＤ５１、球切れＬＥＤ５２、装飾ＬＥＤ２５、天枠ＬＥＤ２８ａ、左枠ＬＥＤ２８ｂ、右枠ＬＥＤ２８ｃ、供給皿左ＬＥＤ２００ａ、供給皿右ＬＥＤ２００ｂ、供給皿左右外ＬＥＤ２００ｃ、供給皿前ＬＥＤ２０１ａ、受皿ＬＥＤ２０２ａ、受皿左ＬＥＤ２０３ａ、受皿右ＬＥＤ２０３ｂ等の各種発光手段は、図３に示すように、主基板３１から出力される演出制御コマンドに基づき演出制御用マイクロコンピュータ８１から出力されるシリアル信号に基づいて点灯制御（ＬＥＤ制御）される。また、スピーカ２７からの音発生制御（音制御）は、後述する音声出力基板７０によって行なわれる。
【００３１】
カードユニット５０には、たとえば、使用可能状態であるか否かを示す使用可表示ランプ、連結台方向表示器、カード投入表示ランプ、および、カードユニット錠が設けられている。カード挿入口連結台方向表示器は、カードユニット５０がいずれの側のパチンコ遊技機１に対応しているのかを示す表示器である。カード投入表示ランプは、カードユニット５０内にカードが投入されていることを示すランプである。カード挿入口は、記録媒体としてのカードが挿入される開口部である。カードユニット錠は、カード挿入口の裏面に設けられているカードリーダライタの機構を点検する場合にカードユニット５０を解放するための錠である。
【００３２】
遊技者の操作により打球発射装置９１から発射された遊技球は、打球誘導レール１１７を通って遊技領域７に入り、その後、遊技領域７を下りてくる。遊技球が、第１始動口１５ａに入り第１始動口スイッチ１４ａで検出されるか、または、第２始動口１５ｂに入り第２始動口スイッチ１４ｂで検出されると、特別図柄の変動表示を開始できる状態であれば、特別図柄表示器８において特別図柄が変動表示を始める。特別図柄の変動表示を開始できる状態でなければ、保留記憶数を１増やす。
【００３３】
特別図柄表示器８における特別図柄の変動表示は、変動表示が行なわれるごとに設定された変動表示時間が経過したときに停止する。停止時の特別図柄（停止図柄）が特定表示結果としての大当り図柄（大当り表示結果ともいう）であると、大当りとなり、大当り遊技状態に移行する。大当り遊技状態においては、特別可変入賞球装置２０が、一定時間経過するまで、または、所定個数（たとえば１０個）の遊技球が入賞するまで開放する。そして、特別可変入賞球装置２０の開放中に遊技球がＶ入賞領域に入賞しカウントスイッチ２３で検出されると、継続権が発生し特別可変入賞球装置２０の開放が再度行なわれる。継続権の発生は、たとえば１５ラウンドのような所定回数を上限値として許容される。このような制御は、繰返し継続制御と呼ばれる。繰返し継続制御において、特別可変入賞球装置２０が開放されている状態がラウンドと呼ばれる。なお、Ｖ入賞領域を設けずに、各ラウンドにおいて無条件で継続権が発生するように制御してもよい。
【００３４】
停止時の特別図柄表示器８における特別図柄が大当り図柄のうちの予め定められた特別な大当り図柄（確変大当り図柄）である場合には、大当り遊技状態後に大当りとすると判定される確率（大当り確率）が、大当り遊技状態と異なる通常状態である通常遊技状態よりも高くなる確率変動状態（以下、確変状態と呼ぶ）という遊技者にとってさらに有利な状態になる。以下、確変状態は、高確率状態（高確状態と略称で呼ぶ場合もある）ともいう。また、非確変状態は、低確率状態（低確状態と略称で呼ぶ場合もある）ともいう。
【００３５】
また、特別図柄表示器８での変動表示の停止時における特別図柄の表示結果が、確変大当り図柄である場合には、大当り遊技状態後に変動時間短縮状態である時短状態に所定期間に亘り制御される。時短状態とは、通常遊技状態に比べて、特別図柄表示器８、変動表示装置９、および、普通図柄表示器１０のそれぞれの変動表示時間（変動開始時から表示結果の導出表示時までの時間）を短縮して早期に表示結果を導出表示させる制御状態をいう。さらに、時短状態中には、普通図柄表示器１０における停止図柄が当り図柄になる確率が高められるとともに、始動入賞装置１５の可動片１３，１３の開放時間が長くされ、開放回数が増加させられる。時短状態中では、図柄の変動表示時間が短縮されるので、後述する保留記憶数が早期に消化され、保留記憶数の上限（たとえば「４」）を超えて発生した始動入賞が無効になってしまう状態を減少でき、短期間に頻繁に表示結果を導出表示して早期に大当り表示結果を導出表示しやすくなるので、時間効率的な観点で変動表示の表示結果が大当り図柄の表示結果となりやすくなり、遊技者にとって有利な遊技状態となる。このように、確変大当りの場合は、大当り遊技状態の終了後の所定期間において、高確率状態かつ時短状態に制御されることとなる。大当り遊技状態の終了後の所定期間に亘る時短状態は、次の大当り遊技状態が発生するか、または、特別図柄および飾り図柄の変動表示が所定回数（１００回）行なわれるまでの、いずれか早い方の条件が成立するまで継続される。
【００３６】
また、入賞に応じた遊技球の払出しの面から考えると、時短状態は、非時短状態と比べて、普通図柄の変動表示時間が短縮され、普通図柄表示器１０における停止図柄が当り図柄になる確率が高められ、当り時における始動入賞装置１５の可動片１３，１３の開放時間が長くされ、当り時における始動入賞装置１５の可動片１３，１３の１度の開放回数が多くされることに基づいて、通常遊技状態と比べて始動入賞装置１５の可動片１３，１３が開放状態となりやすい。したがって、時短状態では、第２始動口１５ｂへの入賞（始動入賞が有効である場合と無効である場合との両方を含む）が生じやすくなるため、遊技領域７へ打込んだ遊技球数（打込球数）に対して、入賞に応じた賞球として払出される遊技球数（払出球数）の割合が、通常遊技状態と比べて多くなる。一般的に、発射球数に対する入賞による賞球の払出球数の割合は、「ベース」と呼ばれる。たとえば、１００球の打込球数に対して４０球の払出球数があったときには、ベースは４０（％）となる。この実施の形態の場合では、たとえば通常遊技状態のような非時短状態よりもベースが高い時短状態を高ベース状態と呼び、逆に、そのような高ベース状態と比べてベースが低い通常遊技状態のような非時短状態を低ベース状態と呼ぶ。
【００３７】
このように、発射球数に対する入賞による賞球の払出球数の割合が一般的に「ベース」と呼ばれるが、たとえば１分間等の単位時間における遊技球の最大発射数は、一定数に制限されている。このため、「ベース」は、単位時間において、遊技領域に設けられた複数の入賞口への入賞による賞球の払出球数の合計値によっても示すことができる。たとえば、単位時間における遊技球の最大発射数を１００球とすると、単位時間における入賞による賞球の払出球数の合計値は、一般的な「ベース」の値と一致することとなる。このような関連性に基づいて、本実施形態では、第１始動口１５ａ、第２始動口１５ｂ、第１通常入賞口２９、第２通常入賞口３０、第３通常入賞口３３、および、第４通常入賞口３９のそれぞれを異常監視対象入賞口としている。当該該異常監視対象入賞口の入賞による賞球の払出球数の合計値は、ベースと呼ばれ、入賞に関する異常監視の対象として用いられる。
【００３８】
確変状態（高確率状態）と非確変状態（低確率状態）とのどちらの状態であるかは、確変状態においてセットされるフラグである確変フラグがセットされているか否かに基づいて判断される。また、時短状態（高ベース状態）と非時短状態（低ベース状態）とのどちらの状態であるかは、時短状態においてセットされるフラグである時短フラグがセットされているか否かに基づいて判断される。
【００３９】
また、前述の時短状態に制御されていない状態においては、特別図柄の保留記憶数が所定個数以上となるごとに、特別図柄および飾り図柄の変動表示時間を短縮する記憶変動短縮状態に制御する記憶変動短縮制御が行なわれる。記憶変動短縮制御は、特別図柄の保留記憶数が所定個数未満となった段階で終了する。したがって、時短状態に制御されていない状態においても、特別図柄および飾り図柄の変動表示時間が短縮される場合がある。
【００４０】
変動表示装置９において変動表示される飾り図柄は、特別図柄表示器８における特別図柄の変動表示の装飾効果を高めるために、特別図柄の変動表示と所定の関係を有して変動表示される装飾的な意味合いがある図柄である。このような図柄についての所定の関係には、たとえば、特別図柄の変動表示が開始されたときに飾り図柄の変動表示が開始する関係、および、特別図柄の変動表示の終了時に特別図柄の表示結果が導出表示されるときに飾り図柄の表示結果が導出表示されて飾り図柄の変動表示が終了する関係等が含まれる。特別図柄表示器８により予め定められた大当り図柄が表示結果として導出表示されるときには、変動表示装置９により、左，中，右図柄がゾロ目となる大当り図柄の組合せが表示結果として導出表示される。このような特別図柄による大当り図柄の表示結果および飾り図柄による大当り図柄の組合せの表示結果は、大当り表示結果という。
【００４１】
特別図柄表示器８と変動表示装置９とは変動表示結果が前述したような対応関係になるため、以下の説明においては、これらをまとめて変動表示部と呼ぶ場合がある。
【００４２】
次に、リーチ表示態様（リーチ）について説明する。本実施形態におけるリーチ表示態様（リーチ）とは、停止した図柄が大当り図柄の一部を構成しているときに未だ停止していない図柄については変動表示が行なわれていること、および、すべてまたは一部の図柄が大当り図柄のすべてまたは一部を構成しながら同期して変動表示している状態である。
【００４３】
たとえば、変動表示装置９において、図柄が停止することで大当りとなる有効ライン（本実施の形態の場合は横１本の有効ライン）が予め定められ、その有効ライン上の一部の表示領域に予め定められた図柄が停止しているときに未だ停止していない有効ライン上の表示領域において変動表示が行なわれている状態（たとえば、変動表示装置９における左，中，右の変動表示領域のうち左，右の表示領域に同一の図柄が停止表示されている状態で中の表示領域は未だ変動表示が行なわれている状態）、および、有効ライン上の表示領域のすべてまたは一部の図柄が大当り図柄のすべてまたは一部を構成しながら同期して変動表示している状態（たとえば、変動表示装置９における左，中，右の表示領域のすべてに変動表示が行なわれており、常に同一の図柄が揃っている状態で変動表示が行なわれている状態）をリーチ表示態様またはリーチという。
【００４４】
また、リーチの際に、通常と異なる演出がＬＥＤや音で行なわれることがある。この演出をリーチ演出という。また、リーチの際に、キャラクタ（人物等を模した演出表示であり、図柄（飾り図柄等）とは異なるもの）を表示させたり、変動表示装置９の背景画像の表示態様（たとえば、色等）を変化させたりすることがある。このキャラクタの表示や背景の表示態様の変化をリーチ演出表示という。また、リーチの中には、それが出現すると、通常のリーチに比べて、大当りが発生しやすいように設定されたものがある。このような特別（特定）のリーチをスーパーリーチという。
【００４５】
また、変動表示装置９については、大当りを発生させる契機となる変動表示において、大当りとなることを報知する予告演出である大当り予告が行なわれる場合がある。
【００４６】
この実施の形態の場合は、大当りとして、通常大当りおよび確変大当りというような複数種類の大当りが設けられている。以下の説明においては、大当りの種類を特定せずに単に「大当り」と示すときは、これら複数種類の大当りを代表して示す場合である。
【００４７】
通常大当りは、大当り遊技状態の終了後に確変状態にならず、かつ、時短状態にならないことにより、低確率状態、かつ、低ベース状態となる大当り（非確変大当り）である。このような、低確率状態かつ低ベース状態となった状態は、低確低ベース状態と呼ばれる。確変大当りは、大当り遊技状態の終了後に確変状態になり、かつ、所定期間に亘り時短状態になる高確率状態、かつ、高ベース状態となる大当りである。このような、高確率状態かつ高ベース状態となった状態は、高確高ベース状態と呼ばれる。確変大当りとなった後においては、所定期間が経過すると時短状態が終了し、高確率状態、かつ、低ベース状態になる。このような、高確率状態かつ低ベース状態となった状態は、高確低ベース状態と呼ばれる。
【００４８】
また、変動表示装置９については、大当りを発生させる契機となる変動表示において、大当りとなることを報知する予告演出である大当り予告が行なわれる場合がある。
【００４９】
〔パチンコ遊技機の背面（裏面）構造〕
次に、パチンコ遊技機１の裏面の構造について図２を参照して説明する。図２は、パチンコ遊技機およびカードユニットを示す背面図である。
【００５０】
図２に示すように、パチンコ遊技機１裏面側では、変動表示装置９を制御する演出制御用マイクロコンピュータが搭載された演出制御基板８０を含む変動表示制御ユニット４９、遊技制御用マイクロコンピュータ等が搭載された遊技制御基板（主基板）３１、音声出力基板７０、ＬＥＤドライバ基板（図示省略）、打球を発射する打球発射装置９１、および、球払出制御を行なう払出制御用マイクロコンピュータ等が搭載された払出制御基板３７等の各種基板が設置されている。
【００５１】
さらに、パチンコ遊技機１裏面側には、ＤＣ３０Ｖ、ＤＣ２１Ｖ、ＤＣ１２ＶおよびＤＣ５Ｖ等の各種電源電圧を作成する電源回路が搭載された電源基板９１０やタッチセンサ基板９１Ａが設けられている。電源基板９１０は、一部が払出制御基板３７と重なっているが、払出制御基板３７に重なることなく外部から視認可能に露出した露出部分には、パチンコ遊技機１における主基板３１および各電気部品制御基板（演出制御基板８０および払出制御基板３７）やパチンコ遊技機１に設けられている各電気部品（電力が供給されることによって動作する部品）への電力供給を実行あるいは遮断するための電力供給許可手段としての電源スイッチが設けられている。さらに、露出部分における電源スイッチの内側（基板内部側）には、交換可能なヒューズが設けられている。
【００５２】
なお、電気部品制御基板には、電気部品制御用マイクロコンピュータを含む電気部品制御手段が搭載されている。電気部品制御手段は、遊技制御手段等からのコマンドとしての指令信号（制御信号）にしたがってパチンコ遊技機１に設けられている電気部品（遊技用装置：球払出装置９７、変動表示装置９、ＬＥＤ等の発光体、スピーカ２７等）を制御する。以下、主基板３１を電気部品制御基板に含めて説明を行なうことがある。その場合には、電気部品制御基板に搭載される電気部品制御手段は、遊技制御手段と、遊技制御手段等からの指令信号にしたがってパチンコ遊技機１に設けられている電気部品を制御する手段とのそれぞれを指す。また、主基板３１以外のマイクロコンピュータが搭載された基板をサブ基板ということがある。
【００５３】
パチンコ遊技機１裏面において、上方には、各種情報をパチンコ遊技機１外部に出力するための各端子を備えたターミナル基板１５９が設置されている。ターミナル基板１５９には、少なくとも、球切れ検出スイッチ１６７の出力を導入して外部出力するための球切れ用端子、賞球情報（賞球個数信号）を外部出力するための賞球用端子および球貸し情報（球貸し個数信号）を外部出力するための球貸し用端子が設けられている。また、中央付近には、主基板３１からの各種情報をパチンコ遊技機１外部に出力するための各端子を備えた情報端子基板（情報出力基板）３６が設置されている。
【００５４】
図示しない遊技機設置島から供給される球を貯留可能な球タンク３８に貯留された遊技球は、タンクレール７２２（図４４参照）を通り、カーブ樋を経てケースカバー７３１（図４４参照）で覆われた球払出装置９７に至る。球払出装置９７の上方には、通路内に球がない旨を検出する遊技媒体切れ検出手段としての球切れスイッチ１９７が設けられている。球切れスイッチ１９７が球切れを検出すると、球払出装置９７の払出動作が停止する。球切れスイッチ１９７は遊技球通路内の遊技球の有無を検出するスイッチであるが、球タンク３８内の補給球の不足を検出する球切れ検出スイッチ１６７も誘導レールにおける上流部分（球タンク３８に近接する部分）に設けられている。球切れ検出スイッチ１６７が遊技球の不足を検知すると、遊技機設置島に設けられている補給機構からパチンコ遊技機１に対して遊技球の補給が行なわれる。
【００５５】
入賞に基づく景品としての遊技球や球貸し要求に基づく遊技球が多数払出されて打球供給皿３が満杯になると、遊技球は、余剰球誘導通路を経て余剰球受皿４に導かれる。さらに遊技球が払出されると、感知レバー（図示せず）が貯留状態検出手段としての満タンスイッチ１９（図示せず）を押圧して、貯留状態検出手段としての満タンスイッチ１９がオンする。その状態では、球払出装置内の払出モータの回転が停止して球払出装置の動作が停止するとともに打球発射装置９１の駆動も停止する。なお、満タンスイッチ１９がオンした状態において、球払出装置の動作および打球発射装置９１の駆動は必ずしも停止させなくてもよいし、あるいはオンした時点から所定時間経過後に停止させるようにしてもよい。
【００５６】
〔パチンコ遊技機の回路構成〕
図３は、主基板３１における回路構成の一例を示すブロック図である。なお、図３には、パチンコ遊技機１に搭載されている払出制御基板３７、ＬＥＤドライバ基板３５、音声出力基板７０、インタフェース基板６６、中継基板７７、および、演出制御基板８０も示されている。主基板（遊技制御基板）３１には、制御用のプログラムにしたがってパチンコ遊技機１を制御する基本回路（遊技制御手段に相当）となる遊技制御用マイクロコンピュータ１５６と、ゲートスイッチ３２ａ、第１始動口スイッチ１４ａ、第２始動口スイッチ１４ｂ、カウントスイッチ２３、第１入賞口スイッチ２９ａ、第２入賞口スイッチ３０ａ、第３入賞口スイッチ３３ａ、第４入賞口スイッチ３９ａ、満タンスイッチ１９からの信号の他、電源断信号およびクリア信号等の各種信号を遊技制御用マイクロコンピュータ１５６に与える入力ドライバ回路５８と、始動入賞装置１５の可動片１３，１３を開閉するソレノイド１６、特別可変入賞球装置２０を開閉するソレノイド２１、および、大入賞口内の経路を切換えるためのソレノイド２１ａを遊技制御用マイクロコンピュータ１５６からの指令にしたがって駆動する出力回路５９と、遊技制御用マイクロコンピュータ１５６からの指令にしたがって各種の情報信号をホール管理コンピュータ等のパチンコ遊技機１の外部に設けられた装置に出力する情報出力回路５３とが搭載されている。情報出力回路５３から出力された情報信号は、情報端子基板３６を介して、パチンコ遊技機１の外部に出力される。
【００５７】
なお、本実施の形態では満タンスイッチ１９の検出信号は払出制御基板３７を経由して主基板３１に入力されるようになっているが、払出制御基板３７を経由することなく入力ドライバ回路５８に直接入力されるようにしてもよい。
【００５８】
情報出力回路５３から出力される情報信号としては、大当り１情報信号、大当り２情報信号、大当り３情報信号、高確率情報信号、時短情報信号、第１始動情報信号、第２始動情報信号、第１入賞数異常信号、第２入賞数異常信号、第１ベース異常信号、第２ベース異常信号、および、始動口入賞異常信号が含まれる。
【００５９】
大当り１情報信号、大当り２情報信号および大当り３情報信号のそれぞれは、確変大当り、非確変大当り等の大当りの種類を特定した大当りの発生を示す信号である。高確率情報信号は、確率変動が生じたことを示す信号である。時短情報信号は、時短状態が生じたことを示す信号である。第１始動情報信号は、第１始動口１５ａへの入賞により特別図柄および飾り図柄の変動表示開始に利用される遊技球が検出されたことを示す信号である。第２始動情報信号は、第２始動口１５ｂへの入賞により特別図柄および飾り図柄の変動表示開始に利用される遊技球が検出されたことを示す信号である。
【００６０】
第１入賞数異常信号は、第１始動口１５ａ、第２始動口１５ｂ、第１通常入賞口２９、第２通常入賞口３０、第３通常入賞口３３、および、第４通常入賞口３９のそれぞれを異常監視対象入賞口として、後述するように実行される入賞数監視処理において、所定の単位時間中での入賞数が第１入賞数異常判定値以上となったことに基づく異常状態（以下、入賞数異常状態または第１入賞数異常状態ともいう）が生じたときに、そのような異常が生じた旨を示す信号である。第２入賞数異常信号は、第１始動口１５ａ、第２始動口１５ｂ、第１通常入賞口２９、第２通常入賞口３０、第３通常入賞口３３、および、第４通常入賞口３９のそれぞれを異常監視対象入賞口として、後述するように実行される入賞数監視処理において、所定の単位時間中での入賞数が第１入賞数異常判定値よりも大きい第２入賞数異常判定値以上となったことに基づく異常状態（以下、入賞数異常状態または第２入賞数異常状態ともいう）が生じたときに、そのような異常が生じた旨を示す信号である。
【００６１】
第１ベース異常信号は、前述の異常監視対象入賞口を対象として、後述するように実行される入賞数監視処理において、所定の単位時間中でのこれら入賞口への入賞数に基づく賞球数の合計値（以下、ベースという）が第１のベース異常判定値以上となったことに基づく異常状態（以下、ベース異常状態または第１ベース異常状態ともいう）が生じたときに、そのような異常が生じた旨を示す信号である。第２ベース異常信号は、前述の異常監視対象入賞口を対象として、後述するように実行される入賞数監視処理において、所定の単位時間中でのこれら入賞口への入賞数に基づく賞球数の合計値（ベース）が第１のベース異常判定値よりも大きい第２のベース異常判定値以上となったことに基づく異常状態（以下、ベース異常状態または第２ベース異常状態ともいう）が生じたときに、そのような異常が生じた旨を示す信号である。
【００６２】
始動口入賞異常信号は、第２始動口１５ｂを対象として、可動片１３，１３が閉状態であるときに遊技球が入賞したことに基づく異常状態が生じたときに、そのような異常状態が生じた旨を示す信号である。
【００６３】
なお、ゲートスイッチ３２ａ、第１始動口スイッチ１４ａ、第２始動口スイッチ１４ｂ、カウントスイッチ２３、第１入賞口スイッチ２９ａ、第２入賞口スイッチ３０ａ、第３入賞口スイッチ３３ａ、第４入賞口スイッチ３９ａ等のスイッチは、センサと称されているものでもよい。すなわち、遊技球を検出できる遊技媒体検出手段（この例では遊技球検出手段）であれば、その名称を問わない。入賞検出を行なう第１始動口スイッチ１４ａ、第２始動口スイッチ１４ｂ、カウントスイッチ２３、第１入賞口スイッチ２９ａ、第２入賞口スイッチ３０ａ、第３入賞口スイッチ３３ａ、および、第４入賞口スイッチ３９ａへの遊技球の入賞を検出する入賞検出手段でもある。
【００６４】
なお、ゲート３２のような通過ゲートであっても、賞球の払出しが行なわれるものであれば、通過ゲートへ遊技球が進入することが入賞になり、通過ゲートに設けられているスイッチ（たとえばゲートスイッチ３２ａ）が入賞検出手段になる。また、Ｖ入賞領域に入賞した遊技球がカウントスイッチ２３でも検出される。よって、大入賞口に入賞した遊技球数は、カウントスイッチ２３による検出数に相当する。また、Ｖ入賞領域に入賞した遊技球はＶ入賞スイッチのみで検出されるようにし、大入賞口に入賞した遊技球数は、Ｖ入賞スイッチによる検出数とカウントスイッチ２３による検出数との和になるようにしてもよい。また、Ｖ入賞領域を設けず、最終ラウンド以外のラウンドでは、常に継続権が発生するようにしてもよい。また、Ｖ入賞領域を設け、１ラウンド目は無条件（Ｖ入賞領域への入賞によらず）継続権が発生し、２ラウンド目以降においてＶ入賞領域への入賞により継続権が発生するようにしてもよい。
【００６５】
遊技制御用マイクロコンピュータ１５６は、ゲーム制御（遊技進行制御）用のプログラム等を記憶するＲＯＭ５４、ワークメモリとして使用される記憶手段（変動データを記憶する変動データ記憶手段）としてのＲＡＭ５５、およびプログラムにしたがって制御動作を行なうプロセッサであるＣＰＵ５６、および、Ｉ／Ｏポート５７を含む。遊技制御用マイクロコンピュータ１５６は、１チップマイクロコンピュータである。なお、１チップマイクロコンピュータは、ＣＰＵ５６の他に少なくともＲＡＭ５５が内蔵されていればよい。また、ＲＯＭ５４およびＩ／Ｏポート５７は、外付けであっても内蔵されていてもよい。
【００６６】
遊技制御用マイクロコンピュータ１５６においては、ＣＰＵ５６がＲＯＭ５４に格納されているプログラムにしたがって制御を実行する。したがって、以下に説明するような遊技制御用マイクロコンピュータ１５６が実行する（または、処理を行なう）ということは、具体的にはＣＰＵ５６がプログラムにしたがって制御を実行することである。このことは、主基板３１以外の他の基板に搭載されているマイクロコンピュータについても同様である。また、遊技制御手段は、ＣＰＵ５６を含む遊技制御用マイクロコンピュータ１５６で実現されている。
【００６７】
また、遊技制御用マイクロコンピュータ１５６は、クロック信号を発生させるクロック回路、システムリセット手段として機能するリセットコントローラ、乱数回路、および、ＣＰＵ５６に割込要求信号を送出するＣＴＣを内蔵する。
【００６８】
乱数回路は、特別図柄および飾り図柄の変動表示の表示結果により大当りとするか否かを判定するための判定用の乱数を発生するために用いられるハードウェア回路である。この乱数回路は、初期値（たとえば、０）と上限値（たとえば、６５５３５）とが設定された数値範囲内で、数値データを、設定された更新規則にしたがって更新させていき、ランダムなタイミングで発生する始動入賞時が数値データの読出（抽出）時であることに基づいて、読出される数値データが乱数値となる乱数発生機能を有する。
【００６９】
遊技制御用マイクロコンピュータ１５６は、第１始動口スイッチ１４ａまたは第２始動口スイッチ１４ｂへの始動入賞が生じたときに乱数回路から数値データを乱数値Ｒ１として読出し、その数値データに基づいて特定の表示結果としての大当り表示結果にするか否か、すなわち、大当りとするか否かを判定する。そして、大当りとすると判定したときに、遊技状態を遊技者にとって有利な特定遊技状態としての大当り遊技状態に移行させる。なお、乱数回路が発生させた乱数は、確変とするか否かを決定するための確変判定用乱数や、特別図柄の変動パターンを決定する変動パターン決定用乱数等、大当りとするか否かの判定以外の判定用乱数として用いてもよい。
【００７０】
乱数回路は、ユーザによる数値データの更新範囲の選択設定機能（初期値の選択設定機能、および、上限値の選択設定機能）、数値データの更新規則の選択設定機能、および、数値データの更新規則の選択切換え機能等の各種の機能を有する。このような機能により、乱数回路は、生成する乱数のランダム性を向上させることができる。
【００７１】
また、遊技制御用マイクロコンピュータ１５６は、乱数回路が更新する数値データの初期値を設定する機能を有しており、たとえば、ＲＯＭ５４等の所定の記憶領域に記憶された遊技制御用マイクロコンピュータ１５６のＩＤナンバ（遊技制御用マイクロコンピュータ１５６の各製品ごとに異なる数値で付与されたＩＤナンバ）を用いて所定の演算を行なって得られた数値データを、乱数回路が更新する数値データの初期値として設定する。これにより、乱数回路が発生する乱数のランダム性をより向上させることができる。また、初期値を設定するときに、ＩＤナンバを用いた所定の演算を行なうことにより、遊技制御用マイクロコンピュータ１５６のＩＤナンバを見ただけでは乱数の初期値を認識しにくくすることができる。そのため、無線信号を用いた取込み信号をパチンコ遊技機１に対して発生させる等の行為によって、大当り状態への移行条件を不正に成立させられてしまうことをより確実に防止することができ、セキュリティ性を向上させることができる。
【００７２】
クロック回路は、システムクロック信号をＣＰＵ５６に出力し、このシステムクロック信号を２の７乗（＝１２８）分周して生成した所定の周期の基準クロック信号ＣＬＫを、各乱数回路に出力する。リセットコントローラは、ローレベルの信号が一定期間入力されたとき、ＣＰＵ５６および各乱数回路に所定の初期化信号を出力して、遊技制御用マイクロコンピュータ１５６をシステムリセットする。
【００７３】
また、遊技制御用マイクロコンピュータ１５６は、発生可能な乱数の値の範囲が異なる２つの乱数回路を搭載する。第１の乱数回路は、１２ビットの疑似乱数を発生する乱数回路（以下、１２ビット乱数回路ともいう）である。１２ビット乱数回路は、１２ビットで発生できる範囲（すなわち、１から４０９５までの範囲）の値の乱数を発生する機能を備える。また、第２の乱数回路は、１６ビットの疑似乱数を発生する乱数回路（以下、１６ビット乱数回路ともいう）である。１６ビット乱数回路は、１６ビットで発生できる範囲（すなわち、１から６５５３５までの範囲）の値の乱数を発生する機能を備える。２つの乱数回路は、予め選択されたどちらか一方の回路が乱数の発生に用いられる。
【００７４】
なお、この実施の形態では、遊技制御用マイクロコンピュータ１５６が２つの乱数回路を内蔵する場合を説明するが、遊技制御用マイクロコンピュータ１５６は、１つの乱数回路を内蔵してもよく、３以上の乱数回路を内蔵してもよい。また、この実施の形態では、１２ビット乱数回路および１６ビット乱数回路を包括的に表現する場合、または、１２ビット乱数回路と１６ビット乱数回路とのうちいずれかを指す場合に、乱数回路という。
【００７５】
また、ＲＡＭ５５は、その一部または全部が電源基板９１０において作成されるバックアップ電源によってバックアップされている不揮発性記憶手段としてのバックアップＲＡＭである。すなわち、パチンコ遊技機１に対する電源電力の供給が停止したときである電源断時でも、所定期間（バックアップ電源としてのコンデンサが放電してバックアップ電源が電力供給不能になるまで）は、ＲＡＭ５５の一部または全部の内容は保存される。特に、少なくとも、遊技の制御状態に応じたデータ（特別図柄プロセスフラグ等）と未払出賞球数を示すデータとは、バックアップデータとして、ＲＡＭ５５に保存される。制御状態に応じたデータとは、停電等が生じた後に復旧した場合に、そのデータに基づいて、制御状態を停電等の発生前に復旧させるために必要なデータである。また、制御状態に応じたデータと未払出賞球数を示すデータとを、遊技の進行状態を示すデータと定義する。この実施の形態では、ＲＡＭ５５の全部の記憶領域が、電源バックアップされているとする。
【００７６】
遊技制御用マイクロコンピュータ１５６のリセット端子には、電源基板９１０からのリセット信号が入力される。また、払出制御用マイクロコンピュータのリセット端子にも、電源基板９１０からのリセット信号が入力される。なお、リセット信号がハイレベルになると遊技制御用マイクロコンピュータ１５６および払出制御用マイクロコンピュータは動作可能状態になり、リセット信号がローレベルになると遊技制御用マイクロコンピュータ１５６および払出制御用マイクロコンピュータは動作停止状態になる。したがって、リセット信号がハイレベルである期間は、遊技制御用マイクロコンピュータ１５６および払出制御用マイクロコンピュータの動作を許容する許容信号が出力されていることになり、リセット信号がローレベルである期間は、遊技制御用マイクロコンピュータ１５６および払出制御用マイクロコンピュータの動作を停止させる動作停止信号が出力されていることになる。なお、リセット回路をそれぞれの電気部品制御基板（主基板３１を含む）に搭載してもよいし、複数の電気部品制御基板のうち一つまたは複数にリセット回路を搭載し、そこからリセット信号を他の電気部品制御基板に供給するようにしてもよい。
【００７７】
さらに、払出制御基板３７を経由して、電源基板９１０からの電源電圧が所定値以下に低下したことを示す電源断信号が入力ドライバ回路５８に入力される。電源断信号は、入力ドライバ回路５８を介して、遊技制御用マイクロコンピュータ１５６の入力ポートに入力される。また、遊技制御用マイクロコンピュータ１５６の入力ポートには、ＲＡＭの内容をクリアすることを指示するためのクリアスイッチが操作されたことを示すクリア信号が入力ドライバ回路５８に入力される。クリア信号は、入力ドライバ回路５８を介して、遊技制御用マイクロコンピュータ１５６の入力ポートに入力される。
【００７８】
なお、本実施の形態では、電源断信号は払出制御基板３７を経由して主基板３１に入力されるようになっているが、払出制御基板３７を経由することなく入力ドライバ回路５８に直接入力されるようにしてもよい。
【００７９】
また、遊技制御用マイクロコンピュータ１５６は、払出制御基板３７を経由して、満タンスイッチ１９からの満タン信号が入力されたときに、前述した受皿ＬＥＤ２０２ａおよび受皿左右ＬＥＤ２０３ａ，２０３ｂを発光させる旨を示す演出制御コマンド、言い換えると、余剰球受皿４が満タン状態となったことに基づいて送信されるコマンドを演出制御基板８０に送信する。
【００８０】
また、遊技制御用マイクロコンピュータ１５６は、大当り遊技状態以外の状態においてカウントスイッチ２３により球が検出されたとき、すなわち、たとえば大当り遊技状態以外の状態において特別可変入賞球装置２０の開閉板が前述した不正器具等により遊技者にとって有利な開状態（第１の状態）とされてカウントスイッチ２３により球が検出されたときに、エラーが発生したとして、供給皿左ＬＥＤ２００ａ，供給皿右ＬＥＤ２００ｂおよび供給皿左右外ＬＥＤ２００ｃを発光させる旨を示す演出制御コマンドを演出制御基板８０に送信する。
【００８１】
また、遊技制御用マイクロコンピュータ１５６は、受皿ＬＥＤ２０２ａと、供給皿前ＬＥＤ２０１ａと、左発光部２８Ｌおよび右枠ＬＥＤ２８ｃとのそれぞれについて、遊技状態に応じた演出を行なうために所定の発光パターンで発光させる旨を示す演出制御コマンドを演出制御基板８０に送信する。これにより、演出制御基板８０が、受皿ＬＥＤ２０２ａと、供給皿前ＬＥＤ２０１ａと、左発光部２８Ｌおよび右枠ＬＥＤ２８ｃとのうち、受信した演出制御コマンドにより示されるＬＥＤを所定の発光パターンで発光させる制御を行なう。
【００８２】
また、クリア信号は、主基板３１において分岐され、払出制御基板３７にも供給される。なお、遊技制御用マイクロコンピュータ１５６が入力ポートを介して入力したクリア信号の状態を、出力ポートを介して払出制御基板３７に出力してもよい。
【００８３】
また、複数のスイッチのそれぞれは、入力ドライバ回路５８を介して、遊技制御用マイクロコンピュータ１５６の入力ポートに接続されている。これにより、遊技制御用マイクロコンピュータ１５６は、複数のスイッチのそれぞれから各スイッチの設定状態を示す設定検出信号を受ける。
【００８４】
また、遊技制御用マイクロコンピュータ１５６が搭載するシリアル出力回路７８は、シフトレジスタ等によって構成され、ＣＰＵ５６が出力する演出制御コマンドをシリアルデータに変換して、中継基板７７を介して演出制御基板８０に送信する。また、シリアル出力回路７８は、ＣＰＵ５６が出力する制御信号をシリアルデータに変換して、中継基板７７を介して特別図柄表示器８や特別図柄保留記憶表示器１８、普通図柄表示器１０、普通図柄保留記憶表示器４１に出力する。なお、特別図柄表示器８、特別図柄保留記憶表示器１８、普通図柄表示器１０および普通図柄保留記憶表示器４１には、シリアルデータをパラレルデータに変換するシリアル−パラレル変換ＩＣがそれぞれ設けられ、中継基板７７からの制御信号をパラレルデータに変換して、特別図柄表示器８や特別図柄保留記憶表示器１８、普通図柄表示器１０、普通図柄保留記憶表示器４１に供給される。
【００８５】
遊技制御用マイクロコンピュータ１５６は、演出制御基板８０に表示制御、音制御、および、ＬＥＤ制御を含む演出制御を指令するための制御信号としての演出制御コマンド（演出制御信号）を送信する。演出制御基板８０には、中継基板７７を介して遊技制御用マイクロコンピュータ１５６からの演出制御コマンドを受信し、変動表示装置９での表示制御を行なう演出制御用マイクロコンピュータ８１等の電気部品制御手段が搭載されている。
【００８６】
この実施の形態では、演出制御基板８０に搭載されている演出制御手段（演出制御用マイクロコンピュータで構成される。）が、中継基板７７を介して遊技制御用マイクロコンピュータ１５６からの演出制御コマンドをシリアルデータ方式として受信し、飾り図柄を可変表示する変動表示装置９の表示制御を行なう。
【００８７】
また、演出制御基板８０に搭載されている演出制御手段が、遊技盤６に設けられているステージＬＥＤ２５ｂの表示制御を行なうとともに、枠側に設けられている賞球ＬＥＤ５１、球切れＬＥＤ５２、天枠ＬＥＤ２８ａ、左枠ＬＥＤ２８ｂ、右枠ＬＥＤ２８ｃ、供給皿左右ＬＥＤ２００ａ，２００ｂ、供給皿左右外ＬＥＤ２００ｃ，供給皿前ＬＥＤ２０１ａ、受皿ＬＥＤ２０２ａ、受皿左右ＬＥＤ２０３ａ，２０３ｂ、方向ＬＥＤ５１２ａ〜５１２ｄの表示制御を行ない、スピーカ２７からの音出力の制御を行なう。
【００８８】
また、演出制御基板８０の演出制御用マイクロコンピュータ８１には、演出制御手段が出力する各ＬＥＤ５１、５２、２８ａ、２８ｂ、２８ｃ、２００ａ，２００ｂ、２００ｃ，２０１ａ、２０２ａ、２０３ａ，２０３ｂ、５１２ａ〜５１２ｄを表示制御するための制御信号をパラレルデータからシリアルデータに変換するシリアル出力回路２５３が搭載されている。また、演出制御基板８０の演出制御用マイクロコンピュータ８１には、入力したシリアルデータをパラレルデータに変換して演出制御手段に出力するシリアル入力回路２５４が搭載されている。したがって、演出制御手段は、シリアル出力回路２５３を介して制御信号をシリアルデータ方式として出力することによって、各ＬＥＤ５１、５２、２８ａ、２８ｂ、２８ｃ、２００ａ，２００ｂ、２００ｃ，２０１ａ、２０２ａ、２０３ａ，２０３ｂ、５１２ａ〜５１２ｄの表示制御を行なう。
【００８９】
また、遊技盤側には、シリアルデータをパラレルデータに変換するためのシリアル−パラレル変換ＩＣが搭載された盤側ＩＣ基板としての装飾基板９８、および、ステージ装飾基板９９が設けられている。装飾基板９８、および、ステージ装飾基板９９は、盤側ＩＣ基板９８，９９とも呼ばれる。盤側ＩＣ基板９８，９９は、中継基板８８を介して演出制御基板８０と接続される。また、前面枠１０１側には、シリアルデータをパラレルデータに変換するためのシリアル−パラレル変換ＩＣが搭載された各枠側ＩＣ基板としての中前板天基板４７３ａ、左前板天基板４７３ｂ、右前板天基板４７３ｃ（図１７（ｂ）参照）、上皿左サイド基板３１０Ｌ、上皿右サイド基板３１０Ｒ（図２６参照）、上皿前左反射板３３２Ｌ、上皿前右反射板３３２Ｒ（図２６参照）、受皿ＬＥＤ基板３５３、左幕板ＬＥＤ基板３４０Ｌ、右幕板ＬＥＤ基板３４０Ｒ（図３９参照）、および、ジョグ基板５０８（図３７参照）が設けられている。これらの基板は、各枠側ＩＣ基板４７３ａ、４７３ｂ、４７３ｃ、３１０Ｌ、３１０Ｒ、３３２Ｌ、３３２Ｒ、３５３、３４０Ｌ、３４０Ｒ、５０８とも呼ばれる。これら各枠側ＩＣ基板４７３ａ、４７３ｂ、４７３ｃ、３１０Ｌ、３１０Ｒ、３３２Ｌ、３３２Ｒ、３５３、３４０Ｌ、３４０Ｒ、５０８は、中継基板８８，８９を介して演出制御基板８０と接続される。
【００９０】
なお、図３に示すように、演出制御基板８０、中継基板８８および中継基板８９は、バス型に１系統の配線ルートで接続される。図４は、中継基板７７および演出制御基板８０の回路構成例を示すブロック図である。なお、図４に示す例では、演出制御に関して演出制御基板８０のみを設ける場合を示すが、ＬＥＤドライバ基板および音声出力基板を設けてもよい。この場合、ＬＥＤドライバ基板および音声出力基板には、マイクロコンピュータは搭載されていないが、マイクロコンピュータを搭載してもよい。
【００９１】
演出制御基板８０は、演出制御用ＣＰＵ８６、ＲＡＭ８５、シリアル出力回路２５３、シリアル入力回路２５４、クロック信号出力部２５６、および、入力取込信号出力部２５７を含む演出制御用マイクロコンピュータ８１を搭載している。なお、ＲＡＭは外付けであってもよい。演出制御基板８０において、演出制御用ＣＰＵ８６は、内蔵または外付けのＲＯＭ（図示せず）に格納されたプログラムにしたがって動作し、シリアル入力回路２６０および入力ポート２６１を介して演出制御コマンドを受信する。この場合、シリアル入力回路２６０は、シリアルデータ方式として受信した演出制御コマンドをパラレルデータに変換し出力する。また、演出制御用ＣＰＵ８６は、演出制御コマンドに基づいて、ＶＤＰ（ビデオディスプレイプロセッサ）２６２に変動表示装置９の表示制御を行なわせる。
【００９２】
この実施の形態では、演出制御用マイクロコンピュータ８１と共動して変動表示装置９の表示制御を行なうＶＤＰ２６２が演出制御基板８０に搭載されている。ＶＤＰ２６２は、演出制御用マイクロコンピュータ８１とは独立したアドレス空間を有し、そこにＶＲＡＭをマッピングする。ＶＲＡＭは、画像データを展開するためのバッファメモリである。そして、ＶＤＰ２６２は、ＶＲＡＭ内の画像データをフレームメモリを介して変動表示装置９に出力する。
【００９３】
演出制御用ＣＰＵ８６は、受信した演出制御コマンドにしたがってＣＧＲＯＭ（図示せず）から必要なデータを読み出すための指令をＶＤＰ２６２に出力する。ＣＧＲＯＭは、変動表示装置９に表示されるキャラクタ画像データや動画像データ、具体的には、人物、文字、図形や記号等（飾り図柄を含む）、および背景画像のデータを予め格納しておくためのＲＯＭである。ＶＤＰ２６２は、演出制御用ＣＰＵ８６の指令に応じて、ＣＧＲＯＭから画像データを読み出す。そして、ＶＤＰ２６２は、読み出した画像データに基づいて表示制御を実行する。
【００９４】
中継基板７７には、主基板３１から入力された信号を演出制御基板８０に向かう方向にしか通過させない（演出制御基板８０から中継基板７７への方向には信号を通過させない）信号方向規制手段としての単方向性回路７４が搭載されている。単方向性回路として、たとえばダイオードやトランジスタが使用される。図４には、ダイオードが例示されている。
【００９５】
さらに、演出制御用ＣＰＵ８６は、シリアル出力回路２５３を介してＬＥＤを駆動する信号を出力する。シリアル出力回路は、入力したＬＥＤを駆動する信号（パラレルデータ）をシリアルデータに変換して中継基板８８に出力する。また、演出制御用ＣＰＵ８６は、音声合成用ＩＣ１７３に対して音番号データを出力する。
【００９６】
また、クロック信号出力部２５６は、クロック信号を中継基板８８に出力する。クロック信号出力部２５６からのクロック信号は、中継基板８８，８９を介して各枠側ＩＣ基板４７３ａ、４７３ｂ、４７３ｃ、３１０Ｌ、３１０Ｒ、３３２Ｌ、３３２Ｒ、３５３、３４０Ｌ、３４０Ｒ、および、５０８のそれぞれに搭載されたシリアル−パラレル変換ＩＣや入力ＩＣに供給される。また、クロック信号出力部２５６からのクロック信号は、中継基板８８を介して盤側ＩＣ基板９８および９９のそれぞれに搭載されたシリアル−パラレル変換ＩＣや入力ＩＣに供給される。したがって、この実施の形態では、各シリアル−パラレル変換ＩＣおよび各入力ＩＣに共通のクロック信号が供給されることになる。
【００９７】
また、入力取込信号出力部２５７は、演出制御用ＣＰＵ８６の指示にしたがって、中継基板８８，８９を介して、枠側ＩＣ基板５０８に入力取込信号（ラッチ信号）を出力する。枠側ＩＣ基板５０８に搭載された入力ＩＣは、演出制御用マイクロコンピュータ８１からの入力取込信号を入力すると、ジョグスイッチ５１０ａ〜５１０ｄの検出信号をラッチし、シリアルデータ方式として中継基板８８，８９を介して演出制御用マイクロコンピュータ８１に出力する。
【００９８】
音声合成用ＩＣ１７３は、音番号データを入力すると、音番号データに応じた音声や効果音を発生し増幅回路１７５に出力する。増幅回路１７５は、音声合成用ＩＣ１７３の出力レベルを、ボリューム１７６で設定されている音量に応じたレベルに増幅した音声信号をスピーカ２７に出力する。音声データＲＯＭ１７４には、音番号データに応じた制御データが格納されている。音番号データに応じた制御データは、所定期間（たとえば飾り図柄の変動期間）における効果音または音声の出力態様を時系列的に示すデータの集まりである。
【００９９】
また、演出制御基板８０の演出制御用マイクロコンピュータ８１は、制御信号としてのシリアルデータとともに、クロック信号を中継基板８９に出力する。また、入力ＩＣに入力信号をラッチさせるための入力取込信号を中継基板８８に出力する。
【０１００】
中継基板８８は、演出制御用マイクロコンピュータ８１から入力したシリアルデータおよびクロック信号を、盤側ＩＣ基板９８，９９に搭載された各シリアル−パラレル変換ＩＣに供給する。そして、各シリアル−パラレル変換ＩＣは、入力したシリアルデータに付加されているアドレスが自分のアドレスに合致するか否かを確認し、合致していれば入力したシリアルデータをパラレルデータに変換して、遊技盤６に設けられた各ＬＥＤ２５ａ、２５ｂに供給する。
【０１０１】
また、中継基板８９は、バス型に１系統の配線ルートで中継基板８８と接続されており、各シリアル−パラレル変換ＩＣに接続されるシリアルデータ線およびクロック信号線は、盤側ＩＣ基板上でバス形式に接続されている。また、盤側ＩＣ基板に搭載された各シリアル−パラレル変換ＩＣには、それぞれ固有のＩＤがある。
【０１０２】
中継基板８９に入力されたシリアルデータおよびクロック信号は、各枠側ＩＣ基板４７３ａ、４７３ｂ、４７３ｃ、３１０Ｌ、３１０Ｒ、３３２Ｌ、３３２Ｒ、３５３、３４０Ｌ、３４０Ｒ、５０８に搭載された各シリアル−パラレル変換ＩＣに供給される。そして、各シリアル−パラレル変換ＩＣは、入力したシリアルデータに付加されているアドレスが自分のアドレスに合致するか否かを確認し、合致していれば入力したシリアルデータをパラレルデータに変換して、前面枠１０１に設けられた各ＬＥＤ５１、５２、２８ａ、２８ｂ、２８ｃ、２００ａ，２００ｂ、２００ｃ，２０１ａ、２０２ａ、２０３ａ，２０３ｂ、５１２ａ〜５１２ｄに供給する。
【０１０３】
また、各シリアル−パラレル変換ＩＣに接続されるシリアルデータ線およびクロック信号線は、各枠側ＩＣ基板上でバス形式に接続されている。また、シリアル−パラレル変換ＩＣに接続されるシリアルデータ線およびクロック信号線は、中継基板８９から直接接続される。また、各枠側ＩＣ基板に搭載された各シリアル−パラレル変換ＩＣにはそれぞれ固有のＩＤがある。
【０１０４】
また、枠側ＩＣ基板５０８には、前面枠１０１に設けられたジョグスイッチ５１０ａ〜５１０ｄの検出信号を入力する入力ＩＣが搭載されている。この実施の形態では、枠側ＩＣ基板５０８に搭載された入力ＩＣと演出制御用マイクロコンピュータ８１とは、中継基板８８，８９を介して入力信号線、クロック信号線および入力取込信号線が接続されており、演出制御用マイクロコンピュータ８１は、所定のタイミングで、入力取込信号を中継基板８８，８９を介して入力ＩＣに出力する。この場合、演出制御用マイクロコンピュータ８１は、入力ＩＣに入力取込信号を出力するタイミングとは異なるタイミングで、入力取込信号を入力ＩＣに出力する。すると、入力ＩＣは、入力取込信号（ラッチ信号）に基づいてジョグスイッチ５１０ａ〜５１０ｄからの検出信号をラッチし、中継基板８８，８９を介して演出制御用マイクロコンピュータ８１に出力する。この場合、入力ＩＣは、ジョグスイッチ５１０ａ〜５１０ｄからパラレルに入力した検出信号をシリアルデータに変換して出力する。
【０１０５】
なお、演出制御用マイクロコンピュータ８１は、入力ＩＣに入力取込信号を出力するタイミングとは異なるタイミングで、入力取込信号を入力ＩＣに出力しているが、入力ＩＣに入力取込信号を出力するタイミングと同じタイミングで、入力取込信号を入力ＩＣに出力してもよい。
【０１０６】
盤側ＩＣ基板８８，８９に搭載されたシリアル−パラレル変換ＩＣと各枠側ＩＣ基板４７３ａ、４７３ｂ、４７３ｃ、３１０Ｌ、３１０Ｒ、３３２Ｌ、３３２Ｒ、３５３、３４０Ｌ、３４０Ｒ、５０８に搭載されたシリアル−パラレル変換ＩＣとは、１系統の配線を介して接続されている。１系統の配線を介して接続とは、具体的には、各中継基板８８，８９がバス型に接続されているとともに、各シリアル−パラレル変換ＩＣがバス型またはデイジーチェーン型に接続されていることである。なお、この実施の形態では、各シリアル−パラレル変換ＩＣはバス型に接続されている。このように、この実施の形態では、盤側ＩＣ基板に搭載された各シリアル−パラレル変換ＩＣと、各枠側ＩＣ基板に搭載された各シリアル−パラレルＩＣとが、中継基板８８，８９を介してコネクタを用いて１系統の配線を介して接続されている。そのため、コネクタの着脱を行なうだけで前面枠１０１と遊技盤６との配線作業を行なうことができ、前面枠１０１と遊技盤６との着脱作業をさらに容易に行なえるようにすることができる。
【０１０７】
また、この実施の形態によれば、盤側ＩＣ基板に搭載されたシリアル−パラレル変換ＩＣ、枠側ＩＣ基板に搭載されたシリアル−パラレル変換ＩＣおよび入力ＩＣに、演出制御用マイクロコンピュータ８１から共通のクロック信号を入力する。そのため、シリアル−パラレル変換ＩＣへのクロック信号の配線と入力ＩＣへのクロック信号の配線とを共通化することができ、演出制御手段と盤側ＩＣ基板との間の通信、および演出制御手段と枠側ＩＣ基板との間の通信を、それぞれ１チャネルを用いて実現することができ、配線数を低減することができる。また、盤側ＩＣ基板に搭載されたシリアル−パラレル変換ＩＣ、枠側ＩＣ基板に搭載されたシリアル−パラレル変換ＩＣ、および入力ＩＣを容易に同期させることができ、クロック信号用の配線数も低減することができる。
【０１０８】
この実施の形態では、各シリアル−パラレル変換ＩＣには、予めアドレスが付与されており、演出制御用マイクロコンピュータ８１は、シリアルデータに変換した制御信号を出力する際に、シリアルデータにアドレスを付加して出力する。なお、制御信号は、固定長（コマンドのバイト数（たとえば２バイトや３バイトのコマンド））のコマンドで構成され、アドレスに対応するビットを異ならせている。各ＩＣ基板に搭載されたシリアル−パラレル変換ＩＣは、シリアルデータを入力すると、入力したシリアルデータに付加されているアドレスが自分のアドレスに合致するか否かを確認し、合致していればパラレルデータに変換して各ＬＥＤに供給する（すなわち、出力する）。アドレスが合致していなければ各ＬＥＤへの供給は行なわない。
【０１０９】
演出制御用マイクロコンピュータ８１は、満タンスイッチ１９からの満タン信号が入力されたことに基づいて、遊技制御用マイクロコンピュータ１５６から出力される受皿ＬＥＤ２０２ａ、受皿左ＬＥＤ２０３ａおよび受皿右ＬＥＤ２０３ｂを点滅（発光）させる旨を示す演出制御コマンドを受信したことに基づいて、前面枠１０１側に設けられた受皿ＬＥＤ２０２ａ、受皿左ＬＥＤ２０３ａおよび受皿右ＬＥＤ２０３ｂを制御するための制御信号を出力する。たとえば、受皿ＬＥＤ２０２ａを制御するための制御信号を出力するときには、枠側シリアル−パラレル変換回路（受皿ＬＥＤ２０２ａに信号を出力する枠側シリアル−パラレル変換回路）を特定可能なアドレス情報を付加した制御信号をシリアル出力回路２５３からシリアル信号方式で出力し、受皿ＬＥＤ２０２ａを点滅（発光）させる満タン報知制御を行なう。受皿左ＬＥＤ２０３ａおよび受皿右ＬＥＤ２０３ｂのそれぞれについても、同様のシリアル信号方式で制御信号が出力される。このような満タン報知制御は、パチンコ遊技機１の異常状態を報知する異常報知制御のうちの１つの制御であり、演出制御用マイクロコンピュータ８１において、制御用のプログラムのうち、満タン報知制御用のプログラムが実行されることに基づいて行なわれる。
【０１１０】
また、演出制御用マイクロコンピュータ８１は、大当り遊技状態以外の状態においてカウントスイッチ２３から球検出信号が入力されたときに遊技制御用マイクロコンピュータ１５６から出力される供給皿左ＬＥＤ２００ａ、供給皿右ＬＥＤ２００ｂ、および、供給皿左右外ＬＥＤ２００ｃを点滅（発光）させる旨を示す演出制御コマンドを受信したことに基づいて、供給皿左ＬＥＤ２００ａ、供給皿右ＬＥＤ２００ｂ、および、供給皿左右外ＬＥＤ２００ｃを点滅（発光）させるための制御信号を出力し、供給皿左ＬＥＤ２００ａ，供給皿右ＬＥＤ２００ｂ、および、供給皿左右外ＬＥＤ２００ｃを点滅（発光）させる入賞異常報知制御を行なう。入賞異常報知制御は、パチンコ遊技機１の異常状態を報知する異常報知制御のうちの１つの制御であり、演出制御用マイクロコンピュータ８１において、制御用のプログラムのうち、入賞異常報知制御用のプログラムが実行されることに基づいて行なわれる。たとえば、演出制御用マイクロコンピュータ８１が前面枠１０１側に設けられた供給皿左ＬＥＤ２００ａ，供給皿右ＬＥＤ２００ｂを制御するための制御信号を出力する制御を行なうときには、枠側シリアル−パラレル変換回路（供給皿左ＬＥＤ２００ａと供給皿右ＬＥＤ２００ｂとに信号を出力する枠側シリアル−パラレル変換回路）を特定可能なアドレス情報を付加した制御信号をシリアル出力回路２５３からシリアル信号方式で出力する。供給皿左右外ＬＥＤ２００ｃについても、同様のシリアル信号方式で制御信号が出力される。
【０１１１】
〔パチンコ遊技機の全体構成（前面側）〕
次に、パチンコ遊技機１の全体構成（前面側）を説明する。図５は、パチンコ遊技機１の開放した状態を示す斜視図であり、図６は、前面枠１０１および機構板１０５を斜め背面側から見た状態を示す斜視図である。
【０１１２】
パチンコ遊技機１は、図５および図６に示されるように、複数のパチンコ遊技機１を並設可能な図示しない遊技機設置島に固設される縦長の方形状をなす外枠１００と、外枠１００の一側を中心に開閉可能に取付けられた前面枠１０１と、前面枠１０１の一側を中心に開閉可能に取付けられ、前面枠１０１の背面側に配置される機構板１０５と、から主に構成されている。これらのうち外枠１００は木材により構成され、前面枠１０１および機構板１０５は合成樹脂財により構成されている。
【０１１３】
前面枠１０１の前面には、ガラス扉枠１０２およびその下方に配置される上皿扉枠１０３が一側を中心にそれぞれ開閉可能に設けられている。上皿扉枠１０３の下方には、下皿枠１０４が取付けられている。ガラス扉枠１０２の中央には、閉状態において遊技盤６の表面に形成された遊技領域７の前方を被覆するとともに、該遊技領域７を遊技者側から透視可能とする略円形の透視窓１１０が設けられている。透視窓１１０の上部左右側には、前面枠１０１の上部左右側に配設されるスピーカ２７，２７から出力される音を放音するための放音穴１１１が形成されている。
【０１１４】
上皿扉枠１０３は、前面に前述した打球供給皿３が取付けられているとともに、ガラス扉枠１０２を開放することにより開放可能となるように構成されている。打球供給皿３の上流側端部には、背面側の機構板１０５に設けられた球払出装置９７から払出される賞球を受入れ可能とする払出口１１２が形成されているとともに、打球供給皿３に待機（貯留）している待機球を前面枠１０１の背面に形成された後述する余剰球誘導通路に流出させて余剰球受皿４に返却するための球抜き口１１３が内部に形成されている。また、打球供給皿３の下流側端部には、打球供給皿３に待機している待機球を、打球発射装置９１により打出される発射位置に誘導する待機球誘導口１１９が形成されている。なお、打球供給皿３の内部構造については後述する。
【０１１５】
下皿枠１０４は、前面枠１０１の前面下部に取付けられており、その前面には、余剰球受皿４および打球操作ハンドル５が取付けられている。また、余剰球受皿４の配設位置には、後述する余剰球誘導通路を流下してきた遊技球が返却される返却口１２０が形成されている。なお、余剰球受皿４の内部構造については後述する。
【０１１６】
前面枠１０１は、前述した遊技盤６を背面側から取付け保持可能に構成されているとともに、該遊技盤６の前面に形成された遊技領域７を前面側から視認可能とするための略円形の遊技用開口１１４が略中央に形成されている。遊技用開口１１４の上部左右側には、スピーカ２７を有するスピーカユニット２７ａを前面側から嵌合することにより取付け可能なスピーカ取付穴１１５が形成されている。スピーカユニット２７ａは、スピーカ２７本体と、該スピーカ本体を被覆するカバー体とが一体化されてなるものである。スピーカユニット２７ａは、スピーカ取付穴１１５に取付けられた状態において、その後部が前面枠１０１の背面側に突出した状態で取付けられる（図１０参照）。また、機構板１０５の上部における前述したスピーカ取付穴１１５との対向位置には、スピーカ取付穴１１５に取付けられるスピーカユニット２７ａの背面部を収容可能なスピーカ収容凹部１１５ａが、背面側に向けて膨出するように形成されている。
【０１１７】
スピーカユニット２７ａは、箱形状であって、遊技用開口１１４に沿って湾曲した辺を有する。スピーカ取付穴１１５は、前面枠１０１の枠部分と、遊技用開口１１４との間に形成されている。スピーカ取付穴１１５には、一部に底面部があり、その底面部にスピーカユニット２７ａの一部を当接させることにより、スピーカユニット２７ａの取付け位置の位置決めが行なわれる。なお、スピーカ取付穴１１５とスピーカユニット２７ａとの間には、隙間が生じるように構成してもよい。また、スピーカ取付穴１１５とスピーカ収容凹部１１５ａとの間には、隙間が生じるように構成してもよい。このように構成した場合には、隙間に空気層が形成されるので、スピーカユニット２７ａから出力される音に変化を生じさせることができる。
【０１１８】
上皿扉枠１０３の閉状態において前記払出口１１２に対向する箇所には、該払出口１１２に連通する払出連通口１１２ａが形成されている。また、払出連通口１１２ａの下方には、上皿扉枠１０３が開放されたときに払出口１１２から賞球を回収して余剰球誘導通路１３０に流出させて余剰球受皿４に返却するための賞球返却通路４０７ａ（図１４参照）に連通する賞球返却口１１３ａが形成されている。また、賞球返却口１１３ａの近傍には、後述するファール球を前面枠１０１の背面側に形成される余剰球誘導通路１３０に流出させるためのファール球口１１６が形成されている。また、ファール球口１１６のさらに側方には、打球供給皿３から球抜き口１１３を介して流出された待機球を前面枠１０１の背面側に形成される余剰球誘導通路１３０に流出させるための球抜き連通口１０６が形成されている。
【０１１９】
前面枠１０１の前面における遊技用開口１１４の下方には、打球発射装置９１により打出される遊技球（打球）を遊技領域７に向けて誘導する打球誘導レール１１７（図１参照）が設けられる。また、打球誘導レール１１７の途中には、打球発射装置９１により打出されたものの遊技領域７に到達することなく戻ってきたファール球を前述したファール球口１１６に誘導して回収するファール球誘導通路１１８が形成されており、該ファール球は、ファール球口１１６を介して背面側の余剰球誘導通路１３０に流出された後、余剰球受皿４に返却されるようになっている。また、このファール球誘導通路１１８近傍には、打球供給皿３から球抜き口１１３を介して流出された待機球を球抜き連通口１０６に誘導する球抜き誘導通路（図示省略）が形成されており、これらファール球および待機球はファール球口１１６および球抜き連通口１０６に連通する誘導通路を介して余剰球誘導通路１３０に流出される。
【０１２０】
〔パチンコ遊技機の全体構成（背面側）〕
次に、パチンコ遊技機１の全体構成（背面側）を図７〜図９に基づいて説明する。図７は、前面枠を示す背面図であり、図８は、余剰球誘導通路の構造を示す要部拡大斜視図であり、図９は、図７のＡ−Ａ断面図である。
【０１２１】
前面枠１０１の裏面下部には、図７〜図９に示されるように、第２払出球誘導通路１３１ｂと、余剰球誘導通路１３０と、アウト球誘導通路１３２とが形成されている。第２払出球誘導通路１３１ｂは、第２払出球誘導通路１３１ｂは、機構板１０５側に設けられる球払出装置９７から払出された遊技球を払出連通口１１２ａに向けて誘導する第１払出球誘導通路１３１ａに接続される通路である。余剰球誘導通路１３０は、上方の払出連通口１１２ａと下方の返却連通口１２０ａとを連通する通路である。アウト球誘導通路１３２は、アウト口２６に流入したアウト球を機構板１０５側に形成された後述する合流通路１６３に向けて誘導する通路である。
【０１２２】
第２払出球誘導通路１３１ｂの上流側端部は、払出連通口１１２ａの上方位置において第１払出球誘導通路１３１ａの連通口１３１ｃに接続され、該第１払出球誘導通路１３１ａを流下してきた払出球が流入されるようになっている。流入した払出球は、後述するバックプレート１３５に取付けられた傾斜板１３３上に落下し、該傾斜板１３３により前方の払出連通口１１２ａに向けて誘導されるようになっている。また、この第２払出球誘導通路１３１ｂの下流側は、払出連通口１１２ａの下端縁から背面側に向けて突設されるとともに、前記傾斜板１３３が上面に載置される傾斜板保持片１３３ａの側方に形成されており、余剰球誘導通路１３０の上流側端部と連通している。
【０１２３】
したがって、打球供給皿３が満杯になって払出連通口１１２ａを介して傾斜板１３３上まで球が詰まってきた場合、第２払出球誘導通路１３１ｂから傾斜板１３３上に誘導落下された払出球は、傾斜板１３３から側方に溢れて余剰球誘導通路１３０内に流入することになる。すなわち、打球供給皿３から溢れた余剰球は、余剰球誘導通路１３０内に流入して返却連通口１２０ａに誘導されるようになっている。
【０１２４】
余剰球誘導通路１３０は、前面枠１０１の裏面から背面側に向けて突設された水平な樋板１３４（図８、図９参照）により底面が形成されている。また、前側面は前面枠１０１の前面板１０１ａにより形成されているとともに、背側面は合成樹脂材からなるバックプレート１３５および流し部材１３６の背面板（図６、図９参照）により形成されており、払出連通口１１２ａ側から返却連通口１２０ａ側に向けて下方に傾斜するように、左右方向に延設されている。このように余剰球誘導通路１３０は、底面および前後側面が被覆されている。
【０１２５】
バックプレート１３５は、図６に示されるように、第２払出球誘導通路１３１ｂ、余剰球誘導通路１３０、および、アウト球誘導通路１３２の背側面を被覆可能な横長板状に形成されている。バックプレート１３５は、その周縁の複数箇所に取付けられる複数のバックプレート取付ネジＮ１，Ｎ２により前面枠１０１の背面下部に取付けられるようになっている。
【０１２６】
バックプレート１３５の上辺には、遊技盤６下部に形成されたアウト口２６の背面を被覆するアウト口被覆部材（図示省略）との干渉を回避するための切り欠き１３７が形成されている。また、アウト球誘導通路１３２の下流側端部との対向位置にはアウト球連通口１３８が形成されているとともに、第１払出球誘導通路１３１ａの連通口１３１ｃとの対向位置には連通口１３１ｄが形成されている。
【０１２７】
また、バックプレート１３５の前面には、前述した傾斜板１３３の後端が傾斜板保持片１３３ａとの対向位置に取付けられているとともに、アウト球誘導通路１３２の底面を構成する樋板１３９（図９参照）の背面側の端部と該バックプレート１３５の前面との間に形成される隙間を塞ぐための突片１４０（図９参照）が、樋板１３９に沿って突設されている。
【０１２８】
なお、このような突片は、図示はしないが、特に余剰球誘導通路１３０の上方に形成される樋板、すなわち、余剰球誘導通路１３０の上方を閉塞している前面枠１０１の背面に突設された板部材の背面側端部とバックプレート１３５の前面との間に設けられることが好ましい。つまり、余剰球誘導通路１３０の上方は、アウト球誘導通路１３２の底面を構成する樋板１３９を含む前面枠１０１の背面から略水平に突設される複数の板部材により閉塞され、これら板部材によりアウト口２６との連通が遮断されているため、これら板部材の背面側端部とバックプレート１３５の前面との間に隙間を突片により閉塞することで、余剰球誘導通路１３０内に進入されたセル板等の不正器具を前記隙間から余剰球誘導通路１３０の外部に延出してアウト口２６にアプローチさせることが困難となる。
【０１２９】
また、余剰球誘導通路１３０の上方には、該余剰球誘導通路１３０と同様に前面枠１０１の背面に形成されたアウト球誘導通路１３２が形成され、これら通路は互いに垂直方向を向く前面枠１０１の背面に沿って上下に配設されているとともに、互いの通路の背面が１枚のバックプレート１３５により被覆されることで互いに非連通状態とされているため、返却口１２０からアウト口２６に連通するアウト球誘導通路１３２への不正器具の挿通が困難となっている。
【０１３０】
また、アウト口２６と返却口１２０とは、パチンコ遊技機１の左右方向の略中央位置に互いに上下に配設されているが、返却口１２０から上流側、すなわち、払出口１１２側に向けて延設される余剰球誘導通路１３０は、返却口１２０の背面奥方において、その上方に配設されたアウト球誘導通路１３２を避けるように、パチンコ遊技機１を正面から見て左斜め上方（背面から見て右斜め上方）に向けて屈曲形成されていることで、パチンコ遊技機１の前面側から返却口１２０を介して余剰球誘導通路１３０内に挿通した不正器具をそのまま押し込んだときにバックプレート１３５に当ってしまい、さらに奥方まで差し込むためには左側に屈曲させなければならないため、不正器具を挿入し難くなっている。
【０１３１】
また、バックプレート１３５は複数のバックプレート取付ネジＮ１，Ｎ２により前面枠１０１の背面下部に取付けられるため、余剰球誘導通路１３０やアウト球誘導通路１３２内で球詰まりが発生した場合でもバックプレート１３５を取り外すことで球詰まりを解消することができる。
【０１３２】
流し部材１３６は、返却連通口１２０ａの背面を被覆するとともに、上面に形成された受入れ口１３６ａを介して受入れた余剰球を、返却連通口１２０ａ側に向けて誘導可能な前面および上面が開口する箱状に形成された部材である。そして、その周縁に取付けられる複数の流し部材取付ネジＮ３により前面枠１０１の背面下部に取付けられるようになっている。
【０１３３】
また、受入れ口１３６ａの後縁辺からは取付片１３６ｂ（図６参照）が上向きに立設されており、該取付片１３６ｂの背面にはバックプレート１３５の下部が当接されるようになっている（図９参照）。このように流し部材１３６の背面側にバックプレート１３５を配置した状態において、バックプレート１３５の背面下部側から取付けたバックプレート取付ネジＮ２を取付片１３６ｂの両端に挿通して前面枠１０１の裏面に形成されたネジ孔に螺入するようになっている。つまり、流し部材１３６の取付片１３６ｂの背面とバックプレート１３５の下部とが重合した状態で取付けられることで、バックプレート１３５が背面側に向けて押圧されても取付片１３６ｂとの間に隙間が形成されにくくなっている。
【０１３４】
また、余剰球誘導通路１３０の背面を被覆するバックプレート１３５は、背面に配置される機構板１０５が図示しない係止部材等を介して前面枠１０１に係止されることで、該機構板１０５の前面により前面枠１０１側に向けて押圧されるようになっているため（図９参照）、余剰球誘導通路１３０に挿入されたセル板等によりバックプレート１３５が背面側に向けて押圧されても、樋板１３９の背面側端部との間に隙間が形成されにくい。
【０１３５】
余剰球誘導通路１３０は、図７および図８に示されるように、通路途中に上下方向に屈曲する段部１４１が形成されている。段部１４１には、満タンスイッチ１９が設けられている。詳しくは、樋板１３４の一部が段部１４１において切り欠かれており、該切欠部には、満タンスイッチ１９を押圧可能なスイッチ片１９ａが、前面枠１０１に枢支された上端を中心に揺動自在に設けられている。スイッチ片１９ａは、通常時においてその一部が通路内に突出する突出位置に保持されている。余剰球受皿４の球が満タン状態（満杯状態）となって満タンスイッチ１９の下流側に余剰球が詰まって滞留し、その球によりスイッチ片１９ａが押圧されて満タンスイッチ１９がｏｎ状態となった場合には、球払出装置９７の駆動を停止して賞球および貸球の払出動作を不能動化する制御が行なわれる。満タンスイッチ１９を段部１４１に設けることにより次のような効果を得ることができる。不正行為者により、パチンコ遊技機１の前面側から返却口１２０を介して余剰球誘導通路１３０内にピアノ線等の線状部材が内部に挿入された場合に、当該線状部材が段部１４１に当って曲がり、その曲がった線状部材が上方へ反ってスイッチ片１９ａに接触し、満タンスイッチ１９により満タン状態が誤検出される。これにより、異常状態となった旨が報知されるので、満タンスイッチ１９によって、不正行為による異常状態を検出することができる。
【０１３６】
このように余剰球誘導通路１３０が前面枠１０１側に形成されているため、満タンスイッチ１９も前面枠１０１に取付けられている。また、余剰球誘導通路１３０における段部１４１の近傍には、前述した賞球返却口１１３ａおよびファール球口１１６が形成されており、ファール球および返却賞球が、該余剰球誘導通路１３０を介して余剰球受皿４に返却されるようになっている。返却連通口１２０ａの上方には球抜き連通口１０６が形成されており、打球供給皿３から流出された待機球が球抜き連通口１０６を経て余剰球受皿４に返却されるようになっている。
【０１３７】
アウト球誘導通路１３２は、段部１４１よりも下流側の余剰球誘導通路１３０の上方位置において払出連通口１１２ａ側に向けて延設されており、前面枠１０１の裏面から背面側に向けて突設された水平な樋板１３９（図８、図９参照）により底面が形成されている。また、アウト球誘導通路１３２については、前側面が前面枠１０１の前面板１０１ａにより形成されているとともに、背側面がバックプレート１３５（図６、図９参照）により形成されている。
【０１３８】
そして、アウト口２６から流下してきたアウト球は、下流側端部において背面側に誘導され、バックプレート１３５に形成されたアウト球連通口１３８を介して機構板１０５側に流出されるようになっている。
【０１３９】
次に、機構板１０５の構造について説明すると、図２および図６に示されるように、機構板１０５の上部には球タンク３８が設けられ、図示しない遊技機設置島の供給樋より導出された供給管（図示省略）より遊技球が球タンク３８に供給されるようになっている。また、球タンク３８内に貯留された遊技球は、供給球誘導通路１６０を流下して払出装置９７に供給されるようになっている。
【０１４０】
また、供給球誘導通路１６０の経路中には球切れスイッチ１９７が設けられており、この球切れスイッチ１９７により払出装置９７での１回の球貸球数である２５球の遊技球が通路内に準備されているか否かが検出されるようになっている。
【０１４１】
この払出装置９７には、球切り用のスプロケット（図示省略）が設けられており、これらスプロケットが駆動回転されることで遊技球が１球ずつ下方に排出されるようになっている。また、スプロケットが同期回転することで交互に遊技球が排出される。なお、これら排出された遊技球は、図示しない賞球用カウントスイッチによって検出された後、前述した第１払出球誘導通路１３１ａを流下し、前面枠１０１側の第２払出球誘導通路１３１ｂ内に流出して打球供給皿３に供給されるようになっている。
【０１４２】
また、供給球誘導通路１６０における球払出装置９７の配置位置の上流側には、球タンク３８および供給球誘導通路１６０内の遊技球を排出するための球抜き通路１６１の上端が接続されており、球抜き弁７１０を球抜きレバー７３０（図４４参照）を操作することにより、球タンク３８および供給球誘導通路１６０内の遊技球を外部に排出することができるようになっている。
【０１４３】
球抜き通路１６１は、機構板１０５の前面におけるアウト球連通口１３８との対向位置に形成された合流口１６２まで延設されている。また、合流口１６２からは、合流通路１６３が下方に向けて延設されている。つまり、アウト球誘導通路１３２を流下してくるアウト球および後述する入賞球は、アウト球連通口１３８および合流口１６２を介して合流通路１６３内に流入し、機構板１０５の下面から機構板１０５外部に排出されるようになっている。なお、機構板１０５外部に排出された遊技球は、図示しない遊技機設置島に設けられるアウト球タンク内に落下し、計数された後に遊技機設置島内に貯留される。
【０１４４】
また、機構板１０５の下部前面側には、前述した遊技領域７において各種入賞口１５，２０，２９，３０，３３，３９に入賞した入賞球を回収する入賞球回収路１６４が設けられている。各種入賞口１５，２０，２９，３０，３３，３９に入賞した入賞球は、遊技盤６を通して背面側に流出された後、図７に示されるように、遊技盤６の背面を覆うように形成された入賞球誘導カバー体１７０（図９参照）により収集されるようになっている。収集された入賞球は、図９に示されるように、入賞球誘導カバー体１７０の下面に形成された流出口１７１を介して下方に流出された後、該流出口１７１の鉛直下方に配置される入賞球回収路１６４の上面開口から入賞球回収路１６４内に落下される。
【０１４５】
入賞球回収路１６４内に落下した入賞球は、その下部に形成された連通路１６５を介して前面枠１０１側のアウト球誘導通路１３２の上流部に流出されるようになっている。つまり、回収された入賞球は、アウト球誘導通路１３２から再び機構板１０５側の合流通路１６３に流出されるため、機構板１０５を介して外部に排出されることになる。
【０１４６】
このように機構板１０５には、第１払出球誘導通路１３１ａ，供給球誘導通路１６０，球抜き通路１６１，合流通路１６３，入賞球回収路１６４等の余剰球誘導通路１３０を除く各種球通路が形成されている。
【０１４７】
以上説明したように、本実施の形態のパチンコ遊技機１にあっては、余剰球誘導通路１３０を、打球供給皿３から溢れた余剰球が機構板１０５を介することなく余剰球受皿４に誘導されるように前面枠１０１の背面に形成し、該前面枠１０１の背面における余剰球誘導通路１３０近傍に満タンスイッチ１９を設けている。これにより、従来のように、余剰球誘導通路１３０の一部に機構板１０５側に形成した通路との連通部等が形成されることがないので、余剰球受皿４から不正器具等を進入させても、該不正器具を余剰球誘導通路１３０の外部に突出させることが困難となる。したがって、不正器具を前面枠１０１の背面とその背面側に配置される機構板１０５の前面との間からアウト口２６を介して遊技領域７内の特別可変入賞球装置２０の開閉板等を強制的に開放させて球を不正に入賞させるといった不正行為を効果的に防止することができる。
【０１４８】
また、余剰球誘導通路１３０が前面枠１０１から機構板１０５にわたり形成されることがない。つまり通路内における前面枠１０１と機構板１０５との連通部に段部等が形成されることがないので、球詰まりの発生等が防止される。
【０１４９】
〔球タンクおよびスピーカの取付け構造〕
次に、球タンク３８およびスピーカ２７の取付構造を図１０および図１１に基づいて説明する。図１０は、機構板が組み付けられた前面枠の上部を背面側から見た状態を示す要部斜視図であり、図１１は、図１０のＢ−Ｂ断面図である。
【０１５０】
前面枠１０１の背面上部左右側には、前述したスピーカ取付穴１１５，１１５が内部に形成される前面が開口する膨出部１２１，１２１が、背面側に向けて膨出するように形成されている。該膨出部１２１の背面側には、後述する垂直面１２２が形成されており、該スピーカ取付穴１１５，１１５内に前面側から嵌合されるスピーカユニット２７ａの後面の一部が該垂直面１２２の前面側にて当接規制される。また、該垂直面１２２の側方には開口１２３（図１１、図１５参照）が形成されており、スピーカ取付穴１１５が背面側に開放されるようになっており、スピーカユニット２７ａの後部の一部が該開口１２３を介して垂直面１２２よりも背面側に向けて突出されるようになっている（図１１参照）。
【０１５１】
膨出部１２１の内面上部には、スピーカユニット２７ａの上面に形成された上下方向を向く位置決め溝２７ｂに嵌合可能な位置決め片２７ｃ（図１４参照）が突設されており、スピーカ取付穴１１５内でのスピーカユニット２７ａのガタツキが防止されるようになっている。
【０１５２】
球タンク３８は、図１０および図１１に示されるように、機構板１０５の背面上部、詳しくは後述する上辺部７００ａ（図４４参照）の背面側に凹設された球タンク取付部７２０に背面側からネジにより取付けられる。球タンク３８は、上面が開口する所定深さを有する平面視略長方形状の箱体からなり、図１１に示されるように、平面視で略横長長方形状に形成されているとともに、前面枠１０１と対向する前側板３８ｂの右側角部（図中向かって左側角部）には、前方および側方に開放する切欠凹部３８ａが内向きに凹むように形成されている。また、底面側方には、供給球誘導通路１６０を構成するタンクレール７２２に連通する流出口３８ｃが形成されており、底面は該流出口３８ｃに向けて下方に傾斜するように配置されている。
【０１５３】
一方、機構板１０５の球タンク取付部７２０における右側角部には、球タンク３８と同様の機構板切欠凹部７２０ａが内向きに凹むように形成されている。この機構板切欠凹部７２０ａにおける前側面は垂直面１２２および内側面１２４に当接し、後側面は切欠凹部３８ａの前側面（外面）が当接するようになっている。
【０１５４】
このように、球タンク３８における前面枠１０１の背面と対向する前側板３８ｂの角部に形成した切欠凹部３８ａ内に右側のスピーカユニット２７ａの一部を収容するように配設することができる。すなわち、球タンク３８の前側板３８ｂにおける切欠凹部３８ａの形成箇所以外の部分が、左右に配設されるスピーカユニット２７ａの背面よりも前方に配置されるため、スピーカ２７が大型化されてスピーカユニット２７ａの前後幅が長寸となり、球タンク３８の側部と干渉する虞がある場合でも、球の貯留量を低減することなく、かつ、前面枠１０１の裏面側に大きく張出すことなく球タンク３８を配設することができ、これにより遊技機設置島（図示省略）内に設けられる各種装置との干渉等を回避することができる。
【０１５５】
また、スピーカユニット２７ａ，２７ａが前面枠１０１の左右側に離間配置されている場合において、該スピーカユニット２７ａ，２７ａの配設位置と同高さ位置に配設することができるとともに、左右のスピーカユニット２７ａ，２７ａの間のスペースを利用して球の貯留スペースを効率的に形成できるばかりか、左右方向の幅寸法を全体的に短寸とすることなく、スピーカユニット２７ａ，２７ａの背面側にも貯留スペースを形成することができるため、球の貯留量が著しく低減されることがない。
【０１５６】
つまり、球タンク３８は、前側板３８ｂの角部に切欠凹部３８ａが形成されていることで、球の貯留領域は、左右のスピーカユニット２７ａ，２７ａ間に形成される前後幅Ｌ１の第１の貯留領域と、切欠凹部３８ａの背面側に形成されるＬ１よりも短寸の前後幅Ｌ２を有する第２の貯留領域と、から構成されている。
【０１５７】
また、球タンク３８の切欠凹部３８ａの外側面が、前面枠１０１の背面側に突出するスピーカユニット２７ａの本体外面に直接接触することはなく、スピーカユニット２７ａの本体外面に直接当接する垂直面１２２および該垂直面１２２に当接する機構板１０５の本体板（球タンク取付部７２０）を介して間接的に当接するようになっているため、スピーカ２７が音を出力することにより生じる振動が球タンク３８に伝達されやすくなり、該振動により、球タンク３８内に貯留される遊技球が均されて、偏りなく貯留されるようになるため、球詰まり等の発生を効果的に防止できる。
【０１５８】
なお、本実施の形態では、球タンク３８の左右の切欠凹部３８ａ，３８ａの前側面（外面）が、機構板１０５の球タンク取付部７２０背面に当接した状態で設けられていたが、少なくともスピーカユニット２７ａの背面または側面の一部に近接した状態で設けられていれば、必ずしも直接当接した状態で設けられていなくてもよいし、球タンク取付部７２０背面やスピーカユニット２７ａの背面または側面から離間した状態で配設されていてもよい。また、スピーカユニット２７ａの背面または側面の少なくとも一部に直接当接した状態で設けられていてもよい。
【０１５９】
また、スピーカ２７およびスピーカユニット２７ａが大型化し、前面枠１０１の背面から背面側に向けて大きく膨出するように取付けられた場合、球タンク３８の左右幅を左右のスピーカユニット２７ａ，２７ａ間に納まるように短寸にすると、球の貯留量が制限されるが、上記のように球タンク３８の一部に内側に凹む凹部３８ａを形成し、該凹部３８ａ内にスピーカユニット２７ａの一部を嵌合させた状態で球タンク３８を取付けることで、左右幅全体を短寸にしなくても済むため、貯留量の低減を回避できるばかりか、球タンク３８を左右のスピーカユニット２７ａ，２７ａよりも背面側に大きく突出させなくて済み、パチンコ遊技機１の前後幅が大寸となることがないので、スペース効率よく配設することができる。
【０１６０】
〔電源基板ケースおよび払出制御基板ケースの取付け構造〕
次に、機構板１０５の背面下部に設けられる電源基板９１０が収納された電源基板ケース９１０ａ、および、払出制御基板３７が収納された払出制御基板ケース３７ａの取付け構造について、図１２および図１３に基づいて説明する。図１２は、機構板１０５の背面下部を背面側から見た状態を示す要部斜視図である。図１３は、図１２のＣ−Ｃ断面図である。
【０１６１】
図１２に示されるように、機構板１０５の背面下部（図１２中下側）には、背面側から見て左側に電源基板ケース９１０ａが取付けられるとともに、右側に払出制御基板ケース３７ａが取付けられる。具体的には、図１３に示されるように、機構板１０５の内部を前後方向に仕切るように配設された仕切り板１８０の背面側の取付面１８０ａ，１８０ｂにそれぞれ取付けられる。機構板１０５を背面側から見て右側の取付面１８０ｂは、取付面１８０ａから背面側に膨出した膨出部に形成されている。なお、仕切り板１８０を挟んで反対側、つまり、機構板１０５の前面下部（図１３中上側）には前述した合流通路１６３、および、入賞球回収路１６４等が形成されているが、図１３においてはそれらの図示を省略している。
【０１６２】
取付面１８０ａの左側端部に設けられる側板１８１には、電源基板ケース９１０ａの左側辺の上下に設けられる差込片１８５ａが挿入される差込穴１８２が形成されている。また、取付面１８０ａの右側には、電源基板ケース９１０ａの右側辺に設けられる押え片１８５ｂに係脱可能に設けられた押え用レバー１８３が、取付板１８０から背面側に向けて突設された前後方向を向く軸を中心に回動自在に設けられている。
【０１６３】
取付面１８０ｂには、払出制御基板ケース３７ａの裏面に突設され、後述するスライド方向（図中左側）に向けて屈曲するフック１８９を挿通可能とするフック挿通用スリット１９０（図４４参照）が左右方向に向けて形成されている。また、フック挿通用スリット１９０の右側には、払出制御基板ケース３７ａの右側面に当接して突っ張り可能な突張りレバー１８４が、取付板１８０から背面側に向けて突設された前後方向を向く軸を中心に回動自在に設けられている。
【０１６４】
電源基板ケース９１０ａの表面右側には、払出制御基板ケース３７ａが配置される段部１８６が形成されている。また、段部１８６における右側面には、払出制御基板ケース３７ａの左側辺から突設される係止片１８８が挿入可能な係止用スリット１８７が形成されている。なお、この段部１８６の背面は、取付面１８０ａに取付けた状態において、取付面１８０ｂとほぼ面一をなす前後位置に形成されており（図１３（ｂ）参照）、払出制御基板ケース３７ａの取付面の一部を構成するようになっている。
【０１６５】
ここで、図１３に基づいて、電源基板ケース９１０ａおよび払出制御基板ケース３７ａの機構板１０５への取付方法を説明する。
【０１６６】
まず、図１３（ａ）に示されるように、電源基板ケース９１０ａの左側の差込片１８５ａを差込穴１８２に挿通した状態で、取付面１８０ａに向けて電源基板ケース９１０ａの裏面を当接させる。そして、押え用レバー１８３を回転させて横向きにし、押え片１８５ｂを係止する。この状態で、電源基板ケース９１０ａは取付面１８０ａに仮止めされた状態となるとともに、段部１８６の背面は取付面１８０ｂとほぼ面一をなす。
【０１６７】
次いで、図１３（ｂ）に示されるように、フック１８９をフック挿通用スリット１９０に挿通させて払出制御基板ケース３７ａの背面を取付面１８０ｂに当接させる。この状態で、該取付面１８０ｂの左側方に配置された段部１８６に向けて、払出制御基板ケース３７ａを取付面１８０ｂに押し当てた状態でスライド移動させる。
【０１６８】
そして、図１３（ｃ）に示されるように、払出制御基板ケース３７ａの係止片１８８が係止用スリット１８７内に挿入されて左側面が段部１８６の右側面に当接した状態で、突張りレバー１８４を回転させて横向きにし、払出制御基板ケース３７ａを電源基板ケース９１０ａ側に向けて押圧する突っ張り位置に位置させる。
【０１６９】
これにより、払出制御基板ケース３７ａは、フック１８９の係止作用により背面側への離脱が防止されるとともに、突張りレバー１８４により左右方向への移動が規制され、取付け位置に保持される。また、電源基板ケース９１０ａは、差込片１８５ａおよび押え用レバー１８３により取付面１８０ａからの離脱および左右方向のスライド移動が規制されるとともに、その背面側の一部を覆うように取付けられた払出制御基板ケース３７ａにより取付面１８０ａからの離脱が規制されるため、たとえば押え用レバー１８３による押さえ忘れがあっても、払出制御基板ケース３７ａが突張りレバー１８４を介して背面側に取付けられることで離脱が防止される。
【０１７０】
このように、２つの制御基板ケース９１０ａ，３７ａのうち一方の制御基板ケース９１０ａの背面側に段部１８６を設け、他方の制御基板ケース３７ａの一部を該段部１８６に当接するように背面側から覆うように取付けできるようにする、すなわち、双方の制御基板ケース９１０ａ，３７ａの一部を互いに左右およびケースの厚み方向に重合させてスペース効率よく配設することができるばかりか、双方の制御基板ケース９１０ａ，３７ａを互いに係合させて取付けるため、各制御基板ケースそれぞれに対応した取付け部材等を取付面に設ける必要がないので、取付け構造を簡素化できる。
【０１７１】
さらに、２つの制御基板ケース９１０ａ，３７ａのうち不正行為が行なわれる可能性が高い制御基板ケースである払出制御基板ケース３７ａの方を背面側から覆うように取付けるようにすることで、万が一払出制御基板ケース３７ａに何らかの不正行為が行なわれた場合においても早期のうちに発見することができる。一方、電源基板ケース９１０ａに不正行為が行なわれたとしても制御に異常が生じることは少ないので、不正行為が行なわれる可能性は極めて少ないため、電源基板９１０の一部が払出制御基板ケース３７ａにより被覆されても問題はない。
【０１７２】
〔前面枠の前面に対する各種部品の取付構造〕
次に、前面枠１０１の前面側から取付けられる各種部材について、図１４に基づいて説明する。図１４は、前面枠の前面に組み付けられる各種部材を示す分解斜視図である。
【０１７３】
前面枠１０１の上部左右側に形成されたスピーカ取付穴１１５，１１５には、前述したように、スピーカユニット２７ａ，２７ａが前面側から取付けられる。スピーカユニット２７ａの上面には、スピーカ取付穴１１５，１１５の上部内面に形成された前後方向を向く位置決め片２７ｃに嵌合可能な位置決め溝２７ｂが、上面後端から前方に向けて凹設されている。よって、スピーカユニット２７ａは、位置決め溝２７ｂを位置決め片２７ｃに合わせた状態で前面枠１０１の前面側からスピーカ取付穴１１５，１１５に向けて後部を挿入することにより、位置決め溝２７ｂの前壁が位置決め片２７ｃの前端に当接規制されることにより前後位置が決定されるとともに、スピーカ取付穴１１５，１１５に対してガタツキなく嵌合される。
【０１７４】
この状態で、スピーカユニット２７ａに形成された各取付ネジ孔２７ｄにスピーカ取付ネジ２７ｅを取付け、前面枠１０１に設けられたネジ孔２７ｆにそれぞれ螺入することで前面枠１０１に取付けられる。このようにスピーカ取付穴１１５，１１５に取付けられた状態において、スピーカユニット２７ａの後部が前面枠１０１の裏面から背面側に向けて張出すようになっている。
【０１７５】
なお、スピーカユニット２７ａは、スピーカ２７の音出力部（コーン正面）が前面に開放されるように、後方の本体部が箱状のカバー体（エンクロージャ）内に収納されて一体化されたものであるため、スピーカのコーンから正面に出る音と背面に出る音とが効果的に遮断され、これにより音が打ち消しあうことが防止されることで、特に低音域の音質が効果的に向上されるようになっている。なお、スピーカユニット２７ａの前面におけるスピーカ２７の音出力部（コーン）の外側方には、カバー体（エンクロージャ）の内部（スピーカ背面）に連通する縦長長方形状の開口部が形成されており、背面からの音も利用して低音再生が行なわれることで、より音質が向上するようになっている。
【０１７６】
また、左右のスピーカユニット２７ａ，２７ａの間には、スピーカユニット２７ａから延出される配線を被覆するスピーカ配線カバー４００が、スピーカユニット２７ａの中央側を取付ける取付ネジ２７ｅにより取付けられるとともに、左側のスピーカユニット２７ａの近傍に取付けられるスピーカ中継基板４０１が、スピーカ配線カバー４００により被覆されるようになっている。
【０１７７】
前面枠１０１の前面における遊技用開口１１４の左側には、該前面枠１０１を補強する上下方向を向く上前面枠補強板金４０２がネジを介して取付けられる。上前面枠補強板金４０２の下端には、上皿扉枠１０３の上端を回動自在に枢支する中ヒンジ板金４０３が取付けられる。中ヒンジ板金４０３の下方位置には、上皿扉枠１０３の下端を回動自在に枢支する下ヒンジ板金４０４が取付けられている。また、上前面枠補強板金４０２よりも中央側には、破損防止カバー４０５が取付けられている。
【０１７８】
払出連通口１１２ａの近傍には、シリアル中継基板４０６が取付けられるとともに、その前方には貯留カバー４０７が取付けられる。貯留カバー４０７は、ガラス扉枠１０２の開放時に払出連通口１１２ａからこぼれた賞球を賞球返却口１１３ａに誘導する賞球返却通路４０７ａが背面側に形成されているとともに、この前面側に配置される打球供給皿３の裏面に形成される球抜き口１１３と対向する箇所に該球抜き口１１３と連通する球抜き連通口４０７ｂが形成されており、背面側に形成されるファール球誘導通路１１８に連通されている。
【０１７９】
貯留カバー４０７の右側には、打球誘導レール１１７を構成する発射点レール４０８が取付けられる。さらに発射点レール４０８の右側には、上皿扉枠１０３をロックするロック装置のロック片（図示省略）が係止される被係止部を有する上皿ロック４０９が取付けられている。上皿ロック４０９の前方には錠前飾り４１１が取付けられている。なお、遊技用開口１１４の内周左右側には、遊技盤６の帯電を防止するための中アース板金４１０，４１０がそれぞれ取付けられている。
【０１８０】
〔前面枠の背面に対する各種部品の取付構造〕
次に、前面枠１０１の背面側から取付けられる各種部材について、図１５に基づいて説明する。図１５は、前面枠の背面に取付けられる各種部品を示す分解斜視図である。なお、図１５においては、前面枠１０１の背面を正面から見た状態として説明する。
【０１８１】
前面枠１０１の背面上部におけるスピーカ取付穴１１５，１１５間には、ドアスイッチを構成するスイッチバー４１５、前板スイッチバネ４１６、および、ドアスイッチカバー４１７が取付けられている。スイッチバー４１５は、棒材により構成されており、前後方向を向いた態様で、前板スイッチバネ４１６により前面側に向けて付勢された状態で設けられている。そして、通常状態においてスイッチバー４１５は、その前端が前面枠１０１の前面側に突出しており、前面枠１０１の前面側に配置されるガラス扉枠１０２が閉状態となったときに、ガラス扉枠１０２の背面所定箇所に当接し、前板スイッチバネ４１６の付勢力に抗して背面側に向けて移動されるようになっている。
【０１８２】
また、ガラス扉枠１０２により背面側に押圧された状態において、スイッチバー４１５の後端はドアスイッチカバー４１７から貫通して背面側に突出されるとともに、この状態において、前面枠１０１の背面側に配置される機構板１０５に設けられた後述する前板スイッチ７０６０を押圧するようになっている。
【０１８３】
すなわち、ガラス扉枠１０２が開放されたときには、スイッチバー４１５の前端は開放されるので、前板スイッチバネ４１６の付勢力により前方に付勢され、後端は前板スイッチ７０６０から離脱されるので、前板スイッチ７０６０により、ガラス扉枠１０２が開放された状態が検出されるようになっている。
【０１８４】
また、ガラス扉枠１０２が閉状態であるときにおいては、スイッチバー４１５の後端は前板スイッチ７０６０を押圧する状態で保持される。機構板１０５が開放された場合には、スイッチバー４１５は保持されたままであるが、その後端から前板スイッチ７０６０が機構板１０５とともに離脱されるため、前板スイッチ７０６０により、機構板１０５が開放された状態も検出できる。
【０１８５】
前面枠１０１における左右のスピーカ取付穴１１５，１１５は、前面枠１０１の上部背面から後向きに突設された膨出壁からなる膨出部１２１，１２１の内部にそれぞれ形成されている。膨出部１２１，１２１の背面におけるスピーカ取付穴１１５，１１５の背面側における開口１２３の側方に形成された垂直面１２２および左側下部には、機構板１０５を前面枠１０１の背面に近接配置した状態で保持するための機構板止め具４１８ａ，４１８ｂがそれぞれ突設されている。遊技用開口１１４の右側上下位置には、機構板１０５の右側辺の上下端部を回動自在に支持する上機構板ヒンジ４１９ａおよび下機構板ヒンジ４１９ｂがそれぞれ突設されている。
【０１８６】
また、前面枠１０１の背面右側上下角部には、外枠１００に対して前面枠１０１を回動自在に枢支するための上内蝶番４２０ａおよび下内蝶番４２０ｂが取付けられている。また、上機構板ヒンジ４１９ａの近傍には上アース板金４２１ａが取付けられ、背面左下角部には下アース板金４２１ｂが取付けられている。
【０１８７】
遊技用開口１１４の周囲には、遊技盤６を遊技用開口１１４に対して着脱自在に保持するための上下一対の左遊技盤押え部材４２２ａおよび右遊技盤押え部材４２２ｂがそれぞれ４箇所に設けられている。また、背面左側には、外枠１００に対して前面枠１０１を施解錠可能であるとともに、前面枠１０１に対してガラス扉枠１０２を施解錠可能な施解錠装置４２３が、左側辺部に沿って上下方向に設けられている。施解錠装置４２３は、全部または一部が、たとえば、合成樹脂製のカバーで覆われている。特に、施解錠装置４２３は、合成樹脂製のカバーで錠の機構部分を覆うようにするのが好ましい。
【０１８８】
背面右側には、下前面枠補強板金４２４が上下方向に向けて取付けられている。また、余剰球誘導通路１３０における段部１４１（図８参照）の近傍には、前述した満タンスイッチ１９、スイッチ片１９ａ、前面枠中継基板４２４ａが配設されている。また、アウト球誘導通路１３２の上流側端部近傍に形成された凹部には、遊技盤６の下部を保持するためのセンターフック４２５が配設されているとともに、その下方には配線押さえ４２６が取付けられている。
【０１８９】
なお、バックプレート１３５、流し部材１３６に係わる部材に関しては、図６において説明済みであるため、ここでは同様の符号を付すことによりその説明は省略するものとする。
【０１９０】
〔ガラス扉枠構造〕
次に、図１６〜図１９に基づいて、ガラス扉枠１０２の構造を説明する。図１６は、前板飾りの前面に取付けられる各種部品を示す分解斜視図であり、図１７は、（ａ）が前板ベースの背面に取付けられる各種部品を示す分解斜視図であり、（ｂ）が前板ベースの前面に取付けられる各種部品を示す分解斜視図である。図１８は、前板飾りと前板ベースとの組み付け状態を示す斜視図である。図１９は、前板ベースの前面に取付けられる各種部品の一部および背面に配置されるＬＥＤ基板を示す分解斜視図である。
【０１９１】
ガラス扉枠１０２は、図１８に示されるように、遊技者側から遊技盤６の表面に形成された遊技領域７を透視可能とするための円形状の透視用開口４５０ａが中央に形成された前板飾り４５１（図１６参照）と、前板飾り４５１の背面に取付けられ、円形状のガラス窓取付用開口４５２ａが中央に形成された前板ベース４５２（図１７参照）とから構成される。これら各部材４５１，４５２に形成される透視用開口４５１ａおよびガラス窓取付用開口４５２ａは、その円弧の下部が各部材の下端辺から下方に向けて湾曲状に張出すように形成されている。前板飾り４５１は、メッキ（銀メッキ）処理が施され、複数の開口部（後述する照射用開口６１１）が形成された枠部材であり、メッキ枠部材ともよばれる。
【０１９２】
まず、図１６に基づいて前板飾り４５１の構造を説明すると、透視用開口４５１ａの上方左右側には、スピーカ２７から出力される音を前方に向けて放音させるための円形状の放音穴４５３，４５３がそれぞれ形成されている。また、左右の放音穴４５３，４５３の間には、後述するトップレンズが背面側から嵌合されるトップレンズ取付部４６４が前面側に突出するように形成されている。
【０１９３】
前板飾り４５１の前面における透視用開口４５１ａの周囲には、放音穴４５４が上部に形成された左上クリアベース４５５ａおよび右上クリアベース４５５ｂと、これら左上クリアベース４５５ａおよび右上クリアベース４５５ｂの下方に配置される左下クリアベース４５６ａおよび右下クリアベース４５６ｂとが取付けられる。つまり、左上クリアベース４５５ａと左下クリアベース４５６ａとが上下方向に並ぶ態様で取付けられる。また、右上クリアベース４５５ｂと右下クリアベース４５６ｂとが上下方向に並ぶ態様で取付けられる。
【０１９４】
図１９に示すように、左上クリアベース４５５ａおよび左下クリアベース４５６ａの外側（左側）と、右上クリアベース４５５ｂおよび右下クリアベース４５６ｂの外側（右側）とのそれぞれには、横断面略凹溝状のレンズ配置部６１０が上下方向に延在する態様で形成されている。詳しくは、左上クリアベース４５５ａおよび左下クリアベース４５６ａの外側のレンズ配置部６１０には、上下方向に延びる棒状（直線状）のサイドインナーレンズ４５７ａ，４５７ｃが上下方向に並ぶ態様で配置される。サイドインナーレンズ４５７ａ，４５７ｃの前面側には、透明な合成樹脂材からなる帯状の左サイドレンズ４５８ａが取付けられている。また、右上クリアベース４５５ｂ、右下クリアベース４５６ｂの外側のレンズ配置部６１０には、上下方向に延びる直線状のサイドインナーレンズ４５７ｂ，４５７ｄが上下方向に並ぶ態様で配置され、その前面側には、透明な合成樹脂材からなり、上下方向に延在する態様の帯状の右サイドレンズ４５８ｂが取付けられる。サイドインナーレンズ４５７ａ〜４５７ｄは透光性材からなる導光部材として用いられ、左サイドレンズ４５８ａ，右サイドレンズ４５８ｂは、透光性材からなる透光カバー部材として用いられている。
【０１９５】
なお、これら左右のレンズ配置部６１０のそれぞれには、後述する６個の第１反射部６１２および５個の第２反射部６１３が長手方向に向けて交互に形成されている。このようなレンズ配置部６１０の表面は、メッキ処理が施されている。
【０１９６】
棒状のサイドインナーレンズ４５７ａ，４５７ｃにより、その背面側に６個配置される左枠ＬＥＤ２８ｂの光が上下方向に拡散される。また、棒状のサイドインナーレンズ４５７ｂ，４５７ｄにより、その背面側に６個配置される右枠ＬＥＤ２８ｃの光が上下方向に拡散される。
【０１９７】
図１６に示すように、前板飾り４５１の前面側の４隅には、ガラス扉枠１０２を回動するためのヒンジ（図示省略）および回動軸の他端を係合する係合部を被覆する４つのヒンジカバー４５９ａ〜４５９ｄがそれぞれ取付けられている。
【０１９８】
放音穴４５３，４５３とトップレンズ取付部４６４との間には、透明なレンズからなり、ＬＥＤの光を透過可能な飾り部材４６０，４６０が取付けられる。左右の放音穴４５３，４５３の前面側には、スピーカ２７のコーン等を保護するためのスピーカネット４６１が取付けられるとともに、放音穴４５３，４５３の周囲を装飾する上ストラクチャー４６２ａ，４６２ｂが取付けられる。また、下部左右側には、フレーム構造をなす下ストラクチャー４６２ｃ，４６２ｄが取付けられる。
【０１９９】
さらに、前板飾り４５１の前面側において、透視用窓４５１ａの左側部に設けられる各種部材を前面側から被覆する透明な左クリアレンズ４６３ａが、左サイドレンズ４５８ａ等の前面側に取付けられる。また、前板飾り４５１の前面側において、透視用窓４５１ａの右側部に設けられる各種部材を前面側から被覆する透明な右クリアレンズ４６３ｂが、右サイドレンズ４５８ｂ等の前面側に取付けられる。また、左クリアレンズ４６３ａを通して上ストラクチャー４６２ａおよび下ストラクチャー４６２ｃが視認可能とされている。また、右クリアレンズ４６３ｂを通して上ストラクチャー４６２ｂおよび４６２ｄが視認可能とされている。上ストラクチャー４６２ａ〜４６２ｄは、ガラス扉枠１０２の前面に露出した状態で設けられる左クリアレンズ４６３ａおよび右クリアレンズ４６３ｂを補強することができる部材である。具体的には、固定ピン等の固定部材を用いて、上ストラクチャー４６２ａ〜４６２ｄを少なくとも２点で固定すればよい。
【０２００】
また、上記各種レンズは、ＬＥＤからの光を透光可能な透光性を有する合成樹脂材等により構成されていればよい。
【０２０１】
次に、図１７に基づいて前板ベース４５２の構造を説明すると、図１７（ａ）に示されるように、ガラス窓取付用開口４５２ａには、透明なガラス窓（図示省略）が背面側から取付けられ、ガラス窓取付用開口４５２ａの周囲４箇所に設けられた窓押さえ４７０により保持されるようになっている。また、ガラス窓取付用開口４５２ａの上部左右側には円筒状の放音穴４７１が形成されている。
【０２０２】
前板ベース４５２の背面側における左側辺部には、上下方向に延在する態様の帯状の左前板補強板金４７２ａがネジにより取付けられ、前板ベース４５２が補強されている。前板ベース４５２の背面側における右側辺部には、上下方向に延在する態様の帯状の右前板補強板金４７２ｂがネジにより取付けられ、前板ベース４５２が補強されている。また、前板ベース４５２の背面側における上辺部には、左右方向に延在する態様の帯状の上前板補強板金４７２ｃがネジにより取付けられ、前板ベース４５２が補強されている。
【０２０３】
図１７（ｂ）に示されるように、前板ベース４５２の前面下辺部には、下前板補強板金４７２ｄが前面側から取付けられて補強されている。前面における左右の放音穴４７１，４７１間には、天枠ＬＥＤ２８ａが前面に複数実装された中前板天基板４７３ａ、ならびに、その中前板天基板４７３ａの左右側に配設される左前板天基板４７３ｂおよび右前板天基板４７３ｃが取付けられている。そして、左前板天基板４７３ｂの前面側には、左天基板シート４７４ａが取付けられる。右前板天基板４７３ｃの前面側には、右天基板シート４７４ｂが取付けられる。
【０２０４】
前板ベース４５２の前面左右辺部には、左前板基板４７５ａと右前板基板４７５ｂとが取付けられる。左前板基板４７５ａは、複数の左枠ＬＥＤ２８ｂおよび１つの賞球ＬＥＤ５１が前面に実装され、上下方向に延在される。右前板基板４７５ｂは、複数の右枠ＬＥＤ２８ｃおよび１つの球切れＬＥＤ５２が前面に実装され、上下方向に延在される。左前板基板４７５ａの前面側には、左前板基板シート４７６ａが取付けられる。右前板基板４７５ｂの前面側には、右前板基板シート４７６ｂが取付けられる。
【０２０５】
このように構成された前板飾り４５１および前板ベース４５２は、図１８に示されるように、前板ベース４５２の前面と前板飾り４５１の背面とを互いに当接させた状態でネジ止めすることにより一体化されて、ガラス扉枠１０２として構成される。前板飾り４５１の上部に設けられたトップレンズ取付部４６４には、トップレンズ４８０、トップレンズカバー４８１、および、トップレンズベース４８２が背面側から取付けられ、これらトップレンズ４８０、トップレンズカバー４８１、トップレンズベース４８２が取付けられた状態で前板飾り４５１と前板ベース４５２とが一体化される。
【０２０６】
トップレンズ取付部４６４は、トップレンズ４８０が臨む開口が形成され、当該開口にトップレンズ４８０を固定する固定部が形成されている。当該固定部は、基端が開放し、先端が収束してなるコ字形の枠部分を一対配置して構成されている。トップレンズ４８０は、コ字形部分に相当する形状の段部が形成され、前述のコ字形の枠部分に嵌合するようになっている。また、トップレンズ４８０は、カップ状に形成された複数の透光部材により構成されている。トップレンズベース４８２は、トップレンズ４８０における複数の透光部材に対応する数の突起を有する。この突起内に発光体が配置される。トップレンズベース４８２は、前述の突起がトップレンズ４８０内に当接してトップレンズ４８０をトップレンズ取付部４６４に固定している。トップレンズ４８０、トップレンズカバー４８１、および、トップレンズベース４８２のそれぞれは、透明部材よりなり、多重に重ねられた透明部材によって光を複雑に反射させるようになっている。
【０２０７】
また、前板飾り４５１の前面下辺部には、下飾り４８３が配置され、該下飾り４８３の裏面に、前板飾り４５１と前板ベース４５２とを一体化するためのネジが螺入されるようになっている。また、前板ベース４５２の背面における左前板補強板金４７２ａ背面には、前板返し板金４７７が取付けられる。
【０２０８】
〔左右発光部構造〕
次に、図２０〜図２５に基づいて、左発光部２８Ｌおよび右発光部２８Ｒの詳細な構造を説明する。図２０は、前板飾りの前面を示す要部拡大正面図である。図２１は、前板飾りに対するサイドインナーレンズの取付状態を示す要部拡大斜視図である。図２２は、図２０のＡ−Ａ断面図である。図２３は、（ａ）が図２２のＢ−Ｂ断面図、（ｂ）が図２２のＣ−Ｃ断面図、（ｃ）が図２２のＤ−Ｄ断面図である。図２４は、サイドインナーレンズにおける導光状態を示す断面図である。図２５は、サイドインナーレンズの発光状態を示す概略図である。
【０２０９】
図２３（ａ）における図２２のＢ−Ｂ断面図および図２３（ｃ）における図２２のＤ−Ｄ断面図は、図示を明確にするために、後述する第１の凹部６０３および第２の凹部６０４の上下中央位置よりもやや下方位置で切断した状態を示す断面図としている。
【０２１０】
また、左発光部２８Ｌおよび右発光部２８Ｒの構造はほぼ同様であるため、ここでは右発光部２８Ｒについて説明し、左発光部２８Ｌの構造の詳細な説明は省略する。また、右発光部２８Ｒに設けられるサイドインナーレンズ４５７ｂ，４５７ｄは上下対象に形成されているため、図２０〜図２５においては、両者のうち下方のサイドインナーレンズ４５７ｄの詳細な構造のみを説明し、サイドインナーレンズ４５７ｂの詳細な説明は省略することとする。
【０２１１】
右発光部２８Ｒには、図２０に示されるように、前述した導光部材としてのサイドインナーレンズ４５７ｂ，４５７ｄ（サイドインナーレンズ４５７ｂは図示省略）、および、その背面（裏面）側に配置される右枠ＬＥＤ２８ｃから主に構成される直線発光部６００が、前板飾り４５１における右側辺に沿って上下方向に設けられている。
【０２１２】
サイドインナーレンズ４５７ｄは、特に図２１に示されるように、透明な合成樹脂材により棒状に形成されている。詳しくは、帯状に形成される板状部６０１と、板状部６０１の左右方向の前面中央部から前方に向けて突出形成される中央リブ６０２Ｃと、板状部６０１の左右方向の前面端部からそれぞれ外側斜め前方に向けて突出形成される左リブ６０２Ｌおよび右リブ６０２Ｒとが、一体成形により構成されている。つまり、上下方向に延設されるサイドインナーレンズ４５７ｄは、左右方向に並設されるとともに、それぞれの後端が一体化されてなる３本の左リブ６０２Ｌ、中央リブ６０２Ｃ、および、右リブ６０２Ｒにより構成されている。左リブ６０２Ｌおよび右リブ６０２Ｒは、中央リブ６０２Ｃに対して所定角度傾斜した状態で設けられているため、左リブ６０２Ｌと中央リブ６０２Ｃとの間、および、右リブ６０２Ｒと中央リブ６０２Ｃとの間には、断面略三角形状をなす空間が上下方向に向けて延在する態様で形成されている。
【０２１３】
これら左リブ６０２Ｌ、中央リブ６０２Ｃ、および、右リブ６０２Ｒの前端面、ならびに、板状部６０１の裏面には、長手方向にわたりローレット加工が施され、開角θ３＝９０度をなす縦断面三角形状の切欠が上下方向に向けて連続して形成されており（図２２参照）、内部の光が外方に放射されるようになっている。
【０２１４】
サイドインナーレンズ４５７ｄの裏面には、板状部６０１裏面から左リブ６０２Ｌ、中央リブ６０２Ｃ、および、右リブ６０２Ｒの基部までの深さを有するとともに、左右幅方向に延びる３個の第１の凹部６０３および２個の第２の凹部６０４（図１９参照）が、長手方向に向けて所定間隔おきに交互に凹設されている。また、サイドインナーレンズ４５７ｄの表面側における第１の凹部６０３に対応する箇所には、第１の凹部６０３を形成するための第１の凸部６０５が、左リブ６０２Ｌと中央リブ６０２Ｃとの間および右リブ６０２Ｒと中央リブ６０２Ｃとの間にそれぞれ前方に向けて凸設されている。サイドインナーレンズ４５７ｄの表面側における第２の凹部６０４に対応する箇所には、第２の凹部６０４を形成するための第２の凸部６０６が、左リブ６０２Ｌと中央リブ６０２Ｃとの間および右リブ６０２Ｒと中央リブ６０２Ｃとの間にそれぞれ前方に向けて凸設されている。
【０２１５】
第１の凹部６０３は、図２１および図２４に示されるように、垂直導入面６０７ａと、上水平導入面６０７ｂと、下水平導入面６０７ｃとの３つの面により側面視略コ字形に形成された照射光導入面を構成している。垂直導入面６０７ａは、サイドインナーレンズ４５７ｄを取付けた状態でパチンコ遊技機１の底面に対して垂直方向を向く方向に形成された面である。上水平導入面６０７ｂは、垂直導入面６０７ａの上端から裏面側に向けて形成された面である。下水平導入面６０７ｃは、サイドインナーレンズ４５７ｄを取付けた状態でパチンコ遊技機１の底面に対して水平方向を向く垂直導入面６０７ａの下端から裏面側に向けて形成された面である。このような第１の凹部６０３では、その裏面側に配置される右枠ＬＥＤ２８ｃからの照射光が該サイドインナーレンズ４５７ｄ内部に導入されるようになっている（図２４参照）。
【０２１６】
なお、垂直導入面６０７ａには上下方向にわたりローレット加工が施され、開角θ３＝９０度をなす縦断面三角形状の切欠が上下方向に向けて連続してなる光拡散部が形成されており、内部の光が外方に放射されるようになっている。
【０２１７】
第２の凹部６０４は、垂直反射面６０８ａと上傾斜反射面６０８ｂと下傾斜反射面６０８ｃとの３つの面によりなる反射面を構成している。垂直反射面６０８ａは、サイドインナーレンズ４５７ｄを取付けた状態でパチンコ遊技機１の底面に対して垂直方向を向く方向に形成された面である。上傾斜反射面６０８ｂは、垂直反射面６０８ａの上端から裏面側に向けて上方に傾斜する面である。下傾斜反射面６０８ｃは、垂直反射面６０８ａの下端から裏面側に向けて下方に傾斜する面である。第２の凹部６０４は、第１の凹部６０３により形成される照射光導入面からサイドインナーレンズ４５７ｄの内部に導入されてサイドインナーレンズ４５７ｄ内部を長手方向に向けて誘導された光をパチンコ遊技機１の前面側に向けて反射するようになっている。
【０２１８】
なお、本実施の形態では、垂直反射面６０８ａにはローレット加工が施されていないが、該垂直反射面６０８ａの上下方向にわたりローレット加工を施し、開角θ３＝９０度をなす縦断面三角形状の切欠が上下方向に向けて連続してなる光拡散部が形成されるようにしてもよく、このようにすることで内部の光が外方に放射されるため、第２の凸部６０６における輝度を高めることができる。
【０２１９】
サイドインナーレンズ４５７ｄの下端には、前記第２の凹部６０４の上半分、つまり上下幅寸法が垂直反射面６０８ａの上下幅寸法の半分の垂直反射面６０８ａ’（図示省略）と上傾斜反射面６０８ｂ’（図示省略）とからなる第２の半凹部６０４’が形成されているとともに、その前面側には、該第２の凹部６０４’を形成するための第２の半凸部６０６’（図２０、図２５参照）が凸設されている。
【０２２０】
なお、特に図示はしないが、サイドインナーレンズ４５７ｄと上下対象に形成されるサイドインナーレンズ４５７ｂの上端にも、第２の半凹部６０４’および第２の半凸部６０６’が同様に形成されている。
【０２２１】
また、特に図示はしないが、サイドインナーレンズ４５７ｄの上端には、第２の凹部６０４の下半分、つまり上下幅寸法が垂直反射面６０８ａの上下幅寸法の半分の垂直反射面６０８ａ’（図示省略）と下傾斜反射面６０８ｃ’（図示省略）とからなる第２の半凹部６０４’（図示省略）が形成されているとともに、その前面側には、該第２の半凹部６０４’（図示省略）を形成するための第２の半凸部６０６’（図示省略）が凸設されている。
【０２２２】
また、サイドインナーレンズ４５７ｄと上下対象に形成されるサイドインナーレンズ４５７ｂの下端には、特に詳細な図示はしないが、前記第２の凹部６０４の上半分、つまり上下幅寸法が垂直反射面６０８ａの上下幅寸法の半分の垂直反射面６０８ａ’（図示省略）と上傾斜反射面６０８ｂ’（図示省略）とからなる第２の半凹部６０４’（図示省略）が形成されているとともに、その前面側には、該第２の半凹部６０４’（図示省略）を形成するための第２の半凸部６０６’（図示省略）が凸設されている。このため、これらサイドインナーレンズ４５７ｄの上端に形成される第２の半凹部６０４’とサイドインナーレンズ４５７ｂの下端に形成される第２の半凹部６０４’とにより、互いの上下端部同士を付き合わせたときに１つの第２の凹部６０４および第２の凸部６０６が形成されるようになっている。
【０２２３】
一方、前板飾り４５１の前面には、図２１に示されるように、サイドインナーレンズ４５７ｄを前方から配置可能な前述のレンズ配置部６１０が、前板飾り４５１の右側辺に沿って上下方向に向けて延設されている。レンズ配置部６１０は、サイドインナーレンズ４５７ｄが配置された状態において板状部６０１の裏面と当接する底壁面６１０ａと、左リブ６０２Ｌの外面および右リブ６０２Ｒの外面それぞれと当接する傾斜壁面６１０ｂ，６１０ｃとを含み、これらが、前方に開放する態様の横断面略凹溝状に形成されている。
【０２２４】
底壁面６１０ａには、該底壁面６１０ａの裏面側に配置される各右枠ＬＥＤ２８ｃとの対向位置に、該右枠ＬＥＤ２８ｃの照射面を前方に露呈させるための照射用開口６１１が上下方向にわたって複数形成されており、上下方向に向けて所定間隔おきに配設された各右枠ＬＥＤ２８ｃからの照射光を前方に向けて照射させることができるようになっている。各サイドインナーレンズは、このような複数の照射用開口６１１を前板飾り４５１の前面側において一体的に覆うような態様で設けられている。
【０２２５】
照射用開口６１１の前方には、サイドインナーレンズ４５７ｄが配置された状態において、第１の凹部６０３内に収容されて係合する三角柱状の照射光反射部６１２が左右方向に向けて架設されている。照射光反射部６１２は、メッキが施された反射部材であり、非透光性の部材である。この照射光反射部６１２の裏面側には、図２４に示されるように、裏面側に向けて下方に傾斜する上照射光反射面６１２ｂと、裏面側に向けて上方に傾斜する下照射光反射面６１２ｃとがそれぞれ形成されている。上照射光反射面６１２ｂは、右枠ＬＥＤ２８ｃからの照射光を、該第１の凹部６０３の上方に設けられた第２の凹部６０４の下傾斜反射面６０８ｃに向けて反射させ、上水平導入面６０７ｂに入射させる。下照射光反射面６１２ｃは、右枠ＬＥＤ２８ｃからの照射光を、該第１の凹部６０３の下方に設けられた第２の凹部６０４の上傾斜反射面６０８ｂに向けて反射させ、下水平導入面６０７ｃに入射させるようになっている。
【０２２６】
また、底壁面６１０ａには、サイドインナーレンズ４５７ｄが配置された状態において、第２の凹部６０４内に嵌合される補助反射部６１３が前方に向けて凸設されている。補助反射部６１３は、サイドインナーレンズ４５７ｄが配置された状態でパチンコ遊技機１の底面に対して垂直方向を向く垂直補助反射面６１３ａと、該垂直補助反射面６１３ａの上端から裏面側に向けて上方に傾斜する上補助反射面６１３ｂと、該垂直補助反射面６１３ａの下端から裏面側に向けて下方に傾斜する下補助反射面６１３ｃとにより、縦断面略三角形状に形成されている。サイドインナーレンズ４５７ｄが配置された状態において、垂直補助反射面６１３ａは垂直反射面６０８ａの裏面に当接し、上補助反射面６１３ｂは上傾斜反射面６０８ｂの裏面に当接し、下補助反射面６１３ｃは下傾斜反射面６０８ｃの裏面に当接する。
【０２２７】
また、底壁面６１０ａの下端部には、特に詳細な図示はしないが、前記補助反射部６１３の上半分、つまり上下幅寸法が垂直補助反射面６１３ａの上下幅寸法の半分の垂直補助反射面６１３ａ’（図示省略）と上補助反射面６１３ｂ’（図示省略）とからなる半補助反射部６１３’（図２２参照）が形成されている。サイドインナーレンズ４５７ｄが配置された状態において、サイドインナーレンズ４５７ｄの下端の垂直反射面６０８ａ’（図示省略）が垂直補助反射面６１３ａ’（図示省略）に当接もしくは近接し、上傾斜反射面６０８ｂ’（図示省略）が上補助反射面６１３ｂ’（図示省略）に当接もしくは近接するようになっている。たとえば、サイドインナーレンズ４５７ｄと、底壁面６１０ａとが当接するときには、反射面６０８ａ’〜 ６０８ｃ’と反射面６１３ａ’〜 ６１３ｃ’とが所定の間隔で形成されるようになっている。これにより、たとえば、下傾斜反射面６０８ｂ’を通過した光が、間隙を前面側（図２４における左側）に屈折（境界面における屈折光）し、下補助反射面６１３ｂ’で反射して、再び下傾斜反射面６０８ｂ’に入射するので、間隙がない場合に比べて、補助反射部６１３の発光面積を広くできるという観点で好ましい。
【０２２８】
また、底壁面６１０ａの上端部には、特に詳細な図示はしないが、前記補助反射部６１３の下半分、つまり上下幅寸法が垂直補助反射面６１３ａの上下幅寸法の半分の垂直補助反射面６１３ａ’（図示省略）と下補助反射面６１３ｃ’（図示省略）とからなる半補助反射部６１３’（図示省略）が形成されている。サイドインナーレンズ４５７ｂが配置された状態において、サイドインナーレンズ４５７ｂの上端の垂直反射面６０８ａ’（図示省略）が垂直補助反射面６１３ａ’（図示省略）に当接もしくは近接し、また、下傾斜反射面６０８ｂ’（図示省略）が下補助反射面６１３ｂ’（図示省略）に当接もしくは近接するようになっている。このように反射面間を所定の間隔で形成すると、前述した場合と同様の理由に基づいて、発光する部分の発光面積を広くできるという観点で好ましい。
【０２２９】
レンズ配置部６１０を構成する前板飾り４５１と、照射光反射部６１２および補助反射部６１３とのそれぞれは、非透光性の合成樹脂材により構成されており、底壁面６１０ａ、傾斜壁面６１０ｂ，６１０ｃおよび上記各反射面６１２ａ〜６１２ｃ，６１３ａ〜６１３ｃにはメッキ処理が施されている。これにより、サイドインナーレンズ４５７ｄ内部から放射される光が、損失されることなく効率よく反射して再度内部に入射されることとなる。
【０２３０】
次に、上述のように構成されたサイドインナーレンズ４５７ｄ、前板飾り４５１、右枠ＬＥＤ２８ｃの詳細な構造および互いの配置関係等について説明する。
【０２３１】
図２０に示されるように、サイドインナーレンズ４５７ｄの表面側には、第１の凸部６０５（第１の凹部６０３）と第２の凸部６０６（第２の凹部６０４）とがそれぞれ上下方向に向けてほぼ一定間隔おきに交互に形成されている。図２０の拡大図には、左リブ６０２Ｌ、中央リブ６０２Ｃ、右リブ６０２Ｒ、第１の凸部６０５、および、第２の凸部６０６に係る寸法（単位はｍｍ）が記載されている。これらの寸法は小数第２以下を四捨五入した寸法としている。
【０２３２】
第１の凹部６０３および第２の凹部６０４は、図２２および図２４に示されるように、裏面側に向けて開放する凹溝状に形成されている。詳しくは、第１の凹部６０３を構成する垂直導入面６０７ａの上下幅寸法Ｌ１は約５ｍｍであり、上水平導入面６０７ｂおよび下水平導入面６０７ｃの前後幅寸法Ｌ２は約２．５ｍｍとされている。
【０２３３】
この第１の凹部６０３内に収容される照射光反射部６１２の垂直反射面６１２ａの上下幅寸法は、前記垂直導入面６０７ａの上下幅寸法Ｌ１よりも短寸とされており、垂直反射面６１２ａの上端と上水平導入面６０７ｂとの間、および、垂直反射面６１２ａの下端と下水平導入面６０７ｃとの間には僅かな隙間（所定距離の隙間）が形成されている。よって、右枠ＬＥＤ２８ｃからの照射光がこの僅かな隙間から照射光反射部６１２よりも前方（パチンコ遊技機１の前方）に向けて放射される。
【０２３４】
照射光反射部６１２は、上照射光反射面６１２ｂと下照射光反射面６１２ｃとの接合端辺、すなわち頂辺が、底壁面６１０ａよりもやや前方（パチンコ遊技機１の前方）に位置するように設けられている。また、上水平導入面６０７ｂに対する上照射光反射面６１２ｂの傾斜角度、および、下水平導入面６０７ｃに対する下照射光反射面６１２ｃの傾斜角度θ１は、それぞれ約４５度とされている。各右枠ＬＥＤ２８ｃは、光を前方に向けて略水平（パチンコ遊技機１の底面に対して水平）に照射、すなわち、垂直導入面６０７ａに対して直交方向（交差方向）に照射するように配置されている。したがって、右枠ＬＥＤ２８ｃからの照射光は、上照射光反射面６１２ｂと下照射光反射面６１２ｃとによりそれぞれ上下方向に反射される。
【０２３５】
第２の凹部６０４を構成する垂直反射面６０８ａの上下幅寸法Ｌ４は約１．８ｍｍであり、上傾斜反射面６０８ｂの上下幅寸法Ｌ５および下傾斜反射面６０８ｃの上下幅寸法Ｌ６、すなわち、上傾斜反射面６０８ｂおよび下傾斜反射面６０８ｃ上下の端辺間の垂直幅寸法はそれぞれ約２．５ｍｍであり、上傾斜反射面６０８ｂの上端辺と下傾斜反射面６０８ｃの下端辺との間の上下幅（垂直幅）寸法Ｌ３（Ｌ３＝Ｌ４＋Ｌ５＋Ｌ６）は約６．８ｍｍとされている。
【０２３６】
また、上下方向を向くサイドインナーレンズ４５７ｄ（板状部６０１）の裏面に対する上傾斜反射面６０８ｂおよび下傾斜反射面６０８ｃの傾斜角度θ２はそれぞれ約１３５度とされている。つまり、サイドインナーレンズ４５７ｄ（板状部６０１）の裏面に対して直交する水平面に対する上傾斜反射面６０８ｂおよび下傾斜反射面６０８ｃの傾斜角度はそれぞれ約４５度である。このため、上水平導入面６０７ｂおよび下水平導入面６０７ｃのそれぞれに対して直交方向に入射した光を前方に向けて効率よく反射させることができる。
【０２３７】
図２２に示されるように、複数の右枠ＬＥＤ２８ｃが前面における長手方向に向けて所定間隔おきに複数配置された右前板基板４７５ｂは、レンズ配置部６１０の裏面側に近接配置されているとともに、各右枠ＬＥＤ２８ｃが底壁面６１０ａに形成された各照射用開口６１１に臨むように配設されている。各照射光反射部６１２の裏面側には右枠ＬＥＤ２８ｃがそれぞれ配設されているが、補助反射部６１３の裏面側には右枠ＬＥＤ２８ｃは配設されない。各右枠ＬＥＤ２８ｃは、光を前方に向けて略水平に照射する態様、すなわち、垂直導入面６０７ａに対して直交方向に照射する態様で配置されている。
【０２３８】
サイドインナーレンズ４５７ｄは、図２１に示されるように、裏面に形成された第１の凹部６０３を照射光反射部６１２に対向させるとともに、第２の凹部６０４を補助反射部６１３に対向させた状態で、レンズ配置部６１０の前面側から配置する（図２０参照）。サイドインナーレンズ４５７ｄは、レンズ配置部６１０内に配置された状態において、板状部６０１の裏面が底壁面６１０ａに当接し、左リブ６０２Ｌの裏面が傾斜壁面６１０ｂに当接し、右リブ６０２Ｒの裏面が傾斜壁面６１０ｂに当接し、第１の凹部６０３内に照射光反射部６１２が収容されて嵌合し、第２の凹部６０４内に補助反射部６１３が嵌合する（図２２参照）。なお、サイドインナーレンズ４５７ａ〜４５７ｄのそれぞれと、レンズ配置部６１０とを電気的に接続し、サイドインナーレンズ４５７ａ〜４５７ｄのそれぞれがレンズ配置部６１０を介して電気的に接地（アース）されるような構成を採用してもよい。
【０２３９】
次に、サイドインナーレンズ４５７ｄの発光態様について、図２４および図２５に基づいて説明する。なお、図２５においては、主に発光している領域が白色で示され、ほとんど発光していない領域が黒色で示されている。
【０２４０】
図２４に示されるように、サイドインナーレンズ４５７ｄに対する光の供給は、各第１の凹部６０３から行なわれる。右枠ＬＥＤ２８ｃから照射された光は、前方に向けてほぼ水平に照射されるため、照射用開口６１１を通過した光は主に上照射光反射面６１２ｂおよび下照射光反射面６１２ｃにより上方および下方に向けて反射する。照射方向とほぼ平行な上水平導入面６０７ｂに対する上照射光反射面６１２ｂの傾斜角度および下水平導入面６０７ｃに対する下照射光反射面６１２ｃの傾斜角度θ１＝４５度であるため、反射光は上水平導入面６０７ｂおよび下水平導入面６０７ｃに対してほぼ直交する方向に反射する。
【０２４１】
これにより、上水平導入面６０７ｂおよび下水平導入面６０７ｃに対する入射光の入射角が０度となるため、入射光は、上水平導入面６０７ｂおよび下水平導入面６０７ｃによりほぼ屈折することなく、上方および下方に向けてほぼ垂直に入射し、そのまま直線的に進む。
【０２４２】
下水平導入面６０７ｃから入射した入射光は、下方に向けてほぼ垂直方向（パチンコ遊技機１の底面に対して垂直方向）に進み、下水平導入面６０７ｃの直下に配設された上傾斜反射面６０８ｂに入射する。この入射光の光路は、上傾斜反射面６０８ｂの法線Ｈに対して臨界角θ４よりも大きな角度であり、入射前のエネルギーがすべて反射光になるため、前方に向けてほぼ水平に反射する。よって、該上傾斜反射面６０８ｂの前方位置、すなわち、第２の凸部６０６の上部付近がその周辺に比べて強く発光する（図２５参照）。
【０２４３】
なお、上水平導入面６０７ｂから入射した入射光は、上方に向けてほぼ垂直に進み、該上水平導入面６０７ｂの直上に配設された別の下傾斜反射面６０８ｃ（図示省略）に入射する。この入射光の光路は、下傾斜反射面６０８ｃの法線Ｈに対して臨界角θ４よりも大きな角度であり、入射前のエネルギーがすべて反射光になるため、前方に向けてほぼ水平に反射する。よって、該下傾斜反射面６０８ｃの前方位置、すなわち、第２の凸部６０６の下部付近がその周辺に比べて強く発光する（図２５参照）。
【０２４４】
右枠ＬＥＤ２８ｃから照射された光は、前述のようにすべてが上下の照射光反射面６１２ｂ，６１２ｃに向けて水平に照射されるわけではなく、上水平導入面６０７ｂや下水平導入面６０７ｃに対して斜めに入射する光もあるため、これら光は、レンズ内部に透過され、または反射することになる。
【０２４５】
また、右枠ＬＥＤ２８ｃからの照射光、上水平導入面６０７ｂで反射した反射光、または、下水平導入面６０７ｃで反射した反射光等、上照射光反射面６１２ｂの上端辺と上水平導入面６０７ｂとの隙間もしくは下照射光反射面６１２ｃの下端辺と下水平導入面６０７ｃとの隙間に入り込んだ光は、垂直導入面６０７ａに入射し、レンズ内部に透過され、または反射することになるため、該垂直導入面６０７ａの前方上下位置、すなわち、第１の凸部６０５の上下部付近がその周辺に比べて強く発光する（図２５参照）。
【０２４６】
また、垂直導入面６０７ａに入射した光は、反射した場合でもその裏面側に垂直反射面６１２ａが配置されていることにより、反射光が外部に放射されることなく、垂直反射面６１２ａに反射して再度垂直導入面６０７ａに入射するため、垂直導入面６０７ａが明るくなる。さらに、垂直導入面６０７ａにはローレット加工が施されていることで、その裏面側上下端付近から入射する光が凹凸面により上下方向にわたり分散して反射されるため、照射光反射部６１２により右枠ＬＥＤ２８ｃからの照射光が遮られても、上下幅方向にわたり発光することになる。
【０２４７】
このように、サイドインナーレンズ４５７ｄにあっては、裏面側に配置された右枠ＬＥＤ２８ｃとの対向位置に、各導入面６０７ａ〜６０７ｃからなる第１の凹部６０３が凹設されていることにより、右枠ＬＥＤ２８ｃから前方に向けて水平に照射される光により、第１の凹部６０３の前方に形成される第１の凸部６０５付近が、その周辺に比べて強く発光する（図２５参照）。つまり、右枠ＬＥＤ２８ｃが発光することにより、サイドインナーレンズ４５７ｄの表面における各第１の凹部６０３の正面位置に、主に垂直導入面６０７ａから導入された入射光により発光する第１の発光部が形成される。
【０２４８】
また、裏面側に配置された右枠ＬＥＤ２８ｃと対向しない位置に、各反射面６０８ａ〜６０８ｃからなる第２の凹部６０４が凹設されていることにより、主に上下の水平導入面６０７ｂ，６０７ｃからサイドインナーレンズ４５７ｄ内部に透過して垂直方向（パチンコ遊技機１の底面に対して垂直方向）に誘導された光が、上下の傾斜反射面６０８ｂ，６０８ｃでパチンコ遊技機１の前方に向けて反射し誘導されるため、第２の凹部６０４の前方に形成される第２の凸部６０６付近が、その周辺に比べて強く、かつ、第１の凸部６０５とほぼ同じ輝度で発光する（図２５参照）。つまり、右枠ＬＥＤ２８ｃが発光することにより、サイドインナーレンズ４５７ｄの表面における各第２の凹部６０４の正面位置に、主に上下の水平導入面６０７ｂ，６０７ｃから導入された入射光により発光する第２の発光部が形成される。
【０２４９】
また、垂直導入面６０７ａと右枠ＬＥＤ２８ｃとの間には非透光性部材からなる照射光反射部６１２が配置されている。これにより垂直導入面６０７ａの裏面側が遮られていることで、右枠ＬＥＤ２８ｃの照射光が直接垂直導入面６０７ａを透過して前方に放射されることがないので、第１の発光部における輝度が適度に低下される。
【０２５０】
一方、右枠ＬＥＤ２８ｃの前面側には上下の照射光反射面６１２ｂ，６１２ｃが形成されており、右枠ＬＥＤ２８ｃの照射光を上下の水平導入面６０７ｂ，６０７ｃに対して直交方向に入射させるようになっているため、反射による光の損失を極力抑えた状態で照射光を第２の凹部６０４側に向けて誘導することができるばかりか、透過光が上下の水平導入面６０７ｂ，６０７ｃの直下および直上に形成される上下の傾斜反射面６０８ｂ，６０８ｃに向けて直線的に誘導され、上下の傾斜反射面６０８ｂ，６０８ｃに入射する前に外部に放射することを効果的に防止できるため、第２の発光部における輝度を高めることができる。
【０２５１】
さらに、上下の傾斜反射面６０８ｂ，６０８ｃの裏面側には、非透光性部材からなる上下の補助反射面６１３ｂ，６１３ｃが近接配置されているため、上下の傾斜反射面６０８ｂ，６０８ｃから外部に放射される光が再度内部に入射されるため、第２の発光部における輝度を高めることができる。
【０２５２】
また、図２２を用いて説明したように、垂直導入面６０７ａの上下幅寸法Ｌ１＝約５ｍｍであるのに対し、上傾斜反射面６０８ｂおよび下傾斜反射面６０８ｃそれぞれの上下幅寸法Ｌ５，Ｌ６の合計幅寸法Ｌ５＋Ｌ６＝約５ｍｍであることで、サイドインナーレンズ４５７ｄを正面から見たときにおける発光領域の上下幅寸法が、垂直導入面６０７ａの上下幅寸法Ｌ１と、上傾斜反射面６０８ｂおよび下傾斜反射面６０８ｃそれぞれの上下幅寸法Ｌ５，Ｌ６の合計幅寸法Ｌ５＋Ｌ６とがほぼ同寸（Ｌ１＝Ｌ５＋Ｌ６）であるため、第１の発光部および第２の発光部の輝度をほぼ同じようにすることができる。
【０２５３】
さらに、垂直導入面６０７ａの上下幅寸法Ｌ１よりも垂直反射面６０８ａの上下幅寸法Ｌ４の方が短寸（Ｌ１＞Ｌ４）であることで、発光領域を構成する上傾斜反射面６０８ｂと下傾斜反射面６０８ｃとが大きく分離されることがないので、第２の発光部の輝度の低減が防止される。
【０２５４】
このように、裏面側に右枠ＬＥＤ２８ｃが配置される第１の凸部６０５（第１の発光部）における輝度が適度に低減されるとともに、裏面側に右枠ＬＥＤ２８ｃが配置されない第２の凸部６０６（第２の発光部）における輝度が効果的に向上されていることで、第１の凸部６０５（第１の発光部）と第２の凸部６０６（第２の発光部）との輝度の差が極力小さくなっている。これにより輝度の違いによる違和感が生じなくなり、第２の凸部６０６（第２の発光部）の裏面側にもあたかも右枠ＬＥＤが配置されて発光しているように見せることができるため、多量のＬＥＤを配置することなく、インパクトのある発光演出を実現することが可能となる。
【０２５５】
なお、サイドインナーレンズ４５７ｄの下端に形成された第２の半凹部６０４’に関しては、前述した上傾斜反射面６０８ｂ’（図示省略）が上傾斜反射面６０８ｂと同様の作用・効果を奏するとともに、サイドインナーレンズ４５７ｂの上端に形成された第２の半凹部６０４’（図示省略）に関しては、前述した下傾斜反射面６０８ｃ’（図示省略）が下傾斜反射面６０８ｂと同様の作用・効果を奏するため、サイドインナーレンズ４５７ｄの下端およびサイドインナーレンズ４５７ｂの上端もあたかも右枠ＬＥＤが配置されて発光しているように見える。
【０２５６】
さらに、サイドインナーレンズ４５７ｂ，４５７ｄの接合部には、前述したように、サイドインナーレンズ４５７ｄの上端に形成された第２の半凹部６０４’（図示省略）と、サイドインナーレンズ４５７ｂの下端に形成された第２の半凹部６０４’（図示省略）とにより第２の凹部６０４（図示省略）が形成され、他の第２の凹部６０４と同様の作用・効果を奏するため、サイドインナーレンズ４５７ｂ，４５７ｄの接合部もあたかも右枠ＬＥＤが配置されて発光しているように見える。
【０２５７】
また、垂直導入面６０７ａ、上水平導入面６０７ｂ、および、下水平導入面６０７ｃのそれぞれに対して斜めに入射してサイドインナーレンズ４５７ｄ内部に透過した入射光は、主にローレット加工が施された面、つまり各リブ６０２Ｌ，６０２Ｃ，６０２Ｒの前端面や板状部６０１の裏面から外部に放射される。つまり、サイドインナーレンズ４５７ｄ内部に透過した入射光はすべて垂直方向に向けて進むわけではなく、レンズ内面で反射しながら進む光もあり、これによりサイドインナーレンズ４５７ｄの上下方向に延設された各リブ６０２Ｌ、６０２Ｃ、および、６０２Ｒの前端面が、上下方向にわたって均等に発光するため、サイドインナーレンズ４５７ｄの表面を長手方向にわたり発光させることができる。
【０２５８】
また、サイドインナーレンズ４５７ｄ内部から板状部６０１の裏面を経て外部に放射された光は、その裏面に近接配置される底壁面６１０ａにより反射されて再度内部に透過される。サイドインナーレンズ４５７ｄ内部から左右のリブ６０２Ｌ，６０２Ｒの外面を経て外部に放射された光は、その外側に近接配置される傾斜壁面６０１ｂ，６１０ｃにより反射されて再度内部に透過される。これによりサイドインナーレンズ４５７ｄ内部を誘導される光が裏面側に放射しにくくなり、光が前方に向けて放射されやすくなるため、サイドインナーレンズ４５７ｄ全域を効率よく発光させることができる。
【０２５９】
〔打球供給皿の内部構造〕
次に、打球供給皿３の内部構造を、図２６〜図２８に基づいて説明する。図２６は、打球供給皿の内部構造を示す分解斜視図である。図２７は、同じく打球供給皿の内部構造を示す分解斜視図である。図２８は、同じく打球供給皿の内部構造を示す分解斜視図である。
【０２６０】
図２６に示されるように、打球供給皿３は、上皿扉枠１０３の本体を構成する上皿本体板３００と、上皿本体板３００の前方および左右側方を被覆する上皿カバー体３０１と、上向きに開口する皿状に形成される上皿球受け３０２と、から主に構成されている。上皿本体板３００の前面左右側には、供給皿左発光部２００Ｌおよび供給皿右発光部２００Ｒを構成する各種部材が組み付けられる。上皿本体板３００の前面中央には、上皿カバー体３０１および上皿球受け３０２が前面側から取付けられる。上皿本体板３００の前面中央上部には、上皿球受け３０２に待機する待機球との当接による磨耗を保護するカバーシール３１５が取付けられる。
【０２６１】
上皿本体板３００の前面左右側には、供給皿左ＬＥＤ２００ａおよびその外側に配置された供給皿左外ＬＥＤ２００ｃを前面に有する上皿左サイド基板３１０Ｌ，供給皿右ＬＥＤ２００ｂおよびその外側に配置された供給皿右外ＬＥＤ２００ｃを前面に有する上皿右サイド基板３１０Ｒと、上皿左基板シート３１１Ｌ，上皿右基板シート３１１Ｒと、上皿左横飾り３１２Ｌおよび上皿右横飾り３１２Ｒと、上皿左クリアベース３１３Ｌ，上皿右クリアベース３１３Ｒと、上皿左サイドレンズ３１４Ｌおよび上皿右サイドレンズ３１４Ｒとが、それぞれ記載した順に前面側から取付けられている。このような構成において、上皿左基板シート３１１Ｌは上皿左横飾り３１２Ｌと供給皿左ＬＥＤ２００ａとの間に挟まれた態様で取付けられている。また、上皿右基板シート３１１Ｒは上皿右横飾り３１２Ｒと供給皿右ＬＥＤ２００ｂとの間に挟まれた態様で取付けられている。
【０２６２】
また、上皿本体板３００の前面における上皿左サイド基板３１０Ｌ、上皿左基板シート３１１Ｌ、上皿左横飾り３１２Ｌ、上皿左クリアベース３１３Ｌ、上皿、および、左サイドレンズ３１４Ｌのさらに左側には、上皿扉枠１０３を前面枠１０１に対して回動可能に枢支するための上皿ヒンジ３１６および上皿軸カバー３１７が取付けられている。
【０２６３】
上皿カバー体３０１は、合成樹脂材からなる１枚の板材を側面視で略Ｖ字状をなすように屈曲し、該屈曲部が前方に向けて突出するように形成されており、開口収容凹部３０００と呼ばれる凹部により形成される内部空間に、上皿球受け３０２が配設可能とされている。開口収容凹部３０００は、上方等に開口し、各種の部材を収容可能な凹部である。また、左右方向を向く屈曲部３０１ａは、上下方向に所定幅を有しており、該屈曲部３０１ａに供給皿前発光部２０１を構成する横長帯状の前面が形成されている。
【０２６４】
そしてその左右側部には、上皿左横飾り３２０Ｌおよび上皿右横飾り３２０Ｒが背面側から差し込まれて取付けられるとともに、上皿左横飾り３２０Ｌ，上皿右横飾り３２０Ｒの外側には、透明な透光部材として、上皿左横Ｖレンズ３２１Ｌ，上皿右横Ｖレンズ３２１Ｒと、上皿左横レンズ３２２Ｌ，上皿右横レンズ３２２Ｒと、ロゴ（図示省略）が刻印された左ロゴレンズ３２３Ｌ，右ロゴレンズ３２３Ｒと、がそれぞれ記載した順に取付けられている。
【０２６５】
また、屈曲部３０１ａの背面側、すなわち、開口収容凹部３０００には、上皿前レンズ３３０と、上皿前中レンズ３３１Ｌ，３３１Ｒと、上皿前左反射板３３２Ｌおよび上皿前右反射板３３２Ｒと、上皿前左シート３３３Ｌおよび上皿前右シート３３３Ｒと、供給皿前ＬＥＤ２０１ａ（図２９、図３０参照）を前面に有する上皿前左基板３３４Ｌおよび上皿前右基板３３４Ｒと、上皿前基板カバー３３５と、がそれぞれ記載した順に背面側から取付けられている。これらレンズは、すべて、透明な透光部材である。また、上皿前左反射板３３２Ｌおよび上皿前右反射板３３２Ｒのそれぞれには、光を反射するために、メッキ（銀メッキ）が施されている。これらレンズおよび基板の構成については、図２９および図３０を用いて詳細に説明する。そして、開口収容凹部３０００の背面に、上皿本体板３００が取付けられる。上皿前中レンズ３３１Ｌ，３３１Ｒは、棒状に一体形成されたレンズである。
【０２６６】
この棒状の上皿前中レンズ３３１Ｌ，３３１Ｒにより、その背面側に配置される４つの供給皿前ＬＥＤ２０１ａの光が左右方向に拡散されるようになっている。前述したように、供給皿前発光部２０１は、打球供給皿３の前面において、最も前方に突出した位置において横方向に延びる領域に設けられている。供給皿前発光部２０１は、打球供給皿３の前面において最も前方に突出した位置において横方向に延びる領域に開口部３１０ａが形成され、その開口部３１０ａに臨む態様で、前述の発光体およびレンズ等が取付けられることにより構成される。具体的に、前述したその開口部３１０ａには、開口部３１０ａと同様の棒状の上皿前レンズ３３０が臨む態様で嵌合されて取付けられる。そして、前述したように、上皿前中レンズ３３１Ｌ，３３１Ｒと、上皿前左反射板３３２Ｌおよび上皿前右反射板３３２Ｒと、上皿前左シート３３３Ｌおよび上皿前右シート３３３Ｒと、供給皿前ＬＥＤ２０１ａを前面に有する上皿前左基板３３４Ｌおよび上皿前右基板３３４Ｒと、上皿前基板カバー３３５とは、ネジにより上皿前レンズ３３０と一体的に取付けられる。この場合、上皿前レンズ３３０と、上皿前左基板３３４Ｌおよび上皿前右基板３３４Ｒとの位置関係は、上皿前レンズ３３０がこれら基板上の臨む態様で取付けられる。これにより、供給皿前ＬＥＤ２０１ａによって左右方向に拡散した光は、上皿前レンズ３３０を透過して、開口収容凹部３０００の内部から外部へ放射される。このような構成において、上皿前左反射板３３２Ｌおよび上皿前右反射板３３２Ｒは、上皿前中レンズ３３１Ｌ，３３１Ｒの裏面側に嵌め入れられる。また、上皿前左シート３３３Ｌおよび上皿前右シート３３３Ｒは、上皿前左反射板３３２Ｌおよび上皿前右反射板３３２Ｒと、上皿前基板カバー３３５との間に挟まれた態様で取付けられる。
【０２６７】
供給皿左発光部２００Ｌを発光させる発光体としての供給皿左ＬＥＤ２００ａを有する上皿左サイド基板３１０Ｌおよび供給皿左発光部２００Ｒを発光させる発光体としての供給皿右ＬＥＤ２００ｂを有する上皿右サイド基板３１０Ｒは、上皿本体板３００の前面左右側にそれぞれ前向きに設けられている。したがって、パチンコ遊技機１の左右側面側を向く供給皿左発光部２００Ｌおよび供給皿右発光部２００Ｒは、前方に向けて光を照射する供給皿左ＬＥＤ２００ａ、および、供給皿右ＬＥＤ２００ｂの前方に前後方向に縦向き姿勢で配置される各レンズ３２１Ｌ〜３２３Ｌ，３２１Ｒ〜３２３Ｒが間接的に面発光することで発光するようになっている。
【０２６８】
また、本実施の形態では、特に図示はしないが、三角形状の左ロゴレンズ３２３Ｌ，右ロゴレンズ３２３Ｒは、刻印された図示しないロゴのみが発光するようになっているが、略三角形状をなす左ロゴレンズ３２３Ｌ，右ロゴレンズ３２３Ｒ全域を面発光させてもよい。
【０２６９】
なお、供給皿左外ＬＥＤ２００ｃおよび供給皿右外ＬＥＤ２００ｃが発光することで、前面側を向く上皿左サイドレンズ３１４Ｌ、上皿右サイドレンズ３１４Ｒが面発光するようになっており、入賞異常報知を行なうために利用されるが、遊技に関わる演出や装飾用発光部として利用してもよい。
【０２７０】
次いで、図２７に示されるように、上皿本体板３００の背面側には、払出口１１２と払出連通口１１２ａとを連通させるための前板シュート３６０、前板シュート板金３６１、および、下前板シュート板金３６２が、払出口１１２の背面にネジにより取付けられるとともに、待機球誘導口１１９の背面側には、整流器下板金３６３がネジにより取付けられる。これらの背面側には、上皿本体板３００の背面を被覆するように取付けられる補強用の上皿本体板金３６４がネジにより取付けられる。
【０２７１】
また、上皿本体板金３６４の背面には、上皿板金３６５と、打球発射装置９１に球を１球ずつ供給するための整流器３６６と、上皿扉枠１０３を構成する上皿本体板３００を前面枠１０１に係止するための上皿ロックセット３６７と、がネジにより取付けられる。なお、３６８は整流器押え金具であり、３６９は配線クランプであり、３７０は上皿アース板金である。
【０２７２】
上皿カバー体３０１の下面には、上皿下飾り３７５がネジにより取付けられているとともに、上皿下飾り３７５の下部左右側には、左上皿下飾り３７６ａおよび右上皿下飾り３７６ｂが取付けられている。
【０２７３】
上皿カバー体３０１の上面には、図２８（ａ）に示されるように、上方に開口し各種部材を収容可能な凹部である収容凹部としての切欠凹部３０１ｂが形成されている。切欠凹部３０１ｂは、開口収容凹部３０００の一部をなす凹部である。切欠凹部３０１ｂには、カードユニット５０に係わる操作部や表示部等が設けられる残高ベース３８０および上皿球受け３０２が載置されかつ収容される態様で取付けられる。具体的に、上皿球受け３０２は、切欠凹部３０１ｂの上部、より具体的には、残高ベース３８０上部および裏面側に嵌合される。
【０２７４】
残高ベース３８０は、左側に上皿球受け３０２を載置して収容可能な収容凹部３８０ａが形成されているとともに、右側には水平面からなるパネル取付部３８０ｂが形成されている。収容凹部３８０ａは、開口収容凹部３０００の一部をなす凹部である。パネル取付部３８０ｂには、後述するジョグボタン５００、球貸ボタン３８１ａ、返却ボタン３８１ｂ、残高表示器３８２が取付けられるようになっており、該パネル取付部３８０ｂの表面には、残高装飾パネル３８３が取付けられている。
【０２７５】
開口収容凹部３０００は、漸時上方へ反り返る底面と、漸時下方へ垂れ下がり当該底面の反り返った縁部に連結される上面とで形成され、さらに上面に開口が形成される。これにより、収容凹部３８０ａが形成されている。また、上皿球受け３０２は、底面部と、当該底面部の前面側および左右の側方に相当する辺に立ち壁を有してなる形状である。このような上皿球受け３０２は、立ち壁の上縁端が開口収容凹部３０００の開口に密着して嵌め入れられる。開口収容凹部３０００において、前述の上面と底面とにより形成される左右両側方の開口に、それぞれ、供給皿左発光部２００Ｌと供給皿右発光部２００Ｒとが嵌合する態様で、供給皿左発光部２００Ｌおよび供給皿右発光部２００Ｒが取付けられる。そして、開口収容凹部３０００における残りの開口、すなわち、背面側の開口は、上皿本体板３００が取付けられることにより塞がれる。
【０２７６】
図２８（ｂ）に示されるように、残高ベース３８０は、切欠凹部３０１ｂの上部に取付けられる。そして、上皿球受け３０２は、切欠凹部３０１ｂの上部、より具体的には、残高ベース３８０上部および裏面側に嵌合される。この場合、上皿球受け３０２は、残高ベース３８０により、上皿カバー体３０１と連結される態様で上皿カバー体３０１に取付けられている。
【０２７７】
残高装飾パネル３８３には、カードユニット５０にて受付けられた記録媒体（たとえばＩＣカードやＩＣコイン等）等に記憶された有価価値の大きさを表示するための残高表示器３８２の表示部を透視可能とする残高表示レンズ３８４が取付けられている。残高表示器３８２は、残高表示基板３８５の上面に実装されているとともに、残高表示基板３８５の上面には、残高基板シート３８６が取付けられている。
【０２７８】
また、後述するジョグボタン５００は、パネル取付部３８０ｂに形成された円筒状のジョグボタン取付穴３８０ｃに上方から嵌合されるようになっており、その押圧操作面が残高装飾パネル３８３の上面よりも上方に突出した状態で配置されている。
【０２７９】
上皿カバー体３０１の内部には、上皿中継基板３９０が背面に取付けられる上皿中継基板ベース３９１がネジにより背面側から取付けられている。
【０２８０】
上皿中継基板ベース３９１の上方に配置される上皿球受け３０２には、貯留部３０２ａと整流部３０２ｂとが形成されており、整流部３０２ｂの下面の一部は、金属製のメタルシュー３９３により構成されており、打球発射装置９１に誘導される球がアースされるようになっている。また、整流部３０２ｂからは、球抜き口１１３に連通する球抜き通路３９２が斜め下方に向けて連設され、さらにその前面側には、該球抜き通路３９２の上流側の開口を開閉可能とする上皿球抜きシャッター３９４と、該上皿球抜きシャッター３９４を開閉操作するための上皿球抜きレバー３９５および上皿球抜きレバーベース３９５ａと、球抜き軸ピン３９７と、上皿球抜きレバー３９５を閉鎖方向に付勢する上皿球抜きバネ３９８と、上皿球抜きリンク３９９とが取付けられているとともに、これら部材は上皿球抜きカバー３９６により前面側が覆われている。上皿球抜きレバー３９５を操作することにより上皿球抜きシャッター３９４が開放され、余剰球受皿４に球が流出することになる。
【０２８１】
〔打球供給皿の発光部構造〕
次に、図２９および図３０に基づいて、供給皿前発光部２０１の発光部構造を説明する。図２９は、（ａ）が上皿前中レンズを示す正面図であり、（ｂ）が（ａ）のＥ−Ｅ断面図である。図３０は、（ａ）が図２９（ｂ）の要部拡大図であり、（ｂ）が（ａ）のＦ−Ｆ断面図である。
【０２８２】
供給皿前発光部２０１には、図２９に示されるように、前述した導光部材としての上皿前中レンズ３３１Ｌ，３３１Ｒおよびその背面（裏面）側に配置される供給皿前ＬＥＤ２０１ａとから主に構成される直線発光部が左右方向に設けられている。
【０２８３】
上皿前中レンズ３３１Ｌ，３３１Ｒは、透明な合成樹脂材により棒状に形成されている。図３０（ｂ）に示されるように、側面視凸状に形成され、その前面は中央発光面３３１ａ，上発光面３３１ｂ，下発光面３３１ｃとから構成されている。これら中央発光面３３１ａ，上発光面３３１ｂ，下発光面３３１ｃには、長手方向にわたりローレット加工が施され、開角θ３＝９０度をなす縦断面三角形状の切欠が上下方向に向けて連続して形成されており（図３０（ａ）参照）、内部の光が外方に放射されるようになっている。
【０２８４】
上皿前中レンズ３３１Ｌ，３３１Ｒの裏面には、上下幅方向に延びる第１の凹部７０３および第２の凹部７０４が、長手方向に向けて所定間隔おきに交互に凹設されている。第１の凹部７０３は、図３０（ａ）に示されるように、左右方向を向く横導入面７０７ａと、該横導入面７０７ａの左端から裏面側に向けて連設され、前後方向を向く左縦導入面７０７ｂと、該横導入面７０７ａの右端から裏面側に向けて連設され、前後方向を向く右縦導入面７０７ｃと、により側面視略逆コ字形に形成された照射光導入面を構成している。第１の凹部７０３では、その裏面側に配置される供給皿前ＬＥＤ２０１ａからの照射光が上皿前中レンズ３３１Ｌ，３３１Ｒ内部に導入される。
【０２８５】
なお、横導入面７０７ａには左右方向にわたりローレット加工が施され、開角θ３＝９０度をなす縦断面三角形状の切欠が左右方向に向けて連続してなる光拡散部が形成されており、内部の光が外方に放射されるようになっている。
【０２８６】
第２の凹部７０４は、左右方向を向く横反射面７０８ａと、該横反射面７０８ａの左端から裏面側に向けて左方に傾斜する左傾斜反射面７０８ｂと、該横反射面７０８ａの右端から裏面側に向けて右方に傾斜する右傾斜反射面７０８ｃと、からなる反射面を構成している。第２の凹部７０４では、上記照射光導入面から内部に導入されて上皿前中レンズ３３１Ｌ，３３１Ｒ内部を長手方向に向けて誘導された光を前側に向けて反射する。
【０２８７】
なお、横反射面７０８ａには左右方向にわたりローレット加工が施され、開角θ３＝９０度をなす縦断面三角形状の切欠が左右方向に向けて連続してなる光拡散部が形成されており、内部の光が外方に放射されるようになっている。
【０２８８】
また、図２９（ｂ）に示されるように、上皿前中レンズ３３１Ｌの左端には、前記第２の凹部７０４の右半分、つまり左右幅寸法が横反射面７０８ａの左右幅寸法の半分の横反射面７０８ａ’（図示省略）と右傾斜反射面７０８ｃ’（図示省略）とからなる第２の半凹部７０４’が形成されている。第２の半凹部７０４’の前面側には、該第２の半凹部７０４’を形成するための第２の半凸部７０６’が凸設されている。
【０２８９】
なお、上皿前中レンズ３３１Ｌと左右対象に形成される上皿前中レンズ３３１Ｒの右端には、第２の半凹部７０４’および第２の半凸部７０６’が同様に形成されている。
【０２９０】
また、上皿前中レンズ３３１Ｌの右端には、前記第２の凹部７０４の左半分、つまり左右幅寸法が横反射面７０８ａの左右幅寸法の約１／４の横反射面７０８ａ’（図示省略）と左傾斜反射面７０８ｂ’（図示省略）とからなる第２の半凹部７０４’（図示省略）が形成されている。第２の半凹部７０４’の前面側には、該第２の半凹部７０４’（図示省略）を形成するための第２の半凸部７０６’（図示省略）が凸設されている。
【０２９１】
すなわち、この上皿前中レンズ３３１Ｌと左右対象に形成される上皿前中レンズ３３１Ｒの左端には、特に詳細な図示はしないが、前記第２の凹部７０４の右半分、つまり左右幅寸法が横反射面７０８ａの左右幅寸法の約１／４の横反射面７０８ａ’（図示省略）と右傾斜反射面７０８ｃ’（図示省略）とからなる第２の半凹部７０４’（図示省略）が形成されている。その第２の半凹部７０４’の前面側には、当該第２の半凹部７０４’（図示省略）を形成するための第２の半凸部７０６’（図示省略）が凸設されている。このため、これら上皿前中レンズ３３１Ｌの右端に形成される第２の半凹部７０４’と、上皿前中レンズ３３１Ｒの左端に形成される第２の半凹部７０４’とにより、互いの左右端部同士を付き合わせたときに、左右幅が横反射面７０８ａの約半分の横反射面７０８ａ’からなる１つの第２の凹部７０４および第２の凸部７０６が形成されるようになっている。
【０２９２】
一方、上皿前左反射板３３２Ｌ，上皿前右反射板３３２Ｒの前面には、上皿前中レンズ３３１Ｌ，３３１Ｒを前方から配置可能なレンズ配置部７１０が、第１の凸部７０５に対応する箇所に形成されている。レンズ配置部７１０には、その裏面側に配置される各供給皿前ＬＥＤ２０１ａとの対向位置に、該供給皿前ＬＥＤ２０１ａの照射面を前方に露呈させるための照射用開口７１１が左右方向にわたって複数形成されている。このような照射用開口７１１が形成されることにより、左右方向に向けて所定間隔おきに配設された各供給皿前ＬＥＤ２０１ａからの照射光を照射用開口７１１を介して前方に向けて照射させることができる。
【０２９３】
照射用開口７１１の前方には、上皿前中レンズ３３１Ｌ，３３１Ｒが配置された状態において、第１の凹部７０３内に収容されて係合する三角柱状の照射光反射部７１２が左右方向に向けて架設されている。この照射光反射部７１２の裏面側には、裏面側に向けて右方に傾斜する左照射光反射面７１２ｂと、裏面側に向けて左方に傾斜する右照射光反射面７１２ｃとがそれぞれ形成されている。左照射光反射面７１２ｂは、供給皿前ＬＥＤ２０１ａからの照射光を、該第１の凹部７０３の左方に設けられた第２の凹部７０４の右傾斜反射面７０８ｃに向けて反射させ、左縦導入面７０７ｂに入射させる。右照射光反射面７１２ｃは、供給皿前ＬＥＤ２０１ａからの照射光を、該第１の凹部７０３の右方に設けられた第２の凹部７０４の左傾斜反射面７０８ｂに向けて反射させ、右縦導入面７０７ｃに入射させる。
【０２９４】
また、上皿前左反射板３３２Ｌおよび上皿前右反射板３３２Ｒには、上皿前中レンズ３３１Ｌ，３３１Ｒが配置された状態において、第２の凹部７０４内に嵌合される補助反射部７１３が前方に向けて凸設されている。補助反射部７１３は、左右方向を向く横補助反射面７１３ａと、該横補助反射面７１３ａの左端から裏面側に向けて左方に傾斜する左補助反射面７１３ｂと、該横補助反射面７１３ａの右端から裏面側に向けて右方に傾斜する右補助反射面７１３ｃと、により横断面略三角形状に形成されている。上皿前中レンズ３３１Ｌ，３３１Ｒが配置された状態において、横補助反射面７１３ａが横反射面７０８ａの裏面に当接し、左補助反射面７１３ｂが左傾斜反射面７０８ｂの裏面に当接し、右補助反射面７１３ｃが右傾斜反射面７０８ｃの裏面に当接するようになっている。
【０２９５】
また、上皿前左反射板３３２Ｌおよび上皿前右反射板３３２Ｒの前面左端部には、特に詳細な図示はしないが、前記補助反射部７１３の右半分、つまり左右幅寸法が横補助反射面７１３ａの左右幅寸法の半分の横補助反射面７１３ａ’（図示省略）と右補助反射面７１３ｃ’（図示省略）とからなる半補助反射部７１３’が形成されている。上皿前中レンズ３３１Ｌが配置された状態において、上皿前中レンズ３３１Ｌの左端の横反射面７０８ａ’（図示省略）が横補助反射面７１３ａ’（図示省略）に当接もしくは近接し、また、右傾斜反射面７０８ｃ’（図示省略）が右補助反射面７１３ｃ’（図示省略）に当接もしくは近接する。このように反射面間を所定の間隔で形成すると、前述した場合と同様の理由に基づいて、発光する部分の発光面積を広くできるという観点で好ましい。
【０２９６】
また、上皿前左反射板３３２Ｌおよび上皿前右反射板３３２Ｒの前面右端部には、特に詳細な図示はしないが、前記補助反射部７１３の左半分、つまり左右幅寸法が横補助反射面７１３ａの左右幅寸法の半分の横補助反射面７１３ａ’（図示省略）と左補助反射面７１３ｂ’（図示省略）とからなる半補助反射部７１３’が形成されている。上皿前中レンズ３３１Ｒが配置された状態において、上皿前中レンズ３３１Ｒの右端の横反射面７０８ａ’（図示省略）が横補助反射面７１３ａ’（図示省略）に、また、左傾斜反射面７０８ｂ’（図示省略）が左補助反射面７１３ｂ’（図示省略）に当接もしくは近接するようになっている。このように反射面間を所定の間隔で形成すると、前述した場合と同様の理由に基づいて、発光する部分の発光面積を広くできるという観点で好ましい。
【０２９７】
上皿前左反射板３３２Ｌ、上皿前右反射板３３２Ｒ、照射光反射部７１２、および、補助反射部７１３は、非透光性の合成樹脂材により構成されているとともに、その前面および上記各反射面７１２ａ〜７１２ｃ，７１３ａ〜７１３ｃにはメッキ処理が施されている。このため、上皿前中レンズ３３１Ｌ，３３１Ｒ内部から放射される光を損失させることなく効率よく反射して再度内部に入射させるようになっている。
【０２９８】
次に、上述のように構成された上皿前中レンズ３３１Ｌ，３３１Ｒ、上皿前左反射板３３２Ｌ，上皿前右反射板３３２Ｒ、供給皿前ＬＥＤ２０１ａの詳細な構造および互いの配置関係等について説明する。
【０２９９】
第１の凹部７０３および第２の凹部７０４は、図３０に示されるように、裏面側に向けて開放する凹溝状に形成されている。詳しくは、第１の凹部７０３を構成する横導入面７０７ａの左右幅寸法Ｌ１は約４．４ｍｍであり、左縦導入面７０７ｂおよび右縦導入面７０７ｃの前後幅寸法Ｌ２は約３．４ｍｍとされている。なお、図２９および図２２には各部位に係る寸法（単位はｍｍ）が記載されている。また、各寸法は小数第２以下を四捨五入した寸法としている。
【０３００】
この第１の凹部７０３内に収容される照射光反射部７１２の横反射面７１２ａの左右幅寸法は、前記横導入面７０７ａの左右幅寸法Ｌ１よりも短寸とされており、横反射面７１２ａの左端と左縦導入面７０７ｂとの間および横反射面７１２ａの右端と右縦導入面７０７ｃとの間には僅かな隙間が形成されている。よって、供給皿前ＬＥＤ２０１ａからの照射光がこの僅かな隙間から照射光反射部７１２よりも前方に向けて放射されるようになっている。
【０３０１】
照射光反射部７１２は、左照射光反射面７１２ｂと右照射光反射面７１２ｃとの接合端辺、すなわち頂辺が底壁面７１０ａよりもやや前方に位置するように設けられている。また、左縦導入面７０７ｂに対する左照射光反射面７１２ｂの傾斜角度および右縦導入面７０７ｃに対する右照射光反射面７１２ｃの傾斜角度θ１はそれぞれ約４５度とされている。各供給皿前ＬＥＤ２０１ａは、光を前方に向けて略水平に照射、すなわち、横導入面７０７ａに対して直交方向に照射するように配置されている。このため、該供給皿前ＬＥＤ２０１ａからの照射光は、左照射光反射面７１２ｂと右照射光反射面７１２ｃとによりそれぞれ左右方向に反射されるようになっている。
【０３０２】
第２の凹部７０４を構成する横反射面７０８ａの左右幅寸法Ｌ４は約２．７ｍｍであり、左傾斜反射面７０８ｂの左右幅寸法Ｌ５および右傾斜反射面７０８ｃの左右幅寸法Ｌ６、すなわち、左傾斜反射面７０８ｂおよび右傾斜反射面７０８ｃ左右の端辺間の左右幅寸法はそれぞれ約２．２ｍｍであり、左傾斜反射面７０８ｂの左端辺と右傾斜反射面７０８ｃの右端辺との間の左右幅寸法Ｌ３（Ｌ３＝Ｌ４＋Ｌ５＋Ｌ６）は約７．２ｍｍとされている。なお、上皿前左反射板３３２Ｌ，上皿前右反射板３３２Ｒの前面から横反射面７０８ａまでの前後幅は約３．５ｍｍとされている。
【０３０３】
また、左右方向を向く上皿前中レンズ３３１Ｌ，３３１Ｒの裏面に対する左傾斜反射面７０８ｂおよび右傾斜反射面７０８ｃの傾斜角度θ２はそれぞれ約１２５度とされている。つまり、上皿前中レンズ３３１Ｌ，３３１Ｒの裏面に対して直交する前後面に対する左傾斜反射面７０８ｂおよび右傾斜反射面７０８ｃの傾斜角度は、それぞれ約３５度であるため、左縦導入面７０７ｂ，右縦導入面７０７ｃに対して直交方向に入射した光を前方に向けて効率よく反射させることができるようになっている。
【０３０４】
複数の供給皿前ＬＥＤ２０１ａが前面における長手方向に向けて所定間隔おきに複数配置された上皿前左反射板３３２Ｌ，上皿前右反射板３３２Ｒは、レンズ配置部７１０の裏面側に近接配置されているとともに、各供給皿前ＬＥＤ２０１ａが各照射用開口７１１に臨むように配設されている。すなわち、各照射光反射部７１２の裏面側には供給皿前ＬＥＤ２０１ａがそれぞれ配設されているが、補助反射部７１３の裏面側には供給皿前ＬＥＤ２０１ａは配設されない。なお、各供給皿前ＬＥＤ２０１ａは、光を前方に向けて略水平に照射、すなわち、横導入面７０７ａに対して直交方向に照射するように配置されている。
【０３０５】
上皿前中レンズ３３１Ｌ，３３１Ｒは、図２９（ｂ）に示されるように、裏面に形成された第１の凹部７０３を照射光反射部７１２に対向させるとともに、第２の凹部７０４を補助反射部７１３に対向させた状態で前面側から配置する。また、配置された状態において、裏面が上皿前左反射板３３２Ｌ，上皿前右反射板３３２Ｒの前面にそれぞれ当接するとともに、第１の凹部７０３内に照射光反射部７１２が収容して嵌合され、第２の凹部７０４内に補助反射部７１３が嵌合されるようになっている。
【０３０６】
このように構成された上皿前中レンズ３３１Ｌ，３３１Ｒは、第１の凹部７０３および第２の凹部７０４が形成されていることにより、前述したサイドインナーレンズ４５７ｄと同様に発光する。すなわち、裏面側に配置された各供給皿前ＬＥＤ２０１ａとの対向位置に、各導入面７０７ａ〜７０７ｃからなる第１の凹部７０３が凹設されていることにより、供給皿前ＬＥＤ２０１ａから前方に向けて水平に照射される光により、第１の凹部７０３の付近が、その周辺に比べて強く発光する。つまり、各供給皿前ＬＥＤ２０１ａが発光することにより、上皿前中レンズ３３１Ｌ，３３１Ｒの表面における各第１の凹部７０３の正面位置に、主に横導入面７０７ａから導入された入射光により発光する第１の発光部が形成される。
【０３０７】
また、裏面側に配置された各供給皿前ＬＥＤ２０１ａと対向しない位置に、各反射面７０８ａ〜７０８ｃからなる第２の凹部７０４が凹設されていることにより、主に左右の縦導入面７０７ｂ，７０７ｃから上皿前中レンズ３３１Ｌ，３３１Ｒ内部に透過して左右方向に誘導された光が、左右の傾斜反射面７０８ｂ，７０８ｃにより前方に向けて反射誘導されるため、第２の凹部７０４の前方に形成される第２の凸部７０６付近が、その周辺に比べて強く、かつ、第１の凸部７０５とほぼ同じ輝度で発光する。つまり、各供給皿前ＬＥＤ２０１ａが発光することにより、上皿前中レンズ３３１Ｌ，３３１Ｒの表面における各第２の凹部７０４の正面位置に、主に左右の縦導入面７０７ｂ，７０７ｃから導入された入射光により発光する第２の発光部が形成される。
【０３０８】
また、横導入面７０７ａと供給皿前ＬＥＤ２０１ａとの間には非透光性部材からなる照射光反射部７１２が配置されている。これにより横導入面７０７ａの裏面側が遮られていることで、供給皿前ＬＥＤ２０１ａの照射光が直接横導入面７０７ａを透過して前方に放射されることがないので、第１の発光部における輝度が適度に低下される。
【０３０９】
一方、供給皿前ＬＥＤ２０１ａの前面側には左右の照射光反射面７１２ｂ，７１２ｃが形成されており、供給皿前ＬＥＤ２０１ａの照射光を左右の縦導入面７０７ｂ，７０７ｃに対して直交方向に入射させるようになっている。このため、反射による光の損失を極力抑えた状態で照射光を第２の凹部７０４側に向けて誘導することができるばかりか、透過光が左右の縦導入面７０７ｂ，７０７ｃの直下および直上に形成される上下の傾斜反射面７０８ｂ，７０８ｃに向けて直線的に誘導され、上下の傾斜反射面７０８ｂ，７０８ｃに入射する前に外部に放射することを効果的に防止できるため、第２の発光部における輝度を高めることができる。
【０３１０】
さらに、上下の傾斜反射面７０８ｂ，７０８ｃの裏面側には、非透光性部材からなる上下の補助反射面７１３ｂ，７１３ｃが近接配置されているため、上下の傾斜反射面７０８ｂ，７０８ｃから外部に放射される光が再度内部に入射されるため、第２の発光部における輝度を高めることができる。
【０３１１】
また、図３０（ａ）を用いて説明したように、横導入面７０７ａの上下幅寸法Ｌ１＝約４．４ｍｍであるのに対し、左傾斜反射面７０８ｂおよび右傾斜反射面７０８ｃそれぞれの左右幅寸法Ｌ５，Ｌ６の合計幅寸法Ｌ５＋Ｌ６＝約４．４ｍｍであることで、上皿前中レンズ３３１Ｌ，３３１Ｒを正面から見たときにおける発光領域の左右幅寸法が、横導入面７０７ａの左右幅寸法Ｌ１と、左傾斜反射面７０８ｂおよび右傾斜反射面７０８ｃそれぞれの左右幅寸法Ｌ５，Ｌ６の合計幅寸法Ｌ５＋Ｌ６とがほぼ同寸（Ｌ１＝Ｌ５＋Ｌ６）である。このため、第１の発光部および第２の発光部の輝度をほぼ同じようにすることができる。
【０３１２】
さらに、横導入面７０７ａの左右幅寸法Ｌ１よりも横反射面７０８ａの左右幅寸法Ｌ４の方が短寸（Ｌ１＞Ｌ４）であることで、発光領域を構成する左傾斜反射面７０８ｂと右傾斜反射面７０８ｃとが大きく分離されることがないので、第２の発光部の輝度の低減が防止される。
【０３１３】
このように、裏面側に供給皿前ＬＥＤ２０１ａが配置される第１の発光部における輝度が適度に低減されるとともに、裏面側に供給皿前ＬＥＤ２０１ａが配置されない第２の発光部における輝度が効果的に向上されていることで、第１の発光部と第２の発光部との輝度の差が極力小さくなっている。これにより輝度の違いによる違和感が生じなくなり、第２の発光部の裏面側にもあたかも供給皿前ＬＥＤ２０１ａが配置されて発光しているように見せることができるため、多量のＬＥＤを配置することなく、インパクトのある発光演出を実現することが可能となる。
【０３１４】
また、横導入面７０７ａ，左縦導入面７０７ｂ，右縦導入面７０７ｃに対してそれぞれ斜めに入射して上皿前中レンズ３３１Ｌ，３３１Ｒ内部に透過した入射光は、主にローレット加工が施された面、つまり各前面３３１ａ，３３１ｂ，３３１ｃから外部に放射される。つまり、上皿前中レンズ３３１Ｌ，３３１Ｒ内部に透過した入射光はすべて左右方向に向けて進むわけではなく、レンズ内面で反射しながら進む光もある。これにより上皿前中レンズ３３１Ｌ，３３１Ｒ左右方向にわたって均等に発光するため、上皿前中レンズ３３１Ｌ，３３１Ｒの表面を長手方向にわたり発光させることができる。
【０３１５】
また、上皿前中レンズ３３１Ｌ，３３１Ｒの裏面から外部に放射された光は、その裏面に近接配置される上皿前左反射板３３２Ｌ，上皿前右反射板３３２Ｒの前面により反射されて再度内部に透過されることで、上皿前中レンズ３３１Ｌ，３３１Ｒ内部を誘導される光が裏面側に放射しにくくなり、光が前方に向けて放射されやすくなるため、上皿前中レンズ３３１Ｌ，３３１Ｒ全域を効率よく発光させることができる。
【０３１６】
〔打球供給皿の左右の発光部構造〕
次に、図３１〜図３６に基づいて、扉枠左発光部２０４Ｌ，扉枠右側方発光部２０４Ｒを構成する上皿左サイドレンズ体および上皿右サイドレンズ体の構造を説明する。図３１は、（ａ）は上皿左サイドレンズ体を示す平面図であり、（ｂ）は上皿左サイドレンズ体を示す正面図であり、（ｃ）は上皿左サイドレンズ体を示す右側面図である。図３２は、図３１（ｂ）のＡ−Ａ断面図である。図３３は、（ａ）は、上皿左サイドレンズ体の上部拡大断面図であり、（ｂ）は上皿左サイドレンズ体の下部拡大断面図である。図３４は、上皿左サイドレンズ体における導光状態を示す拡大断面図である。図３５は、上皿左サイドレンズ体の発光状態を示す概略図である。図３６は、凹レンズにおける光の屈折状態を示す原理図である。また、図３２における左側を上皿左サイドレンズ体の前面側、右側を上皿左サイドレンズ体の背面側として説明する。
【０３１７】
図３１〜図３６において、上皿左サイドレンズ体の一部を構成する上皿左基板シート３１１Ｌおよび上皿左サイドレンズ３１４Ｌの図示は省略している。扉枠右側方発光部２０４Ｒの発光部構造は、扉枠左発光部２０４Ｌの発光部構造とほぼ同様であり、同様の作用・効果を奏するため、ここでの詳細な説明は省略する。扉枠左発光部２０４Ｌおよび扉枠右側方発光部２０４Ｒは、たとえば、入賞異常報知を行なうために用いられる。
【０３１８】
扉枠左発光部２０４Ｌの一部を構成する上皿左サイドレンズ体８００は、図２０および図３１に示されるように、上皿左サイド基板３１０Ｌ、上皿左基板シート３１１Ｌ（図示省略）、上皿左横飾り３１２Ｌ、上皿左クリアベース３１３Ｌ、および、上皿左サイドレンズ３１４Ｌ（図示省略）により構成される。上皿左サイド基板３１０Ｌは、供給皿左ＬＥＤ２００ａおよびその外側に配置された発光体としての供給皿左外ＬＥＤ２００ｃを前面に有する。上皿左基板シート３１１Ｌは、上皿左サイド基板３１０Ｌの前面側に配置される。上皿左横飾り３１２Ｌは、上皿左基板シート３１１Ｌの前面側に配置される。上皿左クリアベース３１３Ｌは、上皿左横飾り３１２Ｌの前面における左側に配置される。上皿左サイドレンズ３１４Ｌは、上皿左クリアベース３１３Ｌの前面側に配置される。
【０３１９】
上皿左サイド基板３１０Ｌおよび上皿左横飾り３１２Ｌは、上皿本体板３００の前面にネジを介して取付けられるようになっており、上皿左クリアベース３１３Ｌは、係止爪を介して上皿左横飾り３１２Ｌに係止されている。
【０３２０】
図３１に示されるように、上皿左横飾り３１２Ｌは、非透明な合成樹脂材により上皿左サイド基板３１０Ｌの前面を被覆するように形成されている。上皿左横飾り３１２Ｌの前面および背面（全面）にはメッキ処理が施されており、上皿左クリアベース３１３Ｌの内部を誘導され背面側に放射された光を前方に向けて反射するようになっている。これにより、供給皿左外ＬＥＤ２００ｃから上皿左クリアベース３１３Ｌの内部に誘導された光を背面側への放射により損失することなく、前方に集中させることができるため、上皿左クリアベース３１３Ｌの発光量の低減を防止することできる。上・中・下段の各供給皿左ＬＥＤ２００ａに対応する箇所には、各供給皿左ＬＥＤ２００ａを上皿左基板シート３１１Ｌを通して前方に臨ませるための開口８０１ａ〜８０１ｃ（図３１（ｂ）参照）がそれぞれ形成されている。
【０３２１】
左側上下の各供給皿左外ＬＥＤ２００ｃに対応する箇所には、図３２に示されるように、前方に向けて膨出する中空状の膨出部８０２ａ，８０２ｂが形成されており、８０２の前端面に上皿左クリアベース３１３Ｌの背面（裏面）が当接して配置されるようになっているとともに、膨出部８０２ａ，８０２ｂの前端面には、後述する柱状導光部８０５ａ，８０５ｂが遊挿可能な挿通口８０３がそれぞれ形成されている。
【０３２２】
上皿左クリアベース３１３Ｌは、透明な合成樹脂材により厚さ約３ｍｍ（図３２参照）の板材により帯状に形成されており、上皿左横飾り３１２Ｌの前面に上下方向に向けて取付けられている。図３２に示されるように、上皿左クリアベース３１３Ｌの背面３１３ｂ（裏面）における上下の各供給皿左外ＬＥＤ２００ｃに対応する箇所には、円柱状の柱状導光部８０５ａ，８０５ｂが後向きに突設されている。柱状導光部８０５ａ，８０５ｂの後端面には、各供給皿左ＬＥＤ２００ｃからの照射光を導光部材としての上皿左クリアベース３１３Ｌの内部に導入する略半球面状の照射光導入面８０６ａを構成するための照射光導入凹部８０６がそれぞれ凹設されている。つまり、照射光導入凹部８０６は背面側に向けて開放する凹部である。
【０３２３】
これら上下の柱状導光部８０５ａ，８０５ｂは、それぞれ上皿左横飾り３１２Ｌの前面側から挿通口８０３内に挿通され、各照射光導入面８０６ａが各供給皿左外ＬＥＤ２００ｃに対向するように近接配置されている。
【０３２４】
また、上皿左クリアベース３１３Ｌの前面３１３ａ（表面）における照射光導入凹部８０６の前方位置、つまり照射光導入凹部８０６との対向位置には、照射光導入面８０６ａから導入され誘導された入射光を反射させる入射光反射面８０７ａを構成するための入射光反射凹部８０７が凹設されている。つまり、入射光反射凹部８０７は前面側に向けて開放する凹部である。
【０３２５】
入射光反射面８０７ａは、図３１（ｂ）中の拡大図に示すように、上皿左クリアベース３１３Ｌの正面視、つまり上皿左クリアベース３１３Ｌを前面側から見て円形に形成されているとともに、円周方向に向けて６０度の間隔で均等に分割されてなる正面視略三角形状をなす複数（６つ）の反射面により構成されている。各反射面は、特に図３４に示されるように、円の中心点から周縁方向に向けて外側に膨出し、かつ、円周方向に向けて外側に膨出する湾曲面に形成されている。すなわち、入射光反射凹部８０７は、正面視略三角形状をなす複数の湾曲面状の反射面により、円の中心に向けて凹む略六角錐形状に形成されている。
【０３２６】
このように、背面側に向けて開放する照射光導入凹部８０６を構成する照射光導入面８０６ａと、前面側に向けて開放する入射光反射凹部８０７を構成する入射光反射面８０７ａとは、互いに中央部が近接するように凹む凹面にて構成さていることで、上皿左クリアベース３１３Ｌにおける各供給皿左外ＬＥＤ２００ｃとの対向位置に凹レンズ部を形成している。
【０３２７】
さらに、上皿左クリアベース３１３Ｌの前面３１３ａにおける入射光反射凹部８０７の周囲からは、円筒状の筒状発光部８０８ａ，８０８ｂが前方に向けて突設されている。言い換えると、入射光反射凹部８０７は、上皿左クリアベース３１３Ｌの前面３１３ａ（表面）から供給皿左外ＬＥＤ２００ｃと反対側に向けて突設された筒状発光部８０７の内側に形成されている。
【０３２８】
筒状発光部８０８ａ，８０８ｂの外周面には、環状の段部８０９ａ，８０９ｂが所定間隔おきに形成されており、これら段部８０９ａ，８０９ｂにより、筒状発光部８０８ａ，８０８ｂの肉厚が先端に向けて段階的に肉薄になっている。そしてこれら段部８０９ａ，８０９ｂが形成されることにより、筒状発光部８０８ａ，８０８ｂの外周面に、供給皿左外ＬＥＤ２００ｃの照射方向に対して直交する面、つまり前面側を向く環状の発光面が形成される。
【０３２９】
上皿左クリアベース３１３Ｌの前面３１３ａにおける筒状発光部８０８ａの下方近傍位置には、図３１（ｂ）に示されるように、上下方向を向くとともに、左右幅方向に向けて互いに等間隔おきに配置された複数（４枚）の発光板８１０が前方に向けて立設されている。また、図３２に示されるように、上皿左クリアベース３１３Ｌの背面３１３ｂにおける発光板８１０との対向位置には、上下方向に向けてローレット加工が施され、開角θ３＝約９０度をなす縦断面三角形状の切欠が上下方向に向けて連続して形成されており、内部の光が外方に放射されるようになっている。これらローレット加工により形成された左右幅方向を向く複数の凹条および凸条により、入射光反射面８０７ａにより誘導された光を前方の発光板８１０に向けて乱反射させる上反射部８１１が形成されている。
【０３３０】
この上反射部８１１は、上方の筒状発光部８０８ａ側から下方の筒状発光部８０８ｂ側に向けて内側（上皿左クリアベース３１３Ｌの内部側）に向けて傾斜する傾斜面上に形成されており（傾斜角θ５＝２．５度）、入射光反射面８０７ａにより誘導された光を前方の発光板８１０に向けて効率よく反射できるようになっているため、各発光板８１０の前端面および各発光板８１０間を上方から下方に向けて略均一に発光できるようになっている。
【０３３１】
このように、筒状発光部８０８ａの下方近傍位置に上反射部８１１が形成されていることにより、供給皿左外ＬＥＤ２００ｃから上皿左クリアベース３１３Ｌの内部を誘導されてきた入射光により、筒状発光部８０８ａの下方近傍位置（発光板８１０付近）が発光されるようになっている。つまり、上反射部８１１からの反射光により第２の発光部が形成されるようになっている。
【０３３２】
上皿左クリアベース３１３Ｌの前面３１３ａにおける下方の筒状発光部８０８ｂの下方近傍位置には、図３１（ｂ）および図３２に示されるように、筒状発光部８０８ｂとほぼ同形状をなす筒状発光部８０８ｃが形成されている。なお、筒状発光部８０８ｃの外周面には環状の段部８０９ａ，８０９ｂが形成されており、これら段部８０９ａ，８０９ｂにより、筒状発光部８０８ａ，８０８ｂの外周面に供給皿左外ＬＥＤ２００ｃの照射方向に対して直交する面、つまり前面側を向く環状の発光面が形成される。また、内部には円柱状の凹部８０７ｂが形成されており、該凹部８０７ｂの底面は、後述する下反射部８１２からの反射光により発光する平坦状の円形発光面８０７ｃとされている。
【０３３３】
なお、該凹部８０７ｂの底面に形成される円形発光面８０７ｃにローレット加工等を施し、光を拡散させるようにしてもよく、このようにすることで、円形発光面８０７ｃにおける発光量が増加するとともに、光が拡散することで演出効果が向上する。
【０３３４】
また、上皿左クリアベース３１３Ｌの背面３１３ｂにおける筒状発光部８０８ｃとの対向位置には、上下方向に向けて凹凸加工が施され、開角θ３＝約１０９．５度をなす三角錐状の凸部が上下左右方向に向けて連続して形成されており、内部の光が外方に放射されるようになっている。これら該凹凸加工により形成された複数の凹凸部により、入射光反射面８０７ａにより誘導された光を前方の筒状発光部８０８ｃに向けて乱反射させる下反射部８１２が形成されている。
【０３３５】
このように、筒状発光部８０８ｂの下方近傍位置に下反射部８１２が形成されていることにより、供給皿左外ＬＥＤ２００ｃから上皿左クリアベース３１３Ｌの内部を誘導されてきた入射光により、筒状発光部８０８ｂの下方近傍位置に形成された筒状発光部８０８ｃが発光されるようになっている。つまり、下反射部８１２からの反射光により第２の発光部が形成される。
【０３３６】
また、上皿左クリアベース３１３Ｌの前面３１３ａには、前面側に開放する断面凹状（図３１（ｃ）参照）の凹溝条８１３が、上皿左クリアベース３１３Ｌの上部右側の端縁部から筒状発光部８０８ａにかけて左右方向に延設されるとともに、筒状発光部８０８ａから発光板８１０を通過して、筒状発光部８０８ｂ，８０８ｃにかけて上下方向に延設され、さらに筒状発光部８０８ｃから上皿左クリアベース３１３Ｌの下部右側の端縁部にかけて延設されており、上皿左クリアベース３１３Ｌの表面側に筋状の発光部が形成されるようになっている。
【０３３７】
また、前述したように、上皿左横飾り３１２Ｌの前面にはメッキ処理が施されているため、供給皿左外ＬＥＤ２００ｃから上皿左クリアベース３１３Ｌの内部を誘導されてきた入射光が上皿左クリアベース３１３Ｌの背面３１３ｂ側から放射しても、該放射した光は上皿左横飾り３１２Ｌの前面により前方に反射することで、上皿左横飾り３１２Ｌの背面側に放射されて上皿左クリアベース３１３Ｌの前面側の発光量が低減することが防止される。
【０３３８】
このように、本実施の形態における上皿左クリアベース３１３Ｌは、回路基板を模したレンズ形状とされており、筒状発光部８０８ａ〜８０８ｃは発光部、発光板８１０はヒートシンク、凹溝条８１３は配線プリントパターンであり、これらが発光して見えるようになっている。
【０３３９】
また、この上皿左クリアベース３１３Ｌのように回路基板を模したレンズ形状は、特に詳細な図示や説明等はしないが、たとえば左上クリアベース４５５ａ、右上クリアベース４５５ｂ、左下クリアベース４５６ａ、および、右下クリアベース４５６ｂ等にも適用されており、これらも上皿左クリアベース３１３Ｌと同様の作用・効果を奏する。
【０３４０】
次に、上述のように構成された上皿左クリアベース３１３Ｌおよび供給皿左外ＬＥＤ２００ｃについて、詳細な構造および互いの配置関係等について説明する。なお、図３１〜図３３には各部位の寸法（単位はｍｍ）が記載されている。なお、該寸法は小数第２以下を四捨五入した寸法としている。
【０３４１】
柱状導光部８０５ａ，８０５ｂは、直径約８．５ｍｍであり、上皿左クリアベース３１３Ｌの背面３１３ｂから先端までの長さが約３．６ｍｍとされている。また、照射光導入凹部８０６の深さは約２．６ｍｍとされている。
【０３４２】
筒状発光部８０８ａ，８０８ｂは、内径約６ｍｍで、基部外径（最大外径）約１０ｍｍ、中部外径約９ｍｍ、先端部外径約８ｍｍとされているため、各段部８０９ａ，８０９ｂには、直系方向の幅寸法が約１ｍｍの環状の発光面が形成されている。また、基部、中間部、および、先端部それぞれの前後方向の長さは約２．５ｍｍとされている。
【０３４３】
筒状発光部８０８ｃは、内径約５ｍｍで、基部外径（最大外径）約１０ｍｍ、中部外径約９ｍｍ、先端部外径約８ｍｍとされているため、各段部８０９ａ，８０９ｂには、直系方向の幅寸法が約１ｍｍの環状の発光面が形成されている。また、基部、中間部、および、先端部それぞれの前後方向の長さは約２．５ｍｍとされている。
【０３４４】
また、正面視円形をなす入射光反射凹部８０７の入射光反射面８０７ａの直径は、筒状発光部８０８ａ，８０８ｂの内径と同様に約６ｍｍとされている。入射光反射面８０７ａおよび筒状発光部８０８ｃの円形発光面８０７ｃは、図３４に示されるように、上皿左クリアベース３１３Ｌの前面３１３ａよりも内側、つまり上皿左クリアベース３１３Ｌの内部に埋設された位置に設けられているとともに、特に各筒状発光部８０８ａ，８０８ｂの入射光反射面８０７ａは、その中心部が上皿左クリアベース３１３Ｌの背面３１３ｂを超えて柱状導光部８０５ａ，８０５ｂ内に入り込む程度の深さに形成されている。具体的には、各筒状発光部８０８ａ，８０８ｂの入射光反射面８０７ａの中心部は、図３３に示されるように上皿左クリアベース３１３Ｌの背面３１３ｂより柱状導光部８０５ａ，８０５ｂ内に約０．６ｍｍ入り込んでいる。
【０３４５】
このようにすることで、入射光反射面８０７ａを極力照射光導入面８０６ａに近接して設けることができる。このため、照射光導入面８０６ａからの入射光が周囲に拡散される前にその近傍位置で入射光反射面８０７ａから外部に放射されて発光するとともに、内部で反射させて周囲に誘導し、近傍の発光板８１０や筒状発光部８０８ｃを発光させることができる。
【０３４６】
各発光板８１０は、図３１（ｂ）中の拡大図および図３３（ａ）に示されるように、厚さ約１ｍｍ、上下幅寸法約１７．５ｍｍであり、各発光板８１０間の離間幅寸法は約１．５ｍｍとされている。なお、各発光板８１０間の表面は、上皿左クリアベース３１３Ｌの前面３１３ａよりも約０．５ｍｍ前方に隆起している。
【０３４７】
なお、これら各部位の寸法は、上記した寸法に限定されるものではなく、種々に変更可能である。
【０３４８】
次に、上皿左クリアベース３１３Ｌの発光態様について、主に図３４〜図３６に基づいて説明する。なお、図３５においては、主に発光している領域が白色で示され、ほとんど発光していない領域が黒色で示されている。
【０３４９】
ここで、照射光導入面８０６ａおよび入射光反射面８０７ａは、前述したように互いに内向きに凹むように形成され、中央の部分が周辺よりも薄いいわゆる凹レンズ部を構成していることから、まず凹レンズにおける光の屈折態様を、図３６の原理図の基づいて簡単に説明すると、凹レンズの場合、光軸に平行に入射する平行光線は、レンズを通過することにより拡散することになる。これら拡散する光は、図中点線で示される経路を通過するように見えることになり、これら点線はレンズの中心から焦点距離ｆだけ離れた焦点Ｐに集まる。つまり、焦点Ｐは見かけ上の光源位置であり、該焦点Ｐから照射された光線方向に屈折することになる。
【０３５０】
このように凹レンズは、指向性の高いＬＥＤからの照射光を効果的に拡散することができるため、照射光導入面８０６ａおよび入射光反射面８０７ａにより凹レンズ部を構成することにより、供給皿左外ＬＥＤ２００ｃからの照射光を上皿左クリアベース３１３Ｌ内において効果的に拡散できる。
【０３５１】
具体的に説明すると、図３４に示されるように、上皿左クリアベース３１３Ｌに対する光の供給は、各柱状導光部８０５ａ，８０５ｂの照射光導入凹部８０６から行なわれる。供給皿左外ＬＥＤ２００ｃから前方に向けてほぼ水平に照射された光は、略半球面状の照射光導入面８０６ａに照射されることで、図中複数の矢印で示されるように、上下左右方向に拡散する。前方の入射光反射面８０７ａに到達した光の一部は、入射光反射面８０７ａを透過して外部、つまり前方に放射されるため、入射光反射面８０７ａが明るくなる（図３５参照）。
【０３５２】
すなわち、上皿左クリアベース３１３Ｌの前面３１３ａにおける各供給皿左外ＬＥＤ２００ｃとの対向位置に形成される各入射光反射面８０７ａの領域が第１の発光部として形成される。
【０３５３】
また、入射光反射面８０７ａは互いに異なる方向を向く６つの反射面により形成されていることで、光は多方向に向けて拡散して放射されることになるため、発光態様が複雑になり、装飾効果が向上する。なお、本実施の形態では、入射光反射面８０７ａは互いに異なる方向を向く複数の反射面により形成されていたが、たとえば半球面状等の１つの反射面により形成されていてもよい。
【０３５４】
照射光導入面８０６ａから導入され、入射光反射面８０７ａの周囲に拡散した光の一部が筒状発光部８０８ａ，８０８ｂ内に誘導される。このように筒状発光部８０８ａ，８０８ｂの先端部方向に向けて誘導される光の一部は、主に供給皿左外ＬＥＤ２００ｃの照射方向に対して直交する面、つまり前面側を向く先端面や段部８０９ａ，８０９ｂにより形成された環状の発光面から放射されるため、筒状発光部８０８ａ，８０８ｂが環状に発光して見える（図３５参照）。
【０３５５】
また、照射光導入面８０６ａから導入されて入射光反射面８０７ａに到達した光の一部は、入射光反射面８０７ａにより反射して上下左右方向、つまり上皿左クリアベース３１３Ｌの内部方向に誘導される。そして、誘導された光は、たとえば入射光反射面８０７ａの下方近傍に設けられた下反射部８１２により乱反射され、前方の筒状発光部８０８ｃに向けて誘導された一部の光が、円形発光面８０７ｃ、筒状発光部８０８ｃの先端面、および、段部８０９ａ，８０９ｂにより形成された環状の発光面から放射されるため、筒状発光部８０８ｃ全域が、筒状発光部８０８ｂよりも若干弱い光量で発光して見える（図３５参照）。
【０３５６】
なお、筒状発光部８０８ａの照射光導入面８０６ａから入射光反射面８０７ａにて反射して、入射光反射面８０７ａの下方近傍に設けられた上反射部８１１にて乱反射され、前方の発光板８１０に向けて誘導された一部の光が、供給皿左外ＬＥＤ２００ｃの照射方向に対して直交する面、つまり前面側を向く発光板８１０の先端面や各発光板８１０間の隙間面から放射されるため、複数の発光板８１０およびその間の隙間全域が、筒状発光部８０８ａよりも若干弱い光量で発光して見える（図３５参照）。
【０３５７】
さらに、入射光反射面８０７ａにより反射して上皿左クリアベース３１３Ｌの内部方向に誘導された光の一部が、凹溝条８１３を介して放射されることにより、筋状の光が見えることになる。
【０３５８】
以上説明したように、上皿左サイドレンズ体８００にあっては、照射光導入面８０６ａが導光部材としての上皿左クリアベース３１３Ｌの裏面における照射光導入凹部８０６に形成されていることで、発光体としての供給皿左外ＬＥＤ２００ｃからの照射光を周囲に拡散させることなく、上皿左クリアベース３１３Ｌの内部に確実に導入させることができるため、上皿左クリアベース３１３Ｌの表面における入射光反射面８０７ａを効果的に発光させることができるとともに、導入された入射光の一部が該入射光反射面８０７ａにより上皿左クリアベース３１３Ｌの内部において周囲に誘導されるため、供給皿左外ＬＥＤ２００ｃと照射光導入凹部８０６とを離間して供給皿左外ＬＥＤ２００ｃからの照射光の一部を上皿左クリアベース３１３Ｌの背面３１３ｂに直接照射したりすることなく、上皿左クリアベース３１３Ｌにおける照射光導入凹部８０６およびその周辺領域を、上皿左クリアベース３１３Ｌの内部で広範囲にわたり発光させることができる。
【０３５９】
すなわち、上皿左クリアベース３１３Ｌにおける供給皿左外ＬＥＤ２００ｃとの対向位置に、球面状の照射光導入面８０６ａおよび入射光反射面８０７ａにより凹レンズ部が形成されているため、供給皿左外ＬＥＤ２００ｃからの照射光を上皿左クリアベース３１３Ｌの内部において効果的に拡散することができるため、上皿左クリアベース３１３Ｌにおける供給皿左外ＬＥＤ２００ｃとの対向位置に形成される入射光反射面８０７ａ、つまり第１の発光部を発光させることができるとともに、上皿左クリアベース３１３Ｌにおける供給皿左外ＬＥＤ２００ｃとの対向位置の周囲を広範囲にわたり発光させることができる。
【０３６０】
特に、供給皿左外ＬＥＤ２００ｃの周囲を明るくするために、供給皿左外ＬＥＤ２００ｃを上皿左クリアベース３１３Ｌの背面３１３ｂから離間して配置しなくても、照射光を上皿左クリアベース３１３Ｌの内部で拡散して周囲に誘導できることで、供給皿左外ＬＥＤ２００ｃに対して照射光導入面８０６ａを近接配置し、これにより上皿左サイドレンズ体８００全体を肉薄に構成することができるため、設計上の自由度が向上する。
【０３６１】
さらに、供給皿左外ＬＥＤ２００ｃに対して照射光導入面８０６ａを近接して配置できることで、供給皿左外ＬＥＤ２００ｃからの照射光が照射光導入面８０６ａに到達するまでの間に周囲に拡散されて光量が損失することを極力抑えることができるため、光量の低下が防止される。
【０３６２】
また、照射光導入凹部８０６は、上皿左クリアベース３１３Ｌの背面３１３ｂから供給皿左外ＬＥＤ２００ｃに向けて突設された柱状導光部８０５ａ，８０５ｂの端面に形成されていることで、上皿左クリアベース３１３Ｌ全体の肉厚を大寸にすることなく、照射光導入面８０６ａを背面側に配置される供給皿左外ＬＥＤ２００ｃに極力近接させることができるため、照射光を効率よく上皿左クリアベース３１３Ｌ内に導光させることができる。
【０３６３】
また、入射光反射凹部８０７は、上皿左クリアベース３１３Ｌの前面３１３ａから供給皿左外ＬＥＤ２００ｃと反対側に向けて突設された筒状発光部８０８ａ，８０８ｂの内側に形成されていることで、入射光反射面８０７ａから外部に放射された光を周囲に拡散することなく、筒状発光部８０８ａ，８０８ｂの内周面に反射して前方に向けて効率よく誘導することができる。
【０３６４】
また、照射光導入面８０６ａは、上皿左クリアベース３１３Ｌの前面３１３ａよりも内側に形成されていることにより、照射光導入面８０６ａによる反射光の内部での誘導効果を効果的に向上させることができる。
【０３６５】
また、上皿左クリアベース３１３Ｌの背面３１３ｂにおける照射光導入凹部８０６から離間した位置に形成され、照射光導入面８０６ａから導入され誘導された入射光を表面側に向けて反射させる上反射部８１１および下反射部８１２を備え、供給皿左外ＬＥＤ２００ｃが発光した状態において、上皿左クリアベース３１３Ｌの前面３１３ａにおける照射光導入凹部８０７の正面位置に、照射光導入面８０６ａから導入された入射光により発光する第１の発光部が形成されるとともに、上皿左クリアベース３１３Ｌの前面３１３ａにおける上反射部８１１および下反射部８１２の正面位置に、入射光反射面８０７ａにより反射した反射光により発光する第２の発光部が形成されるようにした。これにより、上皿左クリアベース３１３Ｌの裏面における供給皿左外ＬＥＤ２００ｃとの対向位置に照射光導入凹部８０６が凹設されることにより供給皿左外ＬＥＤ２００ｃからの照射光が表面側に向けて誘導されるだけでなく、該照射光の一部が照射光導入面８０６ａから上皿左クリアベース３１３Ｌの内部に導入されて上反射部８１１および下反射部８１２側に向けて誘導されやすくなり、上反射部８１１および下反射部８１２により表面側に向けて反射される反射光の光量が増加するため、供給皿左外ＬＥＤ２００ｃが裏面側に配置された第１の発光部だけでなく、供給皿左外ＬＥＤ２００ｃが配置されていない第２の発光部により発光させることができるため、供給皿左外ＬＥＤ２００ｃの配置数量を増加することなく発光部を増加することができる。
【０３６６】
さらに、上反射部８１１の前方には発光板８１０が形成され、また、下反射部８１２の前方には筒状発光部８０８ｃが形成されることで、これら上反射部８１１および下反射部８１２で反射した反射光により、供給皿左外ＬＥＤ２００ｃが配置されていない第２の発光部を効果的に発光させることができる。
【０３６７】
また、上皿左クリアベース３１３Ｌの前面３１３ａから供給皿左外ＬＥＤ２００ｃと反対側に向けて突設された筒状発光部８０８ａ，８０８ｂが発光することで、上皿左クリアベース３１３Ｌの前面３１３ａよりも前方位置が発光することになり、光に奥行き感を持たせることができるとともに、パチンコ遊技機１の側方からの光の視認性が向上する。
【０３６８】
特に、扉枠左発光部２０４Ｌおよび扉枠左発光部２０４Ｒは、着座して遊技を行なう遊技者の視点よりも下方に位置するものであるため、所定のエラーが発生したことに基づいて筒状発光部８０８ａ，８０８ｂが発光することで、上皿左クリアベース３１３Ｌの前面３１３ａが平面状に発光する場合に比べて、エラーに基づく発光を遊技者や遊技店の店員等が気づきやすくなる。
【０３６９】
また、この上皿左クリアベース３１３Ｌにおける照射光導入凹部８０６および入射光反射凹部８０７のような凹レンズ形状の構成は、上皿左クリアベース３１３Ｌだけでなく、たとえば左上クリアベース４５５ａ、右上クリアベース４５５ｂ、左下クリアベース４５６ａ、および、右下クリアベース４５６ｂ等、他のレンズ部にも適用可能である。
【０３７０】
〔ジョグボタンの内部構造〕
次に、ジョグボタン５００の内部構造を、図３７および図３８に基づいて説明する。図３７は、ジョグボタンの内部構造を示す分解斜視図である。図３８は、（ａ）はジョグボタンを示す平面図であり、（ｂ）は（ａ）のＤ−Ｄ断面図であり、（ｃ）はジョグボタンの使用状況の一例を示す断面図である。
【０３７１】
なお、図３７において、図中左側が遊技者から見て奥側、図中右側は遊技者から見て手前側、図中下側が遊技者から見て左側、図中上側が遊技者から見て右側に向けて配置されるようになっており、説明上において、図中左側をジョグボタン５００の上方、図中右側をジョグボタン５００の下方、図中下側をジョグボタン５００の左方、図中上側をジョグボタン５００の右方として説明する。
【０３７２】
図３７に示されるように、ジョグボタン５００は、上面に略水平な操作面５０１ａを有するトップボタン５０１と、トップボタン５０１の下方に配置されてトップボタン５０１を支持するボタンハウジング５０２と、トップボタン５０１の周縁において水平方向に回動自在に設けられる環状のジョグダイアル５０３と、トップボタン５０１を上方に付勢するジョグボタンバネ５０４と、ジョグダイアル５０３の下方に配置される環状のカバープレートセット５０５と、ジョグダイアル５０３を回動自在に支持するダイアルベース５０６と、各部材を支持するボタンベース５０７と、ボタンベース５０７の下面に取付けられるジョグ基板５０８と、から主に構成されている。
【０３７３】
なお、このジョグ基板５０８上に、トップボタン５０１の操作面５０１ａを発光可能なＬＥＤ等を設けてもよい。
【０３７４】
トップボタン５０１は、透光性を有する下面が開口する円筒状部材からなり、上面は操作面５０１ａを構成しているとともに、下方に配置されるボタンハウジング５０２の上部に嵌合可能になっている。操作面５０１ａには、上・下・左・右の方向を示す上方向マーク５２０ａ、下方向マーク５２０ｂ、左方向マーク５２０ｃ、および、右方向マーク５２０ｄがそれぞれ印刷されている。なお、これら方向マークは、トップボタン５０１の下方に配置される印刷シート（図示省略）等に印刷し、操作面５０１ａを通して透視可能としてもよい。
【０３７５】
ボタンハウジング５０２は、筒状部材からなるとともに、該筒状部材の上部における上下左右位置からは、後述するように光学式センサからなる各種方向スイッチ５１０ａ〜５１０ｄの透光部と受光部との間を遮蔽可能な上下方向を向く被検出片５２１ａ〜５２１ｄ（図３８（ｂ）参照）が放射状に形成されている。
【０３７６】
また、筒状部材の下部には、ボタンベース５０７内部に配置されるジョグボタンバネ５０４の上端が取付けられるバネ取付部５２４が形成されており、このジョグボタンバネ５０４により、ボタンベース５０７に対してボタンハウジング５０２が常時上方に付勢された状態で支持されるようになっている。
【０３７７】
よって、被検出片５２１ａ〜５２１ｄは、図３８（ｂ）に示される通常状態において各種方向スイッチ５１０ａ〜５１０ｄの上方に配置され、トップボタン５０１の所定箇所がジョグボタンバネ５０４の付勢力に抗して下向きに押圧されたときに、いずれか１つまたは複数の被検出片５２１ａ〜５２１ｄが各種方向スイッチ５１０ａ〜５１０ｄの透光部と受光部との間に配置されて遮光しうるようになっている。
【０３７８】
このように、本実施の形態のジョグボタン５００は、ジョグボタンバネ５０４により、トップボタン５０１の操作面５０１ａが押圧方向（下方向）に対して略直交する直交姿勢のまま下方向に向けて押圧可能であり、かつ、該操作面５０１ａの中央から見て周縁の任意の方向（たとえば上下左右方向）が押圧方向（下方向）に対して傾倒する傾倒姿勢で下方向に向けて押圧可能なように、ボタンベース５０７上に設けられている。
【０３７９】
ジョグダイアル５０３は、ダイアルベース５０６の外周縁に上向きに連続形成された環状の噛合部５２２上に載置されるようになっており、該噛合部５２２に噛合することよりダイアルベース５０６とともに回転されるようになっている。また、ジョグダイアル５０３の上面には、複数のグリップ部５２３が所定間隔おきに突設されている。
【０３８０】
ダイアルベース５０６の筒状の本体部下端縁からは、後述する右上ダイアルスイッチ５１１ａ，右下ダイアルスイッチ５１１ｂにより検出される複数の被検出ドグ５２７が、所定間隔おきに下向きに突設されている。
【０３８１】
ボタンベース５０７は、ジョグダイアル５０３およびダイアルベース５０６を外周に嵌合可能とする筒状部５２５が中央に突設されており、その内部にジョグボタンバネ５０４が配置される。また、ボタンベース５０７の周縁下部所定箇所からは、ジョグボタン５００本体を前述したジョグボタン取付穴３８０ｃに嵌合した状態において、ジョグボタン取付穴３８０ｃの下面開口周縁に弾性変形により係止可能な外向きの係止爪５２６（図３８（ｂ）参照）が下向きに延設されている。
【０３８２】
ジョグボタン５００は、ジョグボタン取付穴３８０ｃに上方から嵌合することにより、図３８（ｂ）に示されるように、ジョグダイアル５２３の外周下面がジョグボタン取付穴３８０ｃの上面開口の周縁部に載置されて位置決めされるとともに、この状態において係止爪５２６がジョグボタン取付穴３８０ｃの下面開口の周縁部に係止されることにより、ジョグボタン取付穴３８０ｃに保持されるようになっている。
【０３８３】
ジョグ基板５０８は、上方の被検出片５２１ａ〜５２１ｄのそれぞれに対応する位置に、該被検出片５２１ａ〜５２１ｄそれぞれを検出可能な光学式フォトセンサからなる上ジョグスイッチ５１０ａ、下ジョグスイッチ５１０ｂ、左ジョグスイッチ５１０ｃ、および、右ジョグスイッチ５１０ｄが、同一円周上に９０度間隔おきに取付けられており、それぞれの被検出片５２１ａ〜５２１ｄを検出できるようになっている。
【０３８４】
各ジョグスイッチ５１０ａ〜５１０ｄの外側には、上方ＬＥＤ５１２ａ、下方向ＬＥＤ５１２ｂ、左方向ＬＥＤ５１２ｃ、および、右方向ＬＥＤ５１２ｄのそれぞれがジョグスイッチ５１０ａ〜５１０ｄのそれぞれに対応するように配設されている。
【０３８５】
また、方向ＬＥＤ５１２ａ〜５１２ｄよりも外側の領域における上ジョグスイッチ５１０ａと右ジョグスイッチ５１０ｄとの間には、被検出ドグ５２７を検出可能な光学式フォトセンサからなる右上ダイアルスイッチ５１１ａおよび右下ダイアルスイッチ５１１ｂが配設されている。複数の被検出ドグ５２７は、ダイアルベース５０６の回転とともに円周方向に回転し、２つの右上ダイアルスイッチ５１１ａおよび右下ダイアルスイッチ５１１ｂのそれぞれの透光部と受光部との間を通過するように配置されており、２つの右上ダイアルスイッチ５１１ａおよび右下ダイアルスイッチ５１１ｂのそれぞれの検出状況に基づいて、ジョグダイアル５０３の回転方向および回転量等を特定できるようになっている。
【０３８６】
次に、このように構成されたジョグボタン５００の押圧操作の検出状況について説明する。まず、通常状態においては、トップボタン５０１はジョグボタンバネ５０４により常時上方に向けて付勢されている（図３８（ｂ）参照）。この状態において、操作面５０１ａは、ジョグダイアル５０３の上端よりも上方位置において略水平に保持されている。
【０３８７】
この通常状態において、たとえば平面視円形の操作面５０１ａの略中央部が下向きに押圧された場合、トップボタン５０１およびボタンハウジング５０２は、操作面５０１ａが略水平に保持された状態のまま下方に向けて押圧される。つまり、操作面５０１ａが押圧方向に対して略直交する直交姿勢のまま押圧されるため、すべての被検出片５２１ａ〜５２１ｄまたは４つのうち２以上の被検出片が２以上のジョグスイッチ５１０ａ〜５１０ｄにより同時に検出される。
【０３８８】
また、たとえば平面視円形の操作面５０１ａの周縁におけるいずれかの方向マーク５２０ａ〜５２０ｄ（ここでは左方向マーク５２０ｃ）の印刷箇所が下向きに押圧された場合、トップボタン５０１およびボタンハウジング５０２は、操作面５０１ａが左側に傾倒した傾倒姿勢のまま下方に向けて押圧される。つまり、操作面５０１ａが押圧方向に対して左側に傾倒する左傾倒姿勢のまま下方に向けて押圧されるため、すべての被検出片５２１ａ〜５２１ｄのうち１つの被検出片（ここでは左被検出片５２１ｃ）のみが、左ジョグスイッチ５１０ｃにより検出される（図３８（ｃ）参照）。
【０３８９】
このように、ジョグボタン５００にあっては、操作面５０１ａを直交姿勢のまま下方に向けて押圧した場合と、上下左右いずれかの方向に傾倒する傾倒姿勢で下方に向けて押圧した場合と、でそれぞれ個別に押圧操作が検出される。これにより、たとえば傾倒姿勢での押圧操作の検出が不要な機種または必要な機種でも共通して使用できるので汎用性が向上するばかりか、押圧姿勢の違いを判定できるため、１つの操作手段により、多数の押圧操作を検出することができる。さらに、たとえば上下左右の傾倒方向の違いに応じて押圧方向を認識することができるため、ジョグボタン５００を方向キーとして使用することもできる。
【０３９０】
また、ジョグボタン５００は、打球供給皿３の上面側に遊技者による操作が可能に設けられているため、たとえば遊技に関連する演出の実行時等において、たとえば変動表示装置９に表示される演出画像や、あるいは図示しない機械的構造物からなる役物装置等を動作させたり、演出背景等を選択可能な演出用操作ボタンとして使用することができるばかりか、遊技履歴等の表示操作ボタンとして使用することも可能である。さらに、たとえばリーチ演出の発生時において、複数種類のリーチ演出パターンのうちからいずれかを選択させるための操作ボタンとして使用することも可能である。
【０３９１】
また、単一の押圧操作を検出するだけでなく、上下左右の４種類の方向への傾倒姿勢での押圧操作を個別に検出できるため、いわゆる方向キーとしての機能を持たせることができ、これにより、たとえば選択画面上におけるカーソルの移動方向を選択したり、役物装置の可動方向を指示する方向キーとして使用することが可能となる。
【０３９２】
なお、本実施の形態においては、演出制御用マイクロコンピュータ８１は、上記のように２以上のジョグスイッチ５１０ａ〜５１０ｄにより被検出片５２１ａ〜５２１ｄの検出があった場合には、前記直交姿勢で押圧操作がなされたと判定するようになっていたが、所定条件成立時、たとえば演出実行中においてジョグボタン５００の押圧操作を促す演出（上下左右等の方向を示さない演出）が行なわれた場合等においては、いずれか１つのジョグスイッチ５１０ａ〜５１０ｄでのみいずれかの被検出片５２１ａ〜５２１ｄが検出された場合でも、前記直交姿勢で押圧操作がなされたと判定するようになっている。このように所定条件の成立状況に応じて、押圧操作の判定方法を変えることができるため、汎用性が向上するとともに、遊技者による押圧操作を確実に検出することが可能となる。
【０３９３】
また、トップボタン５０１の外周にジョグダイアル５０３が正逆回転自在に設けられていることで、前述したような変動表示装置９に表示される演出画像や、あるいは図示しない機械的構造物からなる役物装置等を動作量や動作方向等を指定可能な演出用操作ダイヤルとして使用することが可能となるため、操作性が向上する。
【０３９４】
〔余剰球受皿の内部構造〕
次に、余剰球受皿の内部構造について、図３９に基づいて説明する。図３９は、余剰球受皿４の内部構造を示す分解斜視図である。
【０３９５】
図３９に示されるように、余剰球受皿４は、下皿枠１０４を構成する下皿本体板３５０と、余剰球受皿４の背面を覆う下皿背板３５１と、上方に開口した凹部が形成された皿状の下皿球受け３５２とから主に構成されている。より具体的に、下皿球受け３５２は、前面および左右両側面が壁部で囲まれた皿状の部材である。下皿本体板３５０は、下皿球受け３５２等の部材を収容可能な収容凹部としての球受け収容部３５０ａがパチンコ遊技機１の前面（表面）側に向けて平面視略コ字形の形状で突出（膨出）するように形成されている。具体的に、下皿本体板３５０は、下皿球受け３５２と同様に、前面および左右両側面が壁部で囲まれた皿状の部材である。下皿本体板３５０は、下皿本体板３５０の中央部には、下皿球受け３５２を上部に載置する態様で収容するための開口（上方向きの開口）が設けられている。球受け収容部３５０ａは、この上方向きの開口と、その内部の空間を含む収容部である。球受け収容部３５０ａは、下皿球受け３５２が背面側から取付けられるように構成されている。
【０３９６】
下皿球受け３５２は、受皿ＬＥＤ２０２ａが複数上面に設けられた受皿ＬＥＤ基板３５３が取付けられる下皿ＬＥＤベース３５４を介して球受け収容部３５０ａに取付けられる。下皿球受け３５２における前面および左右両側面の壁部と、その外側での球受け収容部３５０ａにおける前面および左右両側面の壁部との間には、下皿ＬＥＤベース３５４を設けるための隙間（空間）９０２が壁部間に沿って形成されており、その隙間９０２において、下皿ＬＥＤベース３５４が取付けられる。
【０３９７】
下皿ＬＥＤベース３５４は、透明な合成樹脂材よりなり、下皿球受け３５２の前縁および左右側縁（つまり、下皿球受け３５２の縁部）を囲む平面視略コ字形に形成されている。下皿ＬＥＤベース３５４の前縁および左右側縁上部には、受皿発光部２０２を構成する平面視略コ字形をなす上面板３５４ａが形成されている。また、下皿ＬＥＤベース３５４の前縁および左右側縁下部には、上面板３５４ａとほぼ同形をなす下面板３５４ｂが形成されており、該下面板３５４ｂの上面に受皿ＬＥＤ基板３５３が取付けられるようになっている。具体的に、受皿ＬＥＤ基板３５３は、下皿ＬＥＤベース３５４と同様に、下皿球受け３５２の前縁および左右側縁（つまり、下皿球受け３５２の縁部）を囲む平面視略コ字形に形成されており、該下面板３５４ｂの上面に取付けられる。受皿ＬＥＤ２０２ａは、下皿球受け３５２の前縁および左右側縁の全体に亘って発光可能となるように、受皿ＬＥＤ基板３５３において、下皿球受け３５２の前縁に対応する部分、および、左右側縁に対応する部分において、適宜の間隔で配置されている。
【０３９８】
そして、この上面板３５４ａの上方には、上面板３５４ａとほぼ同形をなす乳白色のシボシート３５５が配置されるとともに、さらにその上方に、透光性を有する下皿アクリルセンター３５６が配置されている。シボシート３５５は、入射光を拡散させる機能を有するシート状の部材である。シボシート３５５により受皿ＬＥＤ２０２ａからの光が拡散され、かつ受皿発光部２０２が面発光される。下皿アクリルセンター３５６は、下皿ＬＥＤベース３５４と同様に、下皿球受け３５２の前縁および左右側縁（つまり、下皿球受け３５２の縁部）を囲む平面視略コ字形に形成されており、下皿球受け３５２と、球受け収容部３５０ａとを連結する態様で、下皿ＬＥＤベース３５４の上面側に取付けられる。より具体的に、下皿アクリルセンター３５６は、下皿ＬＥＤベース３５４の上面板３５４ａとの間に、シボシート３５５を挟んだ態様で、下皿ＬＥＤベース３５４の上面側に取付けられている。
【０３９９】
このように構成された余剰球受皿４は、球が貯留される下皿球受け３５２の前縁および左右側縁の上部、すなわち、下皿球受け３５２の縁部を囲う位置に、所定幅を有する平面視略コ字形をなす平坦な受皿発光部２０２が、上向きに発光可能な状態で設けられている。
【０４００】
また、受皿発光部２０２を発光させる発光体（演出用の電気部品）としての受皿ＬＥＤ２０２ａを有する受皿ＬＥＤ基板３５３は、該受皿発光部２０２の発光面を構成する下皿アクリルセンター３５６から下方に離間した位置に配置されている。さらに、これら受皿ＬＥＤ基板３５３と下皿アクリルセンター３５６との間にシボシート３５５および上面板３５４ａが配設されており、指向性の高い受皿ＬＥＤ２０２ａからの光を拡散させて下皿アクリルセンター３５６を面発光させることができるようになっている。
【０４０１】
このような余剰球受皿４は、下皿球受け３５２、下皿ＬＥＤベース３５４、受皿ＬＥＤ基板３５３、および、下皿アクリルセンター３５６等の各種部品が球受け収容部３５０ａに収容される態様で、下皿本体板３５０に取付けられ、背面に下皿背板３５１が取付けられることにより構成される。
【０４０２】
下皿本体板３５０の前面左右側には、受皿左ＬＥＤ２０３ａが前面に実装される左幕板ＬＥＤ基板３４０Ｌ、および、受皿右ＬＥＤ２０３ｂが前面に実装される右幕板ＬＥＤ基板３４０Ｒが取付けられている。左幕板ＬＥＤ基板３４０Ｌの前面には、下皿幕板保護シート３４１および左下皿ＬＥＤケース３４２Ｌが取付けられる。右幕板ＬＥＤ基板３４０Ｒの前面には、下皿幕板保護シート３４１および右下皿ＬＥＤケース３４２Ｒが取付けられる。また、左下皿ＬＥＤケース３４２Ｌおよび右下皿ＬＥＤケース３４２Ｒのそれぞれの前面外側には、凹凸加工が施された棒状の下皿光拡散レンズ３４３が取付けられる。また、右下皿ＬＥＤケース３４２Ｒの前面内側には、下皿アクリルサーキット３４４および下皿ストラクチャー３４５がネジにより取付けられる。
【０４０３】
棒状の下皿光拡散レンズ３４３により、その背面側に配置される１つの受皿左ＬＥＤ２０３ａおよび受皿右ＬＥＤ２０３ｂの光が上下方向に拡散されるようになっている。また、左側には、コ字形をなす下皿メッキフレーム３４６および下皿ストラクチャーカバー３４７が取付けられる。
【０４０４】
さらにこれらの前面側には、透明な左下皿アクリルカバー３４８Ｌおよび右下皿アクリルカバー３４８Ｒが取付けられ、さらにその下方には、左下皿下飾り３４９Ｌおよび右下皿下飾り３４９Ｒが取付けられ、これらにより受皿左発光部２０３Ｌおよび受皿右発光部２０３Ｒが形成される。なお、下皿本体板３５０の前面右側には、打球操作ハンドル５を構成するハンドルベース５４０が取付けられるハンドル取付部５５１が突設されている。
【０４０５】
また、下皿本体板３５０の前面左側における左幕板ＬＥＤ基板３４０Ｌの取付位置の内側には、前後に貫通する貫通口が形成されており、その背面側には、左下皿ストラクチャー５６０が配置され、さらにその背面側には、下皿アクリルサーキット５６１および下皿メッキ飾り５６２が配置される。そして、この下皿メッキ飾り５６２の前面には、その背面側から取付けられる複数のネジ９００により、下皿メッキ飾り５６２と、さらに下皿本体板３５０の前面側に配置される左下皿アクリルカバー３４８Ｌとが取付けられるようになっており、下皿本体板３５０を挟んでその前後の下皿メッキ飾り５６２と左下皿アクリルカバー３４８Ｌとが一体化された状態で取付けられる。より具体的には、複数のネジ９００は、左下皿アクリルカバー３４８Ｌの表面側から嵌め込まれる複数の下皿ストラクチャーピン９０１と同軸的に螺合される。下皿ストラクチャーピン９０１は、ネジ９００よりも大径のピン状の部材である。左下皿ストラクチャー５６０、下皿アクリルサーキット５６１、および、下皿メッキ飾り５６２のそれぞれには、複数の下皿ストラクチャーピン９０１を嵌め入れるための穴部が形成されている。下皿ストラクチャーピン９０１が下皿メッキ飾り５６２の背面まで嵌め入れられ、下皿ストラクチャーピン９０１の軸心部分に形成されたネジ孔にネジ９００が螺入されることにより、下皿本体板３５０を挟んでその前後の下皿メッキ飾り５６２と左下皿アクリルカバー３４８Ｌとが一体化された状態で固定される。なお、下皿メッキ飾り５６２の背面側には、下皿幕板保護シート５６３および前面に左下皿ＬＥＤが実装される左下皿ＬＥＤ基板５６４が取付けられている。下皿幕板保護シート５６３は、左下皿ＬＥＤ基板５６４と同様の形態に形成されたシート状の保護部材であり、左下皿ＬＥＤ基板５６４の表面側を保護する。なお、右下皿アクリルカバー３４８Ｒを通して左下皿ストラクチャー５６０等が視認できるようになっている。
【０４０６】
また、下皿球受け３５２の下面には、球抜き穴を開閉自在とするスライド板５７０と、該スライド板５７０を球抜き穴の閉塞方向に付勢するコイルバネ５７１と、これらスライド板５７０およびコイルバネ５７１を配設するための下皿球抜きベース５７２とが下面側からネジにより取付けられている。
【０４０７】
このような受皿右発光部２０３Ｌおよび受皿右発光部２０３Ｒは、前述したように満タンスイッチ１９により余剰球受皿４が満タン状態となったことが検出されたときに、満タン状態となった旨、すなわち、満タン状態となった異常状態を報知するために、受皿左ＬＥＤ２０３ａおよび受皿右ＬＥＤ２０３ｂが点滅（発光）されることにより、発光させられる。
【０４０８】
〔余剰球受皿左右側の発光部構造〕
次に、図４０に基づいて、受皿右発光部２０３Ｌおよび受皿右発光部２０３Ｒの発光部構造を説明する。図４０は、（ａ）は下皿光拡散レンズおよび右下皿ＬＥＤケースを示す正面図であり、（ｂ）は（ａ）のＧ−Ｇ断面図であり、（ｃ）は（ｂ）のＨ−Ｈ断面図である。なお、受皿右発光部２０３Ｌおよび受皿右発光部２０３Ｒにおける下皿光拡散レンズ３４３は左右同様に構成されているため、ここでは受皿右発光部２０３Ｒの構造を説明し、受皿左発光部２０３Ｌの詳細な説明は省略することとする。
【０４０９】
受皿右発光部２０３Ｒには、図４０に示されるように、前述した導光部材としての下皿光拡散レンズ３４３、および、その背面（裏面）側に配置される受皿右ＬＥＤ２０３ｂから主に構成される直線発光部が上下方向に延在する態様で設けられている。
【０４１０】
下皿光拡散レンズ３４３は、透明な合成樹脂材により棒状に形成されている。下皿光拡散レンズ３４３は、板状部１８０１、中央リブ１８０２Ｃ、左リブ１８０２Ｌ、および、右リブ１８０２Ｒが一体成形されることにより構成されている。板状部１８０１（図４０（ｃ）参照）は、帯状に形成されている。中央リブ１８０２Ｃは、板状部１８０１の左右方向の前面中央部から前方に向けて延設されている。左リブ１８０２Ｌおよび右リブ１８０２Ｒのそれぞれは、板状部１８０１の左右方向の前面端部からそれぞれ外側斜め前方に向けて延設されている。このように、上下方向に延設される下皿光拡散レンズ３４３は、左右方向に並設されるとともに、それぞれの後端が一体化されてなる３本の左リブ１８０２Ｌ，中央リブ１８０２Ｃ，右リブ１８０２Ｒにより構成されている。左リブ１８０２Ｌおよび右リブ１８０２Ｒは、中央リブ１８０２Ｃに対して所定角度傾斜した状態で設けられているため、左リブ１８０２Ｌと中央リブ１８０２Ｃとの間、および、右リブ１８０２Ｒと中央リブ１８０２Ｃとの間には、断面略三角形状をなす空間が上下方向に向けて形成されている。
【０４１１】
これら左リブ１８０２Ｌ、中央リブ１８０２Ｃ、および、右リブ１８０２Ｒの前端面および板状部１８０１の裏面には、長手方向にわたりローレット加工が施され、開角θ３＝９０度をなす縦断面三角形状の切欠が上下方向に向けて連続して形成されており（図４０（ｂ）参照）、内部の光が外方に放射されるようになっている。
【０４１２】
下皿光拡散レンズ３４３の裏面上下方向の中央位置には、板状部１８０１裏面から左リブ１８０２Ｌ、中央リブ１８０２Ｃ、および、右リブ１８０２Ｒの基部までの深さを有するとともに、左右幅方向に延びる第１の凹部１８０３が凹設されている。また、下皿光拡散レンズ３４３の表面側における第１の凹部１８０３に対応する箇所には、第１の凹部１８０３を形成するための第１の凸部１８０５が、左リブ１８０２Ｌと中央リブ１８０２Ｃとの間および右リブ１８０２Ｒと中央リブ１８０２Ｃとの間にそれぞれ前方に向けて凸設されている。
【０４１３】
第１の凹部１８０３は、垂直導入面１８０７ａと上水平導入面１８０７ｂと下水平導入面１８０７ｃとにより側面視略コ字形に形成された照射光導入面を構成しており、その裏面側に配置される受皿右ＬＥＤ２０３ｂからの照射光が該下皿光拡散レンズ３４３内部に導入されるようになっている。垂直導入面１８０７ａは、パチンコ遊技機１の底面に対して垂直方向を向く面である。上水平導入面１８０７ｂは、垂直導入面１８０７ａの上端から裏面側に向けて連設され、パチンコ遊技機１の底面に対して水平方向を向く面である。下水平導入面１８０７ｃは、垂直導入面１８０７ａの下端から裏面側に向けて連設され、パチンコ遊技機１の底面に対して水平方向を向く面である。
【０４１４】
なお、垂直導入面１８０７ａには上下方向にわたりローレット加工が施され、開角θ３＝９０度をなす縦断面三角形状の切欠が上下方向に向けて連続して形成されており、内部の光が外方に放射されるようになっている。また、下皿光拡散レンズ３４３の上下端は斜めに切り欠かれており、裏面側に向けて上方に傾斜する傾斜反射面１８０８ｂ、１８０８ｃが形成されている。
【０４１５】
一方、右下皿ＬＥＤケース３４２Ｒの前面には、下皿光拡散レンズ３４３を前方から配置可能なレンズ配置部１８１０が上下方向に向けて延設されている。レンズ配置部１８１０には、該その裏面側に配置される受皿右ＬＥＤ２０３ｂとの対向位置に、該受皿右ＬＥＤ２０３ｂの照射面を前方に露呈させるための照射用開口１８１１が形成されている。この照射用開口１８１１により、受皿右ＬＥＤ２０３ｂからの照射光を前方に向けて照射させることができるようになっている。
【０４１６】
照射用開口１８１１の前方には、下皿光拡散レンズ３４３が配置された状態において、第１の凹部１８０３内に収容されて係合する三角柱状の照射光反射部１８１２が左右方向に向けて架設されている。この照射光反射部１８１２の裏面側には、裏面側に向けて下方に傾斜する上照射光反射面１８１２ｂと、裏面側に向けて上方に傾斜する下照射光反射面１８１２ｃとがそれぞれ形成されている。上照射光反射面１８１２ｂは、受皿右ＬＥＤ２０３ｂからの照射光を照射光反射面１８０８ｃに向けて反射させて、上水平導入面１８０７ｂに入射させる。下照射光反射面１８１２ａは、受皿右ＬＥＤ２０３ｂからの照射光を傾斜反射面１８０８ｂに向けて反射させて、下水平導入面１８０７ｃに入射させるようになっている。
【０４１７】
また、右下皿ＬＥＤケース３４２Ｒの上下端部には、下皿光拡散レンズ３４３が配置された状態において、下皿光拡散レンズ３４３の下端に形成された傾斜反射面１８０８ｂ’および上端に形成される傾斜反射面１８０８ｃそれぞれに当接もしくは近接する補助反射面が形成されている。このように反射面間を所定の間隔で形成すると、前述した場合と同様の理由に基づいて、発光する部分の発光面積を広くできるという観点で好ましい。
【０４１８】
レンズ配置部１８１０を構成する右下皿ＬＥＤケース３４２Ｒおよび照射光反射部１８１２は、非透光性の合成樹脂材により構成されているとともに、右下皿ＬＥＤケース３４２Ｒの前面および上記各反射面１８１２ａ〜１８１２ｃにはメッキ処理が施されているため、下皿光拡散レンズ３４３内部から放射される光を反射して再度内部に入射させるようになっている。
【０４１９】
次に、上述のように構成された下皿光拡散レンズ３４３、右下皿ＬＥＤケース３４２Ｒ、受皿右ＬＥＤ２０３ｂの詳細な構造および互いの配置関係等について説明する。
【０４２０】
第１の凹部１８０３は、裏面側に向けて開放する凹溝状に形成されている。詳しくは、第１の凹部１８０３を構成する垂直導入面１８０７ａの上下幅寸法Ｌ１は約５ｍｍであり、上水平導入面１８０７ｂおよび下水平導入面１８０７ｃの前後幅寸法Ｌ２は約２．５ｍｍとされている。
【０４２１】
この第１の凹部１８０３内に収容される照射光反射部１８１２の垂直反射面１８１２ａの上下幅寸法は、前記垂直導入面１８０７ａの上下幅寸法Ｌ１よりも短寸とされており、垂直反射面１８１２ａの上端と上水平導入面１８０７ｂとの間および垂直反射面１８１２ａの下端と下水平導入面１８０７ｃとの間には僅かな隙間が形成されている。よって、受皿右ＬＥＤ２０３ｂからの照射光がこの僅かな隙間から照射光反射部１８１２よりも前方に向けて放射されるようになっている。
【０４２２】
照射光反射部１８１２は、上照射光反射面１８１２ｂと下照射光反射面１８１２ｃとの接合端辺、すなわち頂辺が底壁面１８１０ａよりもやや前方に位置するように設けられている。また、上水平導入面１８０７ｂに対する上照射光反射面１８１２ｂの傾斜角度および下水平導入面１８０７ｃに対する下照射光反射面１８１２ｃの傾斜角度θ１はそれぞれ約４５度とされている。受皿右ＬＥＤ２０３ｂは、光を前方に向けて略水平に照射、すなわち、垂直導入面１８０７ａに対して直交方向に照射するように配置されているため、該受皿右ＬＥＤ２０３ｂからの照射光は、上照射光反射面１８１２ｂと下照射光反射面１８１２ｃとによりそれぞれ上下方向に反射されるようになっている。
【０４２３】
右下皿ＬＥＤケース３４２Ｒは、レンズ配置部１８１０の裏面側に近接配置されているとともに、受皿右ＬＥＤ２０３ｂが照射用開口１８１１に臨むように配設されている。すなわち、各照射光反射部１８１２の裏面側には受皿右ＬＥＤ２０３ｂがそれぞれ配設されている。
【０４２４】
下皿光拡散レンズ３４３に対する光の供給は、第１の凹部１８０３から行なわれる。受皿右ＬＥＤ２０３ｂから照射された光は、前方に向けてほぼ水平に照射されるため、照射用開口１８１１を通過した光は主に上照射光反射面１８１２ｂおよび下照射光反射面１８１２ｃにより上方および下方に向けて反射する。ここで、照射方向とほぼ平行な上水平導入面１８０７ｂに対する上照射光反射面１８１２ｂの傾斜角度および下水平導入面１８０７ｃに対する下照射光反射面１８１２ｃの傾斜角度θ１＝４５度であるため、反射光は上水平導入面１８０７ｂおよび下水平導入面１８０７ｃに対してほぼ直交する方向に反射する。
【０４２５】
上水平導入面１８０７ｂおよび下水平導入面１８０７ｃに対する入射角は０度となるため、入射光は上水平導入面１８０７ｂおよび下水平導入面１８０７ｃによりほぼ屈折することなく、上方および下方に向けてほぼ垂直に入射し、そのまま直線的に進む。
【０４２６】
下水平導入面１８０７ｃから入射した入射光は、下方に向けてほぼ垂直に進み、下水平導入面１８０７ｃの直下に配設された傾斜反射面１８０８ｂに入射する。この入射光の光路は、上傾斜反射面１８０８ｂの法線Ｈ（図示省略）に対して臨界角θ４よりも大きな角度であり、入射前のエネルギーがすべて反射光になるため、前方に向けてほぼ水平に反射する。よって、傾斜反射面１８０８ｂの前方位置、すなわち、下端付近がその周辺に比べて強く発光する。
【０４２７】
なお、上水平導入面１８０７ｂから入射した入射光は、上方に向けてほぼ垂直に進み、上端に形成された傾斜反射面１８０８ｃに入射する。この入射光の光路は、下傾斜反射面１８０８ｃの法線Ｈ（図示省略）に対して臨界角θ４よりも大きな角度であり、入射前のエネルギーがすべて反射光になるため、前方に向けてほぼ水平に反射する。よって、傾斜反射面１８０８ｃの前方位置、すなわち、上端付近がその周辺に比べて強く発光する。
【０４２８】
第１の凹部１８０３に戻って、受皿右ＬＥＤ２０３ｂから照射された光は、上述のようにすべてが上下の照射光反射面１８１２ｂ，１８１２ｃに向けて水平に照射されるわけではなく、上水平導入面１８０７ｂや下水平導入面１８０７ｃに対して斜めに入射する光もある。したがって、これら光は、レンズ内部に透過され、または反射することになる。
【０４２９】
ここで、受皿右ＬＥＤ２０３ｂからの照射光、上水平導入面１８０７ｂ、または、下水平導入面１８０７ｃ等で反射した反射光等、上照射光反射面１８１２ｂの上端辺と上水平導入面１８０７ｂとの隙間、または、下照射光反射面１８１２ｃの下端辺と下水平導入面１８０７ｃとの隙間に入り込んだ光は、垂直導入面１８０７ａに入射し、レンズ内部に透過され、または反射することになる。このため、垂直導入面１８０７ａの前方上下位置、すなわち、第１の凸部１８０５の上下部付近が、その周辺に比べて強く発光する。
【０４３０】
また、垂直導入面１８０７ａに入射した光は、反射した場合でもその裏面側に垂直反射面１８１２ｂが配置されていることにより、反射光が外部に放射されることなく、該垂直反射面１８１２ａに反射して再度垂直導入面１８０７ａに入射するため、垂直導入面１８０７ａが明るくなる。さらに、垂直導入面１８０７ａにはローレット加工が施されていることで、その裏面側上下端付近から入射する光が凹凸面により上下方向にわたり分散して反射されるため、照射光反射部１８１２により受皿右ＬＥＤ２０３ｂからの照射光が遮られても、上下幅方向にわたり発光することになる。
【０４３１】
このように、下皿光拡散レンズ３４３にあっては、裏面側に配置された受皿右ＬＥＤ２０３ｂとの対向位置に、各導入面１８０７ａ〜１８０７ｃからなる第１の凹部１８０３が凹設されていることにより、受皿右ＬＥＤ２０３ｂから前方に向けて水平に照射される光によって、第１の凹部１８０３の前方に形成される第１の凸部１８０５付近が、その周辺に比べて強く発光する。つまり、受皿右ＬＥＤ２０３ｂが発光することにより、下皿光拡散レンズ３４３の表面における第１の凹部１８０３の正面位置に、主に垂直導入面１８０７ａから導入された入射光により発光する第１の発光部が形成される。
【０４３２】
また、垂直導入面１８０７ａと受皿右ＬＥＤ２０３ｂとの間には非透光性部材からなる照射光反射部１８１２が配置されており、これにより垂直導入面１８０７ａの裏面側が遮られていることで、受皿右ＬＥＤ２０３ｂの照射光が直接垂直導入面１８０７ａを透過して前方に放射されることがないので、第１の発光部における輝度が適度に低下される。
【０４３３】
一方、右枠ＬＥＤ２８ｃの裏面側には上下の照射光反射面１８１２ｂ，１８１２ｃが形成されており、受皿右ＬＥＤ２０３ｂの照射光を上下の水平導入部１８０７ｂ，１８０７ｃに対して直交方向に入射させるようになっているため、反射による光の損失を極力抑えた状態で照射光を傾斜反射面１８０８ｂ，１８０８ｃ側に向けて誘導することができるばかりか、透過光が上下の水平導入部１８０７ｂ，１８０７ｃの直下および直上に形成される上下の傾斜反射面１８０８ｂ，１８０８ｃに向けて直線的に誘導され、上下の傾斜反射面１８０８ｂ，１８０８ｃに入射する前に外部に放射することを効果的に防止できるため、上下端における輝度を高めることができる。
【０４３４】
さらに、上下の傾斜反射面１８０８ｂ，１８０８ｃの裏面側には、非透光性部材からなる上下の補助反射面が近接配置されているため、上下の傾斜反射面１８０８ｂ，１８０８ｃから外部に放射される光が再度内部に入射されるため、上下端における輝度を高めることができる。
【０４３５】
また、垂直導入面１８０７ａ、上水平導入面１８０７ｂ、および、下水平導入面１８０７ｃに対してそれぞれ斜めに入射して下皿光拡散レンズ３４３内部に透過した入射光は、主にローレット加工が施された面、つまり各リブ１８０２Ｌ，１８０２Ｃ，１８０２Ｒの前端面や板状部１８０１の裏面から外部に放射される。よって、下皿光拡散レンズ３４３の上下方向に延設された各リブ１８０２Ｌ，１８０２Ｃ，１８０２Ｒの前端面が、上下方向にわたって均等に発光するため、下皿光拡散レンズ３４３の表面を長手方向にわたり発光させることができる。
【０４３６】
また、下皿光拡散レンズ３４３内部から板状部１８０１の裏面から外部に放射された光は、その裏面に近接配置される底壁面１８１０ａにより反射されて再度内部に透過されるとともに、下皿光拡散レンズ３４３内部から左右のリブ１８０２Ｌ，１８０２Ｒの外面から外部に放射された光は、その外側に近接配置される傾斜壁面１８０１ｂ，１８１０ｃにより反射されて再度内部に透過され、これにより下皿光拡散レンズ３４３内部を誘導される光が裏面側に放射しにくくなり、光が前方に向けて放射されやすくなるため、下皿光拡散レンズ３４３全域を効率よく発光させることができる。
【０４３７】
〔供給皿左右発光部および受皿発光部の発光状況〕
次に、このように構成された供給皿左発光部２００Ｌ、供給皿右発光部２００Ｒおよび受皿発光部２０２の発光状況について、図４１および図４２に基づいて説明する。図４１は、（ａ）が供給皿左発光部２００Ｌおよび供給皿右発光部２００Ｒの発光状況を示す正面図であり、（ｂ）が供給皿右発光部２００Ｒの発光状況を示す右側面図である。図４２は、（ａ）が受皿発光部２０２の発光状況を示す正面図であり、（ｂ）が受皿発光部２０２の発光状況を示す右側面図である。
【０４３８】
供給皿左発光部２００Ｌおよび供給皿右発光部２００Ｒは、前述したように、遊技状態に応じた演出を行なうために所定の発光パターンで発光させられ、また、入賞異常報知を行なうために点滅させられる。遊技状態に応じた演出が行なわれるときと、入賞異常報知が行なわれるときは、発光パターンが異ならされる。なお、供給皿左発光部２００Ｌおよび供給皿右発光部２００Ｒは、装飾のための発光が行なわれてもよい。
【０４３９】
供給皿前発光部２０１は、前述したように、遊技状態に応じた演出および装飾を行なうために所定の発光パターンで発光させられる。遊技状態に応じた演出が行なわれるときと、装飾のための発光が行なわれるときは、発光パターンが異ならされる。なお、供給皿前発光部２０１は、所定の異常状態（エラー状態）が生じたときに点滅させる等、入賞異常報知を行なうために用いてもよい。
【０４４０】
扉枠左発光部２０４Ｌおよび右側方発光部２０４Ｒは、前述したように、入賞異常報知を行なうために点滅させられる。なお、扉枠左発光部２０４Ｌおよび右側方発光部２０４Ｒは、遊技状態に応じた演出を行なうために所定のパターンで発光させてもよく、装飾のための発光が行なわれてもよい。
【０４４１】
受皿発光部２０２は、前述したように、遊技状態に応じた演出を行なうために所定の発光パターンで発光させられ、また、満タン報知を行なうために点滅させられる。遊技状態に応じた演出が行なわれるときと、満タン報知が行なわれるときは、発光パターンが異ならされる。なお、受皿発光部２０２は、装飾のための発光が行なわれてもよい。
【０４４２】
受皿左発光部２０３Ｌおよび受皿右発光部２０３Ｒは、前述したように、満タン報知を行なうために点滅させられる。遊技状態に応じた演出が行なわれるときと、満タン報知が行なわれるときは、発光パターンが異ならされる。なお、受皿左発光部２０３Ｌおよび受皿右発光部２０３Ｒは、遊技状態に応じた演出を行なうために所定のパターンで発光させてもよく、装飾のための発光が行なわれてもよい。
【０４４３】
左発光部２８Ｌおよび右発光部２８Ｒは、前述したように、装飾を行なうために所定の発光パターンで発光させられる。なお、左発光部２８Ｌおよび右発光部２８Ｒは、遊技状態に応じた演出を行なうために所定のパターンで発光させてもよく、所定の異常状態（エラー状態）が生じたときに点滅させる等、入賞異常報知を行なうために用いてもよい。
【０４４４】
これら発光部は、所定の異常状態（エラー状態）が生じたときに発光させてもよい旨を説明したが、対象となる異常状態は、前述した異常状態に限らず、各種の異常状態を対象として用いてもよい。
【０４４５】
供給皿左発光部２００Ｌおよび供給皿右発光部２００Ｒは、図４１（ａ），（ｂ）中網点で示されるように、打球供給皿３の左右側面に側面視略Ｖ字形状に形成されている。すなわち、供給皿左発光部２００Ｌおよび供給皿右発光部２００Ｒはパチンコ遊技機１の外側方を向くように設けられているため、図４１（ｂ）に示されるように、パチンコ遊技機１の側方からの視認性が高いので、たとえば遊技店の店員等が図示しない遊技機設置島の端部側等にいる場合でも、供給皿左発光部２００Ｌ，供給皿右発光部２００Ｒの発光を視認しやすくなるため、前述した異常状態（エラー状態）の発生に対して早期に対処することができる。
【０４４６】
また、供給皿左発光部２００Ｌ，供給皿右発光部２００Ｒは、図４１（ａ）に示されるように、前面枠１０１の前面から遊技者側（先端の屈曲部３０１ａ）に向かうにしたがい、前面枠１０１の左右方向の中央に向けて傾斜するように設けられているので、遊技者も発光状況を視認可能になるため、供給皿左発光部２００Ｌ，供給皿右発光部２００Ｒを、遊技に関わる演出手段として発光させることが可能である。
【０４４７】
受皿発光部２０２は、図４２に示されるように、余剰球受皿４における下皿球受け３５２の前縁および左右側縁を囲むように、平面視略コ字形に形成されているため、余剰球受皿４が満杯になった旨を音声や変動表示装置等により報知する場合、遊技に関わる演出等が遮られてしまうことがあるが、余剰球受皿４が満杯になった旨を光により報知することにより、演出等を遮ることなく遊技者に認識させることができる。また、余剰球受皿４の周縁が発光するため、遊技者は貯留皿が満杯になった旨を認識しやすいばかりか、余剰球受皿４に球が貯留されていても球により光が遮られることがない。
【０４４８】
〔打球操作ハンドルの内部構造〕
次に、打球操作ハンドル５の内部構造について、図４３に基づいて説明する。図４３は、打球操作ハンドルの内部構造を示す分解斜視図である。
【０４４９】
打球操作ハンドル５は、前述したハンドル取付部に取付けられる円筒状のハンドルベース５４０と、該ハンドルベース５４０の前面開口中心部にハンドルカラー５４１を介して後端が回動自在に軸支される前後方向を向くハンドルシャフト５４２と、ハンドルシャフト５４２の前端に相対回転不能に固定されるとともに、遊技者により操作可能に設けられるハンドルリング５４３と、ハンドルリング５４３の前面に取付けられる略半球状のハンドルトップ台５４４と、から主に構成される。
【０４５０】
ハンドルベース５４０は、円筒状の筒状取付部５４０ａと、該筒状取付部５４０ａの前部に拡径して連設されるとともに、前面開口にハンドルリング５４３が回動自在に設けられるハンドル取付部５４０ｂとから構成されている。ハンドル取付部５４０ｂの内部には、ハンドルリング５４３の回転およびスイッチレバー５４６を検出可能なマイクロスイッチ５４５と、上端を中心に揺動自在に支持され、球の連続発射を停止させる際に操作するスイッチレバー５４６と、アース線が取付けられるとともに、ハンドルリング５４３の回動を規制するためのフック板金５４７が取付けられている。なお、ハンドルリング５４３が初期位置にある状態においてスイッチレバー５４６が押圧されて球の発射が停止されることになる。
【０４５１】
ハンドルシャフト５４２の前端は、ハンドルリング５４３の中心を貫通して前方に突出されており、その前端には、ハンドルコイルバネ５４８および円筒状のハンドルカラー５４９を介してハンドルトップ台５４４が相対回転不能に固定されている。また、ハンドルトップ台５４４の前面には、ハンドルクロス５５０が取付けられている。ハンドルコイルバネ５４８は、導電性を有する金属製のバネであり、ハンドルリング５４３（導電性を有する）とフック板金５４７（導電性を有する）とのそれぞれと電気的に接続されている。フック板金５４７は、所定の接地経路を経て電気的に接地（アース）されている。これにより、ハンドルリング５４３は、ハンドルコイルバネ５４８およびフック板金５４７を介して電気的に接地（アース）されている。このように、ハンドルコイルバネ５４８は、弾性力によりハンドルリング５４３を不勢する機能を有するとともに、ハンドルリング５４３を電気的に接地される機能も有する。また、ハンドルコイルバネ５４８は、弾性体であるので、ハンドルリング５４３のような回動する部材であっても、自らが延びることにより、ハンドルリング５４３との電気的な接続状態を容易に保持することが可能である。
【０４５２】
〔機構板の構造〕
次に、機構板１０５の構造について、図４４に基づいて説明する。図４４は、機構板の構造を示す分解斜視図である。なお、図４４において図中右斜め上側が前面側、左斜め下側が背面側であり、前面側から見た状態で説明する。
【０４５３】
機構板１０５は、水平な上辺部７００ａおよび上辺部７００ａの左側端部から下方に連設される上下方向に延びる左辺部７００ｂにより略Ｌ字形をなす機構板本体上部７００と、機構板本体上部７００の左辺部７００ｂ下端に接続される機構板本体下部７０１と、機構板本体上部７００と機構板本体下部７０１との右側端部同士を連結する棒状のジョイント部７０２と、から四角枠状に構成されている。
【０４５４】
機構板本体上部７００における上辺部７００ａの前面側には、母線カバー７０５０、前述したスイッチバー４１５により押圧可能に設けられ、ガラス扉枠１０２および当該機構板１０５の開放を検出する前板スイッチ７０６０、前板スイッチカバー７０７、および、配線押え７０８が取付けられている。左辺部７００ｂの前面側には、供給球誘導通路１６０を構成する裏通路カバー７０９と、上端が弁固定ピン７１１０により揺動自在に枢支され、供給球誘導通路１６０を流下してきた球流路を球抜き通路１６１に切り替え可能とする球抜き弁７１０と、球抜き弁７１０を押える弁押え７１２とが設けられるとともに、球抜き弁７１０の上方には、機構板１０５を回動自在に枢支するための上蝶番７１３、外枠１００に対する機構板１０５および前面枠１０１の開放を検出する外枠スイッチ７１４、外枠スイッチレバー７１５、外枠スイッチベース７１６がそれぞれ取付けられている。
【０４５５】
機構板本体上部７００における上辺部７００ａの背面側には、球タンク３８を取付けるための球タンク取付部７２０が凹設されている。この球タンク取付部７２０の前面は、前面枠１０１における膨出部１２１に対向配置される。球タンク取付部７２０の上部左右側には、前面枠１０１の背面に取付けられた機構板止め具４１８ａ，４１８ｂに係合可能な機構板押え７２１，７２１がスライド自在に取付けられている。球タンク取付部７２０の下方には、供給球誘導通路１６０を構成する左右方向を向くタンクレール７２２が取付けられているとともに、タンクレール７２２内の球を均す球均し振子７２３が上端を中心に揺動自在に枢支されている。なお、タンクレール７２２内には前後２条の球通路が構成されている。
【０４５６】
供給球誘導通路１６０のカーブ通路近傍には、球均し板金７２４，球を２列に仕切る仕切り板７２５が取付けられているとともに、その上方には、アース基板７２６が取付けられている。また、供給球誘導通路１６０におけるカーブ通路およびその下流側の背面は経路カバー７２７により構成されるとともに、カーブ通路の上側は母線出口カバー７２８により被覆される。
【０４５７】
経路カバー７２７におけるカーブ通路下部には球切れスイッチ１９７が取付けられるとともに、下端には球ストッパーセット７２９が取付けられている。また、経路カバー７２７により構成される通路近傍には、弁押え７１２に固着されて該弁押え７１２を回動操作可能な前後方向を向く円柱状の球抜きレバー７３０が軸心周りに回動自在に枢支されている。
【０４５８】
経路カバー７２７の下部には、球払出装置９７が左辺部７００ｂに対して着脱自在に取付けられており、供給球誘導通路１６０を流下してきた球が供給されるようになっている。また、経路カバー７２７の背面にはケースカバー７３１が、その上端を左右方向を向く軸周りに揺動自在に取付けられており、経路カバー７２７および球払出装置９７の背面が被覆されるようになっている。また、左辺部７００ｂの下端には、払出球誘導通路カバー７３２が取付けられている。
【０４５９】
機構板本体下部７０１の左側上部には、払出球誘導通路１３１ａの一部が形成されており、その背面側には、配線カバー７４０が取付けられている。機構板本体下部７０１を構成する取付板１８０の背面左側には、球抜き通路１６１および合流通路１６３が形成されているとともに、その近傍には機構板中継基板７４１が取付けられている。これら球抜き通路１６１，合流通路１６３，機構板中継基板７４１の背面側には、これら通路背面を構成する排出部カバー７４２が取付けられている。なお、排出部カバー７４２の背面右側には電源基板ケース９１０ａを押さえるための押え用レバー１８３が回動自在に取付けられている。
【０４６０】
排出部カバー７４２の背面には、基板取付ベース７４３が取付けられているとともに、その側方には、カードユニット５０との通信用の基板であって、払出制御基板３７とのやり取り信号と残高表示基板３８５にカードユニット５０からの信号を中継する基板ＳＡＫＶ７４４を収容可能なケース本体７４４ｂおよびケースカバー７４４ｃからなる基板ＳＡＫＶケース７４４ａが取付けられている。これら排出部カバー７４２およびその背面に取付けられる基板取付ベース７４３により背面側に膨出する膨出部が形成されており、基板取付ベース７４３の背面は、払出制御基板ケース３７ａが取付けられる取付面１８０ｂとして形成されており、該取付面１８０ｂにはフック挿通用スリット１９０が形成されている。
【０４６１】
払出制御基板ケース３７ａは、ケース本体３７ｂおよびケースカバー３７ｃから構成され、内部に払出制御基板３７を収納可能に構成されており、取付面１８０ｂの背面に取付けられている。ケースカバー３７ｃには複数の封止片３７ｅが形成されており、これら封止片３７ｅに取付けた図示しないワンウェイネジをケース本体３７ｂに形成されたネジ部３７ｄに螺入することにより、ケース本体３７ｂとケースカバー３７ｃとを開放不能に固着することが複数回できるようになっている。なお、３７ｆはワンウェイネジの頭部を被覆するキャップである。また、基板取付ベース７４３の上部には、図示しない遊技機設置島の内部に配設された球通路等から落下する球によりコネクタが破損することを防止するためのコネクタカバー７４５および突張りレバー１８４が取付けられている。
【０４６２】
コネクタカバー７４５は、一側端部に形成された軸受け部７４５ｂが基板取付ベース７４３に形成された軸部７４３ｂに回動可能に枢支されているとともに、基板取付ベース７４３側に向けて突設された弾性変形可能な係止爪７４５ａを基板取付ベース７４３の上部に形成された係止穴７４３ａに係止することにより、基板取付ベース７４３上部に保持されるようになっている。
【０４６３】
取付板１８０の背面右側には、電源基板ケース９１０ａが取付けられる取付面１８０ａが形成されており、その背面には、シールド板金７５０および配線収束用のワイヤーラグ７５１が取付けられており、シールド板金７５０の背面側に電源基板ケース９１０ａが配設されるようになっている。電源基板ケース９１０ａは、ケース本体９１０ｂおよびケースカバー９１０ｃから構成され、内部に電源基板９１０を収納できるようになっている。
【０４６４】
なお、これら払出制御基板ケース３７ａおよび電源基板ケース９１０ａの取付方法の詳細は前述しているため、ここでの詳細な説明は省略する。
【０４６５】
また、取付板１８０の背面右側辺部には、前面枠１０１の背面に取付けられた機構板止め具４１８ｃに係合可能な機構板押え７２１がスライド自在に取付けられているとともに、取付板１８０の前面左側辺部には、上端が左側辺部７００ｂの前面に固定される上下方向に延びる下蝶番７５２の下端が固定されている。よって機構板１０５は、下蝶番７５２および上蝶番７１３０により、上下方向を向く左辺部７００ｂを中心として回動自在に枢支されている。
【０４６６】
次に、以上に説明した実施の形態の主な効果を以下に列挙する。
（１）  図３９に示すように、余剰球受皿４は、下皿本体板３５０に形成された球受け収容部３５０ａに、下皿球受け３５２、下皿ＬＥＤ基板３５３、下皿ＬＥＤベース３５４、および、下皿アクリルセンター３５６が収容される態様で取付けられ、背面側に下皿背板３５１が取付けられたことにより、構成される。下皿ＬＥＤ基板３５３において受皿ＬＥＤ２０２ａが下皿球受け３５２の縁部を囲う位置に配置され、受皿ＬＥＤ２０２ａに臨む態様で下皿ＬＥＤベース３５４の上方に下皿アクリルセンター３５６が設けられるので、下皿球受け３５２の縁部を囲う範囲で受皿ＬＥＤ２０２ａが発光し、その光が下皿ＬＥＤベース３５４の上方の下皿アクリルセンター３５６を介して放射される。これにより、下皿球受け３５２の縁部を囲う位置において光が上方へ放射されることにより、下皿球受け３５２の縁部を光により装飾することが可能となるので、発光体の配置により演出効果を向上させることができる。
【０４６７】
（２）  図３９に示すように、下皿球受け３５２と下皿本体板３５０との隙間９０２に、下皿ＬＥＤベース３５４、下皿ＬＥＤ基板３５３、および、下皿アクリルセンター３５６等の余剰球受皿４を発光させるための部材を設けている。下皿アクリルセンター３５６は、その隙間９０２と同様の形状に形成され、下皿球受け３５２と下皿本体板３５０とを連結する態様で下皿球受け３５２と下皿本体板３５０に取付けられている。下皿アクリルセンター３５６は、単に光を透過させる機能だけではなく、下皿球受け３５２と下皿本体板３５０とを連結する機能も持っているので、透光機能を有する透光部材が連結部材としての機能も有することとなり、このような機能の兼用により、余剰球受皿４の部品点数を削減することができる。
【０４６８】
（３）  図３９に示すように、下皿アクリルセンター３５６は、下皿ＬＥＤベース３５４の上面板３５４ａとの間にシボシート３５５を挟んだ態様で、下皿ＬＥＤベース３５４における上面板３５４ａの上面側に取付けられるので、透光機能を有する下皿アクリルセンター３５６がシボシート３５５を取付ける機能も有することとなり、このような機能の兼用により、余剰球受皿４の部品点数を削減することができる。
【０４６９】
（４）  図３９に示すように、下皿本体板３５０における左右両側部に受皿左ＬＥＤ２０３ａ，受皿右ＬＥＤ２０３ｂをさらに備えたことにより、下皿本体板３５０周辺における発光による装飾機能を一層向上させることができる。
【０４７０】
（５）  前述したように、余剰球受皿４の満タン状態のような所定の異常状態が検出されたときに、下皿本体板３５０における左右両側部に設けられた受皿左発光部２０３Ｌ、受皿右発光部２０３Ｒの発光状態を制御することによって異常報知が実行されるので、その異常報知が不正行為に起因する異常状態であれば不正行為者に気付かれにくい態様で異常報知を行なえるようにすることができる。また、遊技店内の遊技店員からは下皿本体板３５０における左右両側部に設けられた受皿左発光部２０３Ｌ、受皿右発光部２０３Ｒの発光が見えるので、各種エラーや不正等の異常状態を遊技店員に容易に認識させることができる。また、下皿本体板３５０における左右両側部に設けられた発光部が、発光による装飾機能と、異常報知機能とを兼用することが可能であるので、異常報知を行うための特別な装置を設ける必要がなくなり、異常報知を行なうためのコストの増加を防止することができる。
【０４７１】
（６）  前述したように、余剰球受皿４の満タン報知が、余剰球受皿４に設けられた受皿発光部２０２の発光状態を制御することにより行なわれるので、その報知により、他の電気部品を用いて行なわれる遊技の演出が遮られることがないので、演出効果の減退を防止できる。また、図３に示すように、シリアル信号方式の制御信号を用いて発光体を含む電気部品を制御することにより、パラレル信号方式の制御信号を用いるときと比べて、発光体を含む電気部品を制御することができ、制御信号を伝送する配線数を低減することができるとともに、配線の取り回しを容易化することができる。
【０４７２】
（７）  図２６に示すように、打球供給皿３は、上皿カバー体３０１に形成された開口収容凹部３０００、切欠凹部３０１ｂに、上皿球受け３０２、上皿前左基板３３４Ｌ，上皿前右基板３３４Ｒ、および、上皿前レンズ３３０等が収容される態様で取付けられ、背面側に上皿本体板３００が取付けられたことにより、構成されている。そして、上皿前左基板３３４Ｌ，上皿前右基板３３４Ｒにおいて上皿カバー体３０１の内部から上皿カバー体３０１の前面側に臨む位置に供給皿前ＬＥＤ２０１ａが配置され、さらに、上皿前レンズ３３０が、上皿前左基板３３４Ｌ，上皿前右基板３３４Ｒにおける供給皿前ＬＥＤ２０１ａに対向配置され、上皿カバー体３０１における前面側の所定領域（開口部３１０ａ）において、当該供給皿前ＬＥＤ２０１ａの光を上皿カバー体３０１の内部から外部へ透過させる。これにより、上皿カバー体３０１における前面側を光により装飾することが可能となるので、発光体の配置により演出効果を向上させることができる。
【０４７３】
（８）  図２６に示すように、上皿カバー体３０１に、上皿球受け３０２が嵌合される切欠凹部３１０ｂが形成され、前面側の所定領域において上皿前レンズ３３０が嵌合される開口部３１０ａが形成されたので、上皿カバー体３０１に取付けられる上皿球受け３０２および上皿前レンズ３３０の位置決めを容易化することができる。
【０４７４】
（９）  図２６および図２８に示すように、残高ベース３８０が、上皿カバー体３０１と上皿球受け３０２とを連結する形状で設けられ、予め定められた領域にジョグボタン５００が取付けられる。これにより、残高ベース３８０が上皿カバー体３０１と上皿球受け３０２とを連結する機能を有するとともに、所定の操作部が取付けられる機能も有するので、このような機能の兼用により、打球供給皿３の部品点数を削減することができる。
【０４７５】
（１０）  前述したように、上皿カバー体３０１の外側側面に設けられた供給皿左発光部２００Ｌ，供給皿右発光部２００Ｒを遊技状態に応じて発光させることによって、発光体を用いた演出の態様を多様化することができ、遊技者に対する演出効果を向上させることができる。また、上皿カバー体３０１の外側側面に発光体が設けられるように構成されているので、例えば、遊技店内の一区画に遊技機が複数台設置されている場合に、その遊技機で遊技をしている遊技者以外の者（隣の遊技機で遊技をしている遊技者や遊技店内でまだ遊技を行っていない遊技者）であっても、その遊技機の発光体の発光状態が見えるようにすることができる。そのため、その遊技機で遊技をしている遊技者以外の者に対しても、注意を引く演出を実行することができ、演出効果をさらに向上させることができる。
【０４７６】
（１１）  前述したように、回転操作部材であるジョグダイアル５０３および押圧操作部材であるトップボタン５０１を組合せて操作部を構成することにより、操作部の設置スペースを大幅に増やすことなく操作部を多機能化することができる。そして、１つのジョグスイッチにより押圧操作が検出されたときに一方向押圧検出信号が出力され、少なくとも２つのジョグスイッチにより押圧操作が検出されたときに、一方向押圧検出信号とは異なる複数方向押圧検出信号が出力される。これにより、１つの押圧操作部材であるトップボタン５０１を異なる操作態様で操作することに基づいて、異なる検出信号が出力されるので、押圧操作部材をさらに多機能化することができる。このような多機能化により、操作部材数の増加を防ぐことができるので、操作部の設置領域を省スペース化することができる。
【０４７７】
（１２）  図２９および図３０に示すように、上皿前レンズ３３０の裏面における供給皿前ＬＥＤ２０１ａとの対向位置に第１の凹部７０３が凹設されることにより供給皿前ＬＥＤ２０１ａからの照射光が表面側に向けて誘導されるだけでなく、該照射光の一部が照射光導入面である横導入面７０７ａ，左縦導入面７０７ｂ，右縦導入面７０７ｃから上皿前レンズ３３０の内部に導入されて入射光反射面である横反射面７０８ａ，左傾斜反射面７０８ｂ，右傾斜反射面７０８ｃ側に向けて誘導されやすくなる。これにより、入射光反射面で表面側に向けて反射される反射光の光量が増加するため、発光体が裏面側に配置された第１の発光部だけでなく、発光体が配置されていない第２の発光部で発光させることができるため、発光体の配置数量を増加することなく発光部を増加することができる。
【０４７８】
（１３）  図１９等に示すように、メッキ枠部材である前板飾り４５１の裏面側の左前板基板４７５ａ，右前板基板４７５ｂからの照射光が、複数の照射用開口６１１を経て、前板飾り４５１の表面側において、複数の照射用開口６１１を一体的に覆う態様で取付けられたサイドインナーレンズ４５７ａ〜４５７ｄにより、前板飾り４５１の裏面側で拡散され誘導される。そして、左サイドレンズ４５８ａ，右サイドレンズ４５８ｂにより、前板飾り４５１の表面側においてサイドインナーレンズ４５７ａ〜４５７ｄが誘導した光が前板飾り４５１の表面側へ向けて透過される。前板飾り４５１の表面側において、複数の照射用開口６１１を一体的に覆う態様で取付けられたサイドインナーレンズ４５７ａ〜４５７ｄにより、前板飾り４５１の裏面側で拡散され誘導され、透光されるので、前板飾り４５１の表面側を、拡散され誘導され光により装飾することが可能となるので、発光体の配置により演出効果を向上させることができる。
【０４７９】
（１４）  図３２〜図３４に示すように、サイドインナーレンズ４５７ａ〜４５７ｄの裏面における左枠ＬＥＤ２８ｂ，右枠ＬＥＤ２８ｃとの対向位置に第１の凹部６０３が凹設されることにより左枠ＬＥＤ２８ｂ，右枠ＬＥＤ２８ｃからの照射光が表面側に向けて誘導されるだけでなく、該照射光の一部が照射光導入面である垂直導入面６０７ａ，上水平導入面６０７ｂ，下水平導入面６０７ｃからサイドインナーレンズ４５７ａ〜４５７ｄの内部に導入されて入射光反射面側である垂直反射面６０８ａ，上傾斜反射面６０８ｂ，下傾斜反射面６０８ｃに向けて誘導されやすくなる。これにより、入射光反射面で表面側に向けて反射される反射光の光量が増加するため、発光体が裏面側に配置された第１の発光部だけでなく、発光体が配置されていない第２の発光部で発光させることができるため、発光体の配置数量を増加することなく発光部を増加することができる。
【０４８０】
（１５）  図４０に示すように、照射光導入面である照射光導入面８０６ａが照射光導入部である照射光導入凹部８０６に形成されていることで、供給皿左右外ＬＥＤ２００ｃからの照射光を周囲に拡散させることなく打球供給皿導光部材の内部に確実に導入させることができるため、上皿左クリアベース３１３Ｌ、上皿右クリアベース３１３Ｒの表面における入射光反射面８０７ａを効果的に発光させることができるとともに、導入された入射光の一部が入射光反射面８０７ａにより上皿左クリアベース３１３Ｌ、上皿右クリアベース３１３Ｒの内部において周囲に誘導されるため、供給皿左右外ＬＥＤ２００ｃと照射光導入凹部８０６とを離間して発光体からの照射光の一部を上皿左クリアベース３１３Ｌ、上皿右クリアベース３１３Ｒの裏面に直接照射したりすることなく、上皿左クリアベース３１３Ｌ、上皿右クリアベース３１３Ｒにおける照射光導入凹部８０６およびその周辺領域を広範囲にわたり発光させることができる。
【０４８１】
次に、以上に説明した実施の形態の変形例や特徴点を以下に列挙する。
（１）  前述の実施の形態では、球タンク３８には、右側のスピーカユニット２７ａに対応する箇所にのみ切欠凹部３８ａが形成されていたが、左側のスピーカユニット２７ａに対応する左側角部に切欠凹部が形成されていてもよい。また、切欠凹部３８ａは球タンク３８の角部に形成されていたが、角部、すなわち、前側板３８ｂの左右側端部のみならず、たとえば左右方向の中央等に切欠凹部を形成してもよく、スピーカユニット２７ａの配設状況に応じた数量の切欠凹部を任意の箇所に形成すればよい。
【０４８２】
（２）  前述の実施の形態では、切欠凹部の形状は、前方および側方に開放する平面視Ｌ字形の切欠凹部だけでなく、前方に開放する平面視コ字形であってもよいし、あるいは平面視半球状等であってもよく、スピーカユニット２７ａの外面形状に応じた形状とすることが好ましい。
【０４８３】
（３）  前述の実施の形態では、球タンク３８は前面枠１０１の背面側に配置される機構板１０５の上部に取付けられていたが、前面枠１０１の背面側に配置されるようになっていれば、前面枠１０１に直接取付けられていてもよい。
【０４８４】
（４）  前述の実施の形態では、操作手段としてのジョグボタン５００の操作面５０１ａは、平面視円形に形成されていたが、形状は任意に変形可能であり、たとえば平面視十字形に形成されていてもよい。
【０４８５】
（５）  前述の実施の形態では、操作面５０１ａは、上中左右の４方向に傾倒可能に形成されていたが、傾倒方向の数は任意であり、たとえば左右または上下の２方向にのみ傾倒可能であってもよいし、あるいは４方向以上の方向に傾倒可能に設けられていてもよい。
【０４８６】
（６）  前述の実施の形態では、操作面５０１ａの直交姿勢での押圧は２以上のジョグスイッチ５１０ａ〜５１０ｄによる検出に基づいて判定されるようになっていたが、３以上またはすべての検出に基づいて判定されるようにしてもよい。
【０４８７】
（７）  前述の実施の形態では、２つのジョグスイッチ５１０ａ〜５１０ｄによる検出で、たとえば上下左右の４方向に左上、左下、右上、右下の４方向を加えた合計８方向を検出することも可能である。
【０４８８】
（８）  前述の実施の形態では、余剰球誘導通路１３０は、前面枠１０１の背面および該背面に形成された樋板１３４とバックプレート１３５により形成されていたが、これに限定されるものではなく、前面枠１０１のみにより一体形成されていてもよい。
【０４８９】
（９）  前述の実施の形態では、余剰球誘導通路１３０の配設位置や通路形状等は任意であり、上記実施の形態に記載の形状に限定されるものではなく、種々に変形可能である。
【０４９０】
（１０）  前述の実施の形態では、サイドインナーレンズ４５７ａ〜４５７ｄの左・右枠ＬＥＤ２８ｂ，２８ｃ、上皿前中レンズ３３１Ｌおよび上皿前中レンズ３３１Ｒの供給皿前ＬＥＤ２０１ａ、下皿光拡散レンズ３４３の受皿左ＬＥＤ２０３ａ，受皿右ＬＥＤ２０３ｂは、枠側ＩＣ基板としての各種基板に設けられていたが、盤側ＩＣ基板としての各種基板に設けてもよい。つまり、特に図示はしないが、これらレンズやＬＥＤを遊技盤６の遊技領域７上に配設し、盤側ＩＣ基板として中継基板８８に接続するようにしてもよい。
【０４９１】
（１１）  前述の実施の形態における第１の凹部、第２の凹部の形状（傾斜角度等）は種々に変更可能であり、たとえば第１の凹部にあっては、側面視コ字形に形成されていたが、裏面側に開放する側面視略Ｕ字形等に形成されていてもよい。
【０４９２】
（１２）  前述の実施の形態では、第１の凹部内に照射光反射部６１２が設けられていたが、必ずしも設けられていなくてもよい。また、これら照射光反射部６１２をレンズ側に一体的に形成してもよい。
【０４９３】
（１３）  前述の実施の形態では、第２の凹部裏面側に補助反射面が形成されていたが、必ずしも設けられていなくてもよい。または、第２の凹部裏面にメッキ処理等を施して補助反射部をレンズ側に直接設けてもよい。
【０４９４】
（１４）  前述の実施の形態では、供給皿左発光部２００Ｌ，供給皿右発光部２００Ｒは、所定の異常状態が発生したことに基づいて発光するようになっていたが、本発明はこれに限定されるものではなく、たとえば遊技に関連する演出装置としてこれら発光部を発光させてもよいし、装飾用発光部として発光させてもよい。たとえば、遊技状態に応じて、演出制御用マイクロコンピュータ８１が供給皿左発光部２００Ｌおよび供給皿右発光部２００Ｒの発光状態を制御する。さらに、球切れや賞球時に発光させるようにしてもよい。また、これら供給皿左発光部２００Ｌおよび供給皿右発光部２００Ｒとともに供給皿前発光部２０１を発光させてもよい。
【０４９５】
（１５）  前述の実施の形態では、受皿発光部２０２は、余剰球受皿４が球で満杯になったことに基づいて発光するようになっていたが、本発明はこれに限定されるものではなく、たとえば遊技に関連する演出装置としてこれら発光部を発光させてもよし、装飾用発光部として発光させてもよい。さらに、球切れや賞球時に発光させるようにしてもよい。
【０４９６】
（１６）  前述の実施の形態では、遊技機の一例としてパチンコ遊技機１が適用されていたが、遊技球を用いてゲームを行なうことが可能なスロットマシン等の他の遊技機にも適用可能である。
【０４９７】
（１７）  前述の実施の形態では、下皿球受け３５２と下皿本体板３５０との隙間に、下皿ＬＥＤベース３５４、下皿ＬＥＤ基板３５３、および、下皿アクリルセンター３５６等の余剰球受皿４を発光させるための部材を設けている。余剰球受皿４を発光させるための部材は、球受け収容部３５０ａと下皿本体板３５０との間に隙間を設けず、下皿球受け３５２の縁部に沿って発光体および発光体の光を透過させる透光部材を付加的に取付けるように構成することも考えられる。これに対し、前述した実施の形態では、下皿アクリルセンター３５６は、単に光を透過させる機能だけではなく、下皿球受け３５２と下皿本体板３５０とを連結する機能も持っているので、透光機能を有する透光部材が連結部材としての機能も有することとなり、このような機能の兼用により、余剰球受皿４の部品点数を削減することができる。また、下皿アクリルセンター３５６は、下皿ＬＥＤベース３５４の上面板３５４ａとの間にシボシート３５５を挟んだ態様で、上部取付部の上面側に取付けられるので、透光機能を有する透光部材が光拡散シートを取付ける機能も有することとなり、このような機能の兼用により、余剰球受皿４の部品点数を削減することができる。
【０４９８】
（１８）  打球供給皿３は、上皿カバー体３０１に形成された開口収容凹部３０００、切欠凹部３０１ｂに、上皿球受け３０２、上皿前左基板３３４Ｌ，上皿前右基板３３４Ｒ、および、上皿前レンズ３３０等が収容される態様で取付けられ、背面側に上皿本体板３００が取付けられたことにより、構成されている。打球供給皿３を発光させるための部材は、打球供給皿３の内部に、発光体を設けずに導光部材を配置し、遊技機の内部であるが打球供給皿３の外部に設けた発光体の光を、導光部材により一旦打球供給皿３の内部に誘導して打球供給皿３の外部に放射するように構成することも考えられる。これに対し、前述した実施の形態では、上皿カバー体３０１に形成された開口収容凹部３０００、切欠凹部３０１ｂに、上皿球受け３０２、上皿前左基板３３４Ｌ，上皿前右基板３３４Ｒ、および、上皿前レンズ３３０等が収容される態様で取付けられ、背面側に上皿本体板３００が取付けられたことにより打球供給皿３が構成されるので、発光体と、その光を上皿カバー体３０１の外部へ透過させるレンズ部材との位置関係が複雑なものにならないようにする（簡素化する）ことができ、打球供給皿３の内部構造が複雑化しないようにすることができる。
【０４９９】
（１９）  前述した実施の形態に示した打球供給皿３の構成（供給皿前発光部２０１の構成を含む）は、余剰球受皿４の構成として用いてもよい。また、前述した実施の形態に示した余剰球受皿４の構成（受皿発光部２０２の構成を含む）は、打球供給皿３の構成として用いてもよい。
【０５００】
以上の実施の形態には以下の発明が開示されている。
（１）  遊技盤（遊技盤６）の表面に形成された遊技領域（遊技領域７）内に遊技球を打出すための発射装置（打球発射装置９１）と、遊技球を貯留可能な球貯留皿（余剰球受皿４）とを備える遊技機（パチンコ遊技機１）であって、
前記球貯留皿は、
前記遊技機の前面側に突出して設けられ、上方に開口した収容凹部（球受け収容部３５０ａ）が形成された皿本体（下皿本体板３５０）と、
該皿本体に取付けられ、前記収容凹部の背面を構成する板状の背板部材（下皿背板３５１）と、
前記収容凹部に載置収容され、上方が開口した球受凹部が形成された球受皿（下皿球受け３５２）と、
前記球受皿の縁部を囲うように設けられ、発光体（受皿ＬＥＤ２０２ａ）が取付けられる発光体取付部材（下皿ＬＥＤベース３５４）と、
該発光体取付部材に取付けられ、前記球受皿の縁部を囲う位置に配置される発光体が設けられる発光体基板（下皿ＬＥＤ基板３５３）と、
前記発光体に臨む態様で前記発光体取付部材の上方に設けられる透光性を有した透光部材（下皿アクリルセンター３５６）とを備え、
前記球受皿、前記発光体基板、前記発光体取付部材、および、前記透光部材は、前記収容凹部に収容される態様で前記皿本体に取付けられ、背面側に前記背板部材が取付けられた（図３９）。
【０５０１】
このような構成によれば、球貯留皿は、皿本体に形成された収容凹部に、球受皿、発光体基板、発光体取付部材、および、透光部材が収容される態様で取付けられ、背面側に背板部材が取付けられたことにより、構成される。そして、発光体基板において発光体が球受皿の縁部を囲う位置に配置され、発光体に臨む態様で発光体取付部材の上方に透光部材が設けられるので、球受皿の縁部を囲う範囲で発光体が発光し、その光が発光体取付部材の上方の透光部材を介して放射される。これにより、球受皿の縁部を囲う位置において光が上方へ放射されることにより、球受皿の縁部を光により装飾することが可能となるので、発光体の配置により演出効果を向上させることができる。
【０５０２】
（２）  前記球受皿の外縁と前記皿本体の収容凹部の内縁との間には、隙間（９０２）が形成され（図３９）、
当該隙間に前記透光部材および前記発光体取付部材が取付けられ（図３９）、
前記透光部材は、前記隙間と同様の形状に形成され、前記球受皿と前記皿本体とを連結する態様で前記球受皿および前記皿本体に取付けられた（図３９）。
【０５０３】
このような構成によれば、球受皿の外縁と皿本体の収容凹部の内縁との間に形成された隙間に、透光部材および発光体取付部材が取付けられ、その隙間と同様の形状に形成された透光部材が、球受皿と皿本体とを連結する態様で球受皿および皿本体に取付けられている。透光部材および発光体取付部材が取付けられる隙間と同様の形状に形成された透光部材が、球受皿と皿本体とを連結する態様で球受皿および皿本体に取付けられているので、透光機能を有する透光部材が連結部材としての機能も有することとなり、このような機能の兼用により、球貯留皿の部品点数を削減することができる。
【０５０４】
（３）  前記発光体基板および前記発光体取付部材は、前記球受皿の外縁と前記皿本体の収容凹部の内縁との間の隙間に沿う形状で形成され（図３９）、
前記発光体取付部材は、
前記隙間における下部で当該隙間に沿う形状で形成され、前記発光体基板が上面側に取付けられる下部取付部（下面板３５４ｂ）と、
前記隙間における上部で当該隙間に沿う形状で形成され、前記透光部材が上面側に取付けられる上部取付部（上面板３５４ａ）とを備え、
前記透光部材は、当該透光部材と前記上部取付部との間に光拡散シート（シボシート３５５）を挟んだ態様で、前記上部取付部の上面側に取付けられた（図３９）。
【０５０５】
このような構成によれば、球受皿の外縁と皿本体の収容凹部の内縁との間の隙間に沿う形状で形成された発光体取付部材が、発光体基板が上面側に取付けられる下部取付部と透光部材が上面側に取付けられる上部取付部とを備える。そして、透光部材が、当該透光部材と上部取付部との間に光拡散シートを挟んだ態様で、上部取付部の上面側に取付けられるので、透光機能を有する透光部材が光拡散シートを取付ける機能も有することとなり、このような機能の兼用により、球貯留皿の部品点数を削減することができる。
【０５０６】
（４）  前記皿本体における左右両側部に設けられた発光体部（受皿左ＬＥＤ２０３ａ，受皿右ＬＥＤ２０３ｂ）をさらに備えた（図３９）。
【０５０７】
このような構成によれば、皿本体における左右両側部に発光体部が設けられたことにより、皿本体周辺における発光による装飾機能を一層向上させることができる。
【０５０８】
（５）  所定の異常状態が遊技機において発生したことを検出する異常検出手段（満タンスイッチ１９）と、
該異常検出手段によって所定の異常状態が検出されたときに異常報知（満タン報知）を実行する異常報知手段（遊技制御用マイクロコンピュータ１５６）とをさらに備え、
該異常報知手段は、前記皿本体における左右両側部に設けられた発光部（受皿左発光部２０３Ｌ、受皿右発光部２０３Ｒ）の発光状態を制御することによって異常報知を実行する。
【０５０９】
このような構成によれば、所定の異常状態が検出されたときに、皿本体における左右両側部に設けられた発光部の発光状態を制御することによって異常報知が実行されるので、その異常報知が不正行為に起因する異常状態であれば不正行為者に気付かれにくい態様で異常報知を行なえるようにすることができる。また、遊技店内の遊技店員からは皿本体における左右両側部に設けられた発光部の発光が見えるので、各種エラーや不正等の異常状態を遊技店員に容易に認識させることができる。また、皿本体における左右両側部に設けられた発光部が、発光による装飾機能と、異常報知機能とを兼用することが可能であるので、異常報知を行うための特別な装置を設ける必要がなくなり、異常報知を行なうためのコストの増加を防止することができる。
【０５１０】
（６）  前記発射装置に供給する遊技球を貯留可能な打球供給皿（打球供給皿３）をさらに備え、
前記球貯留皿は、前記打球待機皿から溢れた余剰球を貯留可能であり（余剰球受皿４）、
遊技の進行を制御し、演出用の電気部品（各ＬＥＤ２５ａ、２５ｂ、５１、５２、２８ａ、２８ｂ、２８ｃ、２００ａ，２００ｂ、２００ｃ，２０１ａ、２０２ａ、２０３ａ，２０３ｂ、５１２ａ〜５１２ｄ等）を制御させるための演出制御コマンド（演出制御コマンド）を送信する遊技制御手段（遊技制御用マイクロコンピュータ１５６）と、
前記遊技制御手段が送信した前記演出制御コマンドに応じて、前記発光体基板の発光体を含む前記電気部品を制御する演出制御手段（演出制御用マイクロコンピュータ８１）とをさらに備え、
前記演出制御コマンドは、前記球貯留皿に所定量以上の遊技球が貯留された状態である満杯状態となったことに基づいて出力される演出制御コマンド（受皿ＬＥＤ２０２ａを発光させる旨を示す演出制御コマンド）を含み、
前記演出制御手段は、前記演出制御コマンドに基づいて、前記電気部品を制御するための制御信号をシリアル信号方式で出力する出力手段（シリアル出力回路２５３）を含み、
該出力手段から入力された前記制御信号をシリアル信号方式からパラレル信号方式に変換して前記電気部品に出力するシリアル−パラレル変換回路（各盤側ＩＣ基板９８、９９のシリアル−パラレル変換ＩＣ、各枠側ＩＣ基板４７３ａ、４７３ｂ、４７３ｃ、３１０Ｌ、３１０Ｒ、３３２Ｌ、３３２Ｒ、３５３、３４０Ｌ、３４０Ｒ、５０８のシリアル−パラレル変換ＩＣ）をさらに備え、
前記演出制御手段は、前記遊技制御手段から前記球貯留皿に所定量以上の遊技球が貯留された状態である満杯状態となったことに基づいて出力される演出制御コマンドが送信されたことに基づいて、前記発光体基板の発光体により前記貯留部の満杯状態を報知するための制御信号をシリアル信号方式で出力することにより、前記発光体基板の発光体の発光状態を制御して満杯状態を報知する制御を行なう満杯報知制御手段（満タン報知制御を実行するプログラム）を含む。
【０５１１】
このような構成によれば、球貯留皿が満杯になった旨の報知が、球貯留皿に設けられた発光体基板の発光体の発光状態を制御することにより行なわれるので、その報知により、他の電気部品を用いて行なわれる遊技の演出が遮られることがないので、演出効果の減退を防止できる。また、シリアル信号方式の制御信号を用いて発光体を含む電気部品を制御することにより、パラレル信号方式の制御信号を用いるときと比べて、発光体を含む電気部品を制御することができ、制御信号を伝送する配線数を低減することができるとともに、配線の取り回しを容易化することができる。
【０５１２】
（７）  前記打球供給皿及び前記球貯留皿が表面側に設けられる保持枠（前面枠１０１）と、
前記打球供給皿から溢れた余剰球を前記球貯留皿に誘導する余剰球誘導通路（余剰球誘導通路１３０）と、
前記球貯留皿が貯留された余剰球により満杯になったことを検出する貯留状態検出手段（満タンスイッチ１９）と、
前記保持枠の裏面側に配置され、前記打球供給皿に遊技球を払出す払出機構（球払出装置９７）を有する機構部（機構板１０５）と、
前記遊技盤に設けられ、前記遊技領域内において該遊技領域内に設けられた入賞口のいずれにも入賞しなかったアウト球を回収するためのアウト球回収口（アウト口２６）と、
前記アウト球回収口から回収されたアウト球を、前記機構部を介して弾球遊技機外部に流出させるアウト球流出通路（アウト球誘導通路１３２，合流通路１６３）とをさらに備え、
前記余剰球誘導通路を、前記打球供給皿から溢れた余剰球が前記機構部を介すことなく前記球貯留皿に誘導されるように前記保持枠の裏面に形成するとともに、該保持枠の裏面における前記余剰球誘導通路近傍に前記貯留状態検出手段を設けた（図８）。
【０５１３】
このような構成によれば、余剰球誘導通路の一部に機構部側に形成した通路との連通部等が形成されることがないので、余剰球貯留部から不正器具等を進入させても、該不正器具を余剰球誘導通路の外部に突出させることが困難となるため、不正器具を保持枠の裏面とその裏面側に配置される機構部との間からアウト球回収口を介して遊技領域内の入賞口に進入させるといった不正行為を効果的に防止することができる。
【０５１４】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０５１５】
６  遊技盤、７  遊技領域、９１  打球発射装置、４  余剰球受皿、１  パチンコ遊技機、３５０ａ  球受け収容部、３５０  下皿本体板、３５１  下皿背板、３５２  下皿球受け、３５４  下皿ＬＥＤベース、３５３  下皿ＬＥＤ基板、３５６  下皿アクリルセンター、３５４ｂ  下面板上面板、３５５  シボシート、２０３ａ  受皿左ＬＥＤ、２０３ｂ  受皿右ＬＥＤ、１５６  遊技制御用マイクロコンピュータ、８１  演出制御用マイクロコンピュータ、２０３Ｌ  受皿左発光部、２０３Ｒ  受皿右発光部、９８，９９  盤側ＩＣ基板、４７３ａ，４７３ｂ，４７３ｃ，３１０Ｌ，３１０Ｒ，３３２Ｌ，３３２Ｒ，３５３，３４０Ｌ，３４０Ｒ，５０８  枠側ＩＣ基板、１０１  前面枠、１３０  余剰球誘導通路、１９  満タン杯スイッチ、９７  球払出装置、１０５  機構板、２６  アウト口、１３２  アウト球誘導通路、１６３  合流通路。
【図１】
0005456850.tif 000002
【図２】
0005456850.tif 000003
【図３】
0005456850.tif 000004
【図４】
0005456850.tif 000005
【図５】
0005456850.tif 000006
【図６】
0005456850.tif 000007
【図７】
0005456850.tif 000008
【図８】
0005456850.tif 000009
【図９】
0005456850.tif 000010
【図１０】
0005456850.tif 000011
【図１１】
0005456850.tif 000012
【図１２】
0005456850.tif 000013
【図１３】
0005456850.tif 000014
【図１４】
0005456850.tif 000015
【図１５】
0005456850.tif 000016
【図１６】
0005456850.tif 000017
【図１７】
0005456850.tif 000018
【図１８】
0005456850.tif 000019
【図１９】
0005456850.tif 000020
【図２０】
0005456850.tif 000021
【図２１】
0005456850.tif 000022
【図２２】
0005456850.tif 000023
【図２３】
0005456850.tif 000024
【図２４】
0005456850.tif 000025
【図２５】
0005456850.tif 000026
【図２６】
0005456850.tif 000027
【図２７】
0005456850.tif 000028
【図２８】
0005456850.tif 000029
【図２９】
0005456850.tif 000030
【図３０】
0005456850.tif 000031
【図３１】
0005456850.tif 000032
【図３２】
0005456850.tif 000033
【図３３】
0005456850.tif 000034
【図３４】
0005456850.tif 000035
【図３５】
0005456850.tif 000036
【図３６】
0005456850.tif 000037
【図３７】
0005456850.tif 000038
【図３８】
0005456850.tif 000039
【図３９】
0005456850.tif 000040
【図４０】
0005456850.tif 000041
【図４１】
0005456850.tif 000042
【図４２】
0005456850.tif 000043
【図４３】
0005456850.tif 000044
【図４４】
0005456850.tif 000045